(57)【要約】方法、システム、およびデバイスは、ページングおよびハンドオーバに基づいて生じるシグナリング負荷を低減させることを補助し得る。方法、システム、およびデバイスは、異なるアーキテクチャアプローチ（例えば、階層または分散型）、動的ＲＲＡ管理、無線アクセスネットワークベースのページング、および無線アクセスネットワークベースのユーザ機器（ＵＥ）モビリティ管理を用いたＵＥ状態、無線アクセスネットワーク登録エリア（ＲＲＡ）、または追跡／ページングエリアに基づき得る。
2019515541.tif 000002
【特許請求の範囲】
【請求項１】
無線通信を実施するユーザ機器であって、前記ユーザ機器は、
プロセッサと、
前記プロセッサと結合されたメモリと
を備え、
前記メモリは、その上に記憶された実行可能命令を備え、前記命令は、前記プロセッサによって実行されると、
前記ユーザ機器に関連付けられた変化を検出することであって、前記ユーザ機器に関連付けられた前記変化は、前記ユーザ機器の無線アクセスネットワーク登録エリアの変化を含む、ことと、
前記ユーザ機器に関連付けられた前記変化の検出に応答して、前記ユーザ機器の場所更新を実施することと、
グラントレスチャネルを経由して、前記場所更新を基地局に提供することと
を含む動作を前記プロセッサに果たさせる、ユーザ機器。
【請求項２】
前記グラントレスチャネルは、割り当てられている、請求項１に記載のユーザ機器。
【請求項３】
前記動作は、キャリア感知を実施し、前記グラントレスチャネルへのアクセスを得ることをさらに含む、請求項１〜２のいずれか１項に記載のユーザ機器。
【請求項４】
前記グラントレスチャネルは、物理チャネルである、請求項１〜３のいずれか１項に記載のユーザ機器。
【請求項５】
前記グラントレスチャネルは、トランスポートチャネルである、請求項１〜４のいずれか１項に記載のユーザ機器。
【請求項６】
前記基地局は、ドリフティング無線アクセスネットワーク登録エリアアンカポイントである、請求項１〜５のいずれか１項に記載のユーザ機器。
【請求項７】
前記基地局は、サービング無線アクセスネットワーク登録エリアアンカポイントである、請求項１〜６のいずれか１項に記載のユーザ機器。
【請求項８】
前記動作は、
前記場所更新に基づいて、ページを受信することと、
前記グラントレスチャネルを経由して、前記ページへの応答を提供することと
をさらに含む、請求項１〜７のいずれか１項に記載のユーザ機器。
【請求項９】
前記ユーザ機器に関連付けられた前記変化を検出することは、閾値に到達するモビリティメトリックの変化をさらに含み、前記モビリティメトリックは、規定された期間中に生じたハンドオーバの数を含む、請求項１〜８のいずれかに記載のユーザ機器。
【請求項１０】
前記ユーザ機器に関連付けられた変化を検出することは、閾値に到達するモビリティメトリックの変化をさらに含み、前記モビリティメトリックは、セル再選択の数を含む、請求項１〜９のいずれかに記載のユーザ機器。
【請求項１１】
動的無線アクセスネットワークルーティングエリア管理ネットワーク内で無線通信を実施する装置であって、前記装置は、
プロセッサと、
前記プロセッサと結合されたメモリと
を備え、
前記メモリは、その上に記憶された実行可能命令を備え、前記命令は、前記プロセッサによって実行されると、
ユーザ機器をページングすることと、
前記ユーザ機器をページングすることに応答して、測定情報を前記ユーザ機器から取得することであって、前記測定情報は、前記ユーザ機器の場所および速度を含む、ことと、
前記測定情報に基づいて、前記ユーザ機器のコンテキストを更新することと、
前記ユーザ機器の前記コンテキストを基地局と交換することと
を含む動作を前記プロセッサに果たさせる、装置。
【請求項１２】
前記動作は、前記測定情報に基づいて、無線アクセスネットワークルーティングエリアリストおよび前記ユーザ機器の到達可能性ステータスを更新することをさらに含む、請求項１１に記載の装置。
【請求項１３】
前記動作は、グラントレスアップリンクデータ転送を開始することをさらに含む、請求項１１に記載の装置。
【請求項１４】
前記ユーザ機器の前記コンテキストは、前記ユーザ機器の場所を含む、請求項１１に記載の装置。
【請求項１５】
前記動作は、割り当てられたトランスポートチャネルを経由してデータを取得することをさらに含む、請求項１１に記載の装置。
【請求項１６】
前記基地局は、無線アクセスネットワーク登録エリアアンカポイントである、請求項１１に記載の装置。
【請求項１７】
前記動作は、
コアネットワーク更新情報を含むページングメッセージをモビリティ管理エンティティゲートウェイから取得することと、
コアネットワーク更新情報を含む前記ページングメッセージに基づいて、前記ページングメッセージを前記ユーザ機器に提供することと
をさらに含む、請求項１１に記載の装置。
【請求項１８】
前記測定情報は、遷移させられるべきユーザ機器状態を含む、請求項１１に記載の装置。
【発明の詳細な説明】
【背景技術】
【０００１】
（関連出願の引用）
本願は、米国仮特許出願第６２／３２５，４５０号（２０１６年４月２０日出願、名称「Ｍｏｂｉｌｉｔｙ  Ｓｉｇｎａｌｉｎｇ  Ｌｏａｄ  Ｒｅｄｕｃｔｉｏｎ」）の利益を主張し、上記出願の内容は、参照により本明細書に引用される。
【０００２】
（背景）
（ＲＲＣプロトコル状態）：ＬＴＥでは、端末は、図１に示されるように、ＲＲＣ＿ＣＯＮＮＥＣＴＥＤおよびＲＲＣ＿ＩＤＬＥの２つの異なる状態にあることができる。
【０００３】
ＲＲＣ＿ＣＯＮＮＥＣＴＥＤでは、ＲＲＣコンテキストが、存在する。ＵＥが属するセルは、既知であり、ＵＥとネットワークとの間のシグナリング目的のために使用される、ＵＥの識別である、セル無線ネットワーク一時識別子（Ｃ−ＲＮＴＩ）が、構成されている。ＲＲＣ＿ＣＯＮＮＥＣＴＥＤは、ＵＥへ／からのデータ転送のために意図される。
【０００４】
ＲＲＣ＿ＩＤＬＥでは、無線アクセスネットワーク（ＲＡＮ）内にＲＲＣコンテキストが、存在せず、ＵＥは、特定のセルに属さない。データ転送は、ＲＲＣ＿ＩＤＬＥでは生じ得ない。ＲＲＣ＿ＩＤＬＥにおけるＵＥは、ページングチャネルを監視し、着信コールおよびシステム情報への変化を検出する。断続受信（ＤＲＸ）が、ＵＥ電力を節約するために使用される。ＲＲＣ＿ＣＯＮＮＥＣＴＥＤに移行すると、ＲＲＣコンテキストは、ＲＡＮおよびＵＥの両方において確立される必要がある。
【０００５】
図２は、Ｅ−ＵＴＲＡＮ、ＵＴＲＡＮ、およびＧＥＲＡＮ間のモビリティサポートの例証とともに、Ｅ−ＵＴＲＡにおけるＲＲＣ状態の概要を提供する。
【０００６】
（ＵＥのモビリティ状態（３ＧＰＰ  ＴＳ３６．３０４  Ｕｓｅｒ  Ｅｑｕｉｐｍｅｎｔ（ＵＥ）Ｐｒｏｃｅｄｕｒｅｓ  ｉｎ  Ｉｄｌｅ  Ｍｏｄｅ（Ｒｅｌｅａｓｅ  １３），Ｖ１３．０．０））：通常モビリティ状態以外に、高モビリティおよび中モビリティ状態が、パラメータ（ＴＣＲｍａｘ、ＮＣＲ＿Ｈ、ＮＣＲ＿Ｍ、およびＴＣＲｍａｘＨｙｓｔ）がサービングセルのシステム情報ブロードキャストにおいて送信される場合、適用可能である。注記：これらの状態は、ＲＲＣ＿ＩＤＬＥ状態におけるモビリティに関連するサブ状態と見なされるべきである。ＮＣＲ＿Ｍは、中モビリティ状態に入るためのセル再選択の最大数を規定する。ＮＣＲ＿Ｈは、高モビリティ状態に入るためのセル再選択の最大数を規定する。ＴＣＲｍａｘは、セル再選択の許容量を評価するための持続時間を規定する。ＴＣＲｍａｘＨｙｓｔは、ＵＥが通常モビリティ状態に入り得る前の追加の期間を規定する。
【０００７】
状態検出基準は、中モビリティ状態基準または高モビリティ状態基準を含む。中モビリティ状態基準：期間ＴＣＲｍａｘの間のセル再選択の数がＮＣＲ＿Ｍを超え、ＮＣＲ＿Ｈを超えない場合。高モビリティ状態基準：期間ＴＣＲｍａｘの間のセル再選択の数がＮＣＲ＿Ｈを超える場合。ＵＥは、同一セルが１つの他の再選択の直後に再選択される場合、同一の２つのセル間の連続再選択をモビリティ状態検出基準に考慮しないものとする。
【０００８】
状態遷移：ＵＥは、以下であるものとする。１）高モビリティ状態のための基準が検出される場合：高モビリティ状態に入る。２）中モビリティ状態のための基準が検出される場合：中モビリティ状態に入る。３）中または高モビリティ状態のいずれのための基準も、期間ＴＣＲｍａｘＨｙｓｔの間に検出されない場合：通常モビリティ状態に入る。
【０００９】
（ＮＡＳプロトコル）：ＬＴＥのためのＮＡＳプロトコルの詳細は、３ＧＰＰ  ＴＳ２３．４０１  Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ａｃｃｅｓｓ（Ｒｅｌｅａｓｅ  １３），Ｖ１３．６．１  ａｎｄ  ３ＧＰＰ  ＴＳ２４．３０２  Ａｃｃｅｓｓ  ｔｏ  ｔｈｅ  ３ＧＰＰ  Ｅｖｏｌｖｅｄ  Ｐａｃｋｅ  ｔＣｏｒｅ（ＥＰＣ）ｖｉａ  ｎｏｎ−３ＧＰＰ  ａｃｃｅｓｓ  ｎｅｔｗｏｒｋｓ；Ｓｔａｇｅ  ３（Ｒｅｌｅａｓｅ  １３），Ｖ１３．５．０に説明される。概要は、以下に提供される。
【００１０】
非アクセス層（ＮＡＳ）は、参照点Ｕｕを経由して、無線インターフェースにおいてＵＥとＭＭＥとの間の制御プレーンの最高層を形成する。ＮＡＳの一部である、プロトコルの主要機能は、以下である。
ユーザ機器（ＵＥ）のモビリティのサポート
ＵＥとパケットデータネットワークゲートウェイ（ＰＤＮ  ＧＷ）との間のＩＰ接続性を確立および維持するためのセッション管理プロシージャのサポート
【００１１】
したがって、ＮＡＳは、ＵＥと、例えば、コアネットワーク（ＣＮ）内のモバイル管理エンティティ（ＭＭＥ）との間の直接シグナリングトランスポート上で搬送される、２つの別個のプロトコルから成る。ＮＡＳ層プロトコルのコンテンツは、無線アクセスネットワーク（ＲＡＮ）ノード（例えば、ｅＮｏｄｅＢ）に不可視であって、ＲＡＮノードは、メッセージをトランスポートすることと、ある場合、メッセージとともにいくつかの追加のトランスポート層指示を提供すること以外、任意の他の手段によって、これらのトランザクションに関与しない。ＮＡＳ層プロトコルは、ＥＰＳモビリティ管理（ＥＭＭ）と、ＥＰＳセッション管理（ＥＳＭ）とを含む。
【００１２】
ＥＰＳモビリティ管理（ＥＭＭ）：ＥＭＭプロトコルは、システム内のＵＥモビリティをハンドリングすることに責任がある。これは、ネットワークにアタッチし、そこからデタッチし、それらの間の場所更新を実施するための機能を含む。これは、追跡エリア更新（ＴＡＵ）と呼ばれ、アイドルモードで発生する。接続モードにおけるハンドオーバは、下位層プロトコルによってハンドリングされるが、ＥＭＭ層は、アイドルモードからＵＥを再アクティブ化するための機能を含むことに留意されたい。ＵＥ開始ケースは、サービス要求と呼ばれる一方、ページングは、ネットワーク開始ケースを表す。ＵＥ識別を認証および保護する、すなわち、一時識別である、グローバル一意一時ＵＥ識別ＧＵＴＩをＵＥに配分することも、ＮＡＳ層セキュリティ機能の制御、暗号化、および完全性保護と同様に、ＥＭＭ層の一部である。ＥＭＭプロシージャの例は、アタッチプロシージャ（登録のため）、デタッチプロシージャ、サービス要求プロシージャ、追跡エリア更新プロシージャ、接続一時停止、接続再開プロシージャ、およびＵＥ到達可能性プロシージャを含む。ＮＡＳセキュリティは、サービス、例えば、ＮＡＳシグナリングメッセージの完全性保護および暗号化をＮＡＳプロトコルに提供する、ＮＡＳの追加の機能である。
【００１３】
ＥＰＳセッション管理（ＥＳＭ）：このプロトコルは、ＵＥとＭＭＥとの間のベアラ管理をハンドリングするために使用され得、加えて、Ｅ−ＵＴＲＡＮベアラ管理プロシージャのためにも使用される。その意図は、ネットワーク内でベアラコンテキストがすでに利用可能であって、Ｅ−ＵＴＲＡＮプロシージャがすぐに起動されることができる場合、ＥＳＭプロシージャを使用しないことであることに留意されたい。これは、例えば、ＵＥが、ネットワーク内でオペレータ関連用途機能を用いてすでにシグナリングされており、関連情報が、ＰＣＲＦを通して利用可能になっている場合であろう。
【００１４】
全体的進化型パケットシステム制御プレーンプロトコルスタックは、図３に描写される。
【００１５】
（ＥＰＳモビリティ管理およびＥＰＳセッション管理のためのプロトコル間のリンク）：ＥＰＳアタッチプロシージャの間、ネットワークは、デフォルトＥＰＳベアラコンテキストをアクティブ化することができる（すなわち、ＵＥがアタッチ要求内でＰＤＮ接続性を要求する場合）。加えて、ネットワークは、ＩＰ  ＰＤＮタイプのＰＤＮ接続のために、並行して１つまたはいくつかの専用ＥＰＳベアラコンテキストをアクティブ化することができる。この目的のために、デフォルトＥＰＳベアラコンテキストアクティブ化のためのＥＰＳセッション管理メッセージは、ＥＰＳモビリティ管理メッセージ内の情報要素の中で伝送される。この場合、ＵＥおよびネットワークは、アタッチプロシージャ、デフォルトＥＰＳベアラコンテキストアクティブ化プロシージャ、および専用ＥＰＳベアラコンテキストアクティブ化プロシージャを並行して実行する。ＵＥおよびネットワークは、専用ＥＰＳベアラコンテキストアクティブ化プロシージャが完了される前に、組み合わせられたデフォルトＥＰＳベアラコンテキストアクティブ化プロシージャおよびアタッチプロシージャを完了するものとする。アタッチプロシージャの成功は、デフォルトＥＰＳベアラコンテキストアクティブ化プロシージャの成功に依存する。アタッチプロシージャが失敗する場合、ＥＳＭプロシージャも、失敗する。アタッチプロシージャおよびサービス要求プロシージャを除き、ＥＭＭプロシージャの間、ＭＭＥは、ＥＳＭメッセージの伝送を一時停止するものとする。サービス要求プロシージャの間、ＭＭＥは、ＥＳＭメッセージの伝送を一時停止し得る。アタッチプロシージャを除き、ＥＭＭプロシージャの間、ＵＥは、ＥＳＭメッセージの伝送を一時停止するものとする。
【００１６】
（ＮＡＳプロトコル状態）：ＵＥにおけるＥＭＭサブ層の主要な状態は、図４に図示される。ＭＭＥにおけるｅＭＭサブ層状態は、図５に図示される。ＵＥにおけるＥＳＭサブ層状態は、図６に示される。ＭＭＥにおけるＥＳＭサブ層状態は、図７に示される。
【００１７】
（セル選択および再選択）：ＲＲＣ＿ＩＤＥＬＥにおけるＵＥによって実施されるセル選択および再選択プロシージャは、３ＧＰＰ  ＴＳ３６．３０４の第５．２節に説明される。図８は、ＲＲＣ＿ＩＤＥＬＥにおけるＵＥによって実施されるセル選択および再選択処理を図示する大まかなフローチャートである。プロシージャは、新しいＰＬＭＮが選択されると常に、またはＲＲＣ＿ＣＯＮＮＥＣＴＥＤから離れたことに応じて、好適なセルが見出されることができない場合、始められることができる。セルが選択された後、ＵＥは、セルにキャンプし、ＵＥが好適なセルまたは容認可能なセルにキャンプしているかどうかに応じて、それぞれ、３ＧＰＰ  ＴＳ３６．３０４の第５．２．６節または第５．２．９節に定義されたタスクを実施する。セルにキャンプされると、ＵＥは、３ＧＰＰ  ＴＳ３６．３０４の第５．２．３．２節に定義されるようなセル再選択基準に従って、より良好なセルを定期的に検索するものとする。
【００１８】
セル再選択評価プロセスが、内部ＵＥ５０２トリガに従って、またはセル再選択評価プロシージャのために使用されるＢＣＣＨに関する情報が修正されると、実施される。セルの再選択に応じて、ＲＲＣ＿ＩＤＥＬＥにおけるＵＥは、３ＧＰＰ  ＴＳ３６．３３１の第５．２．３節に定義されるようなシステム情報入手プロシージャを適用し、新しいサービングセルに関する以下のシステム情報を取得するように要求される。
【００１９】
（ＩＭＴ２０２０）：２０２０年および以降のためのＩＭＴは、現在のＩＭＴ以上に続くであろう多様な一連の使用シナリオおよび用途を拡張およびサポートすることを想定している。さらに、多種多様な能力が、２０２０年および以降のＩＭＴのためのこれらの意図される異なる使用シナリオおよび用途と密接に結び付けられるであろう。２０２０年および以降のＩＭＴのための一連の使用シナリオは、例えば、ｅＭＢＢ、ＵＲＬＬＣ、ｍＭＴＣ、およびＮＥＯを含む。
【００２０】
ｅＭＢＢ（拡張モバイルブロードバンド）
・  マクロおよびスモールセル
・  １ｍｓ待ち時間（エアインターフェース）
・  ＷＲＣ−１５において配分されるスペクトルは、最大８Ｇｂｐｓの追加のスループットにつながり得る
・  高モビリティのためのサポート
【００２１】
ＵＲＬＬＣ（超信頼性があって、低待ち時間の通信）
・  低から中のデータレート（５０ｋｂｐｓ〜１０Ｍｂｐｓ）
・  ＜１ｍｓエアインターフェース待ち時間
・  ９．９９９％の信頼性および可用性
・  低接続確立待ち時間
・  ０−５００ｋｍ／時モビリティ
【００２２】
ｍＭＴＣ（大量マシンタイプ通信）
・  低データレート（１〜１００ｋｂｐｓ）
・  高デバイス密度（最大２００，０００／ｋｍ２）
・  待ち時間：数秒〜数時間
・  低電力：最大１５年バッテリ自律性
・  非同期アクセス
【００２３】
ネットワーク動作（ＮＥＯ）は、ネットワークスライシング、ルーティング、移行およびインターワーキング、エネルギー節約等の主題に対処する。
【００２４】
以下の展開シナリオは、主に、ｅＭＢＢのために検討されている（３ＧＰＰ  ＴＲ  ３８．９１３  Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ；（Ｒｅｌｅａｓｅ１４），Ｖ０．２．０参照）。ｍＭＴＣおよびＵＲＬＬＣのための展開シナリオは、依然として、研究対象であるが、しかしながら、以下のｅＭＢＢ展開シナリオはまた、ｍＭＴＣおよびＵＲＬＬＣにも適用可能である可能性が高い。以下の５つの展開シナリオ、すなわち、屋内ホットスポット、高密度都市、地方、都市マクロ、および高速が、ｅＭＢＢのために考慮されている。
【００２５】
屋内ホットスポット：この展開シナリオは、サービス拠点／ＴＲＰ（伝送および受信点）あたりの小カバレッジと、建物内の高ユーザスループットまたはユーザ密度とに焦点を当てる。この展開シナリオの重要な特性は、屋内での高容量、高ユーザ密度、および一貫したユーザ体験である。
【００２６】
高密度都市：高密度都市マイクロセルラー展開シナリオは、マイクロＴＲＰの有無を問わないマクロＴＲＰと、都心および高密度都市エリアにおける高ユーザ密度およびトラフィック負荷とに焦点を当てる。この展開シナリオの重要な特性は、高トラフィック負荷、屋外、および屋外／屋内カバレッジである。
【００２７】
地方：この展開シナリオは、より大きく、かつ連続的カバレッジに焦点を当てる。この展開シナリオの重要な特性は、高速車両をサポートする、連続的広域カバレッジである。
【００２８】
都市マクロ：都市マクロ展開シナリオは、ラージセルおよび連続カバレッジに焦点を当てる。この展開シナリオの重要な特性は、都市エリアにおける連続的、かつ普遍的カバレッジである。
【００２９】
高速：２０２０年以降、車両、電車、およびさらに航空機におけるモバイルサービスに関して、需要が高まるであろう。いくつかのサービスは、既存のもの（ナビゲーション、エンターテインメント等）の自然な進化であるが、他のいくつかは、商業用航空機上のブロードバンド通信サービス（例えば、機内ハブによって）等の完全に新しいシナリオを表す。要求されるモビリティの程度は、５００ｋｍ／時を上回る速度を伴う具体的ユースケースに依存するであろう。
【００３０】
加えて、以下の展開シナリオ、すなわち、大量接続のための都市カバレッジは、ｍＭＴＣユースケースのために具体的に識別されている。大量接続のための都市カバレッジ：大量接続シナリオのための都市カバレッジは、ｍＭＴＣを提供するためのラージセルおよび連続的カバレッジに焦点を当てる。このシナリオのための重要な特性は、非常に高接続密度のｍＭＴＣデバイスを伴う都市エリアにおける連続的かつ普遍的カバレッジである。この展開シナリオは、接続密度のＫＰＩの評価のためものものである。
【００３１】
さらに、以下の展開シナリオは、ＵＲ／ＬＬユースケース：コネクテッドカーのための幹線道路シナリオおよび都市グリッドのために識別されている。幹線道路シナリオ：幹線道路展開シナリオは、高速を伴う幹線道路内に置かれた車両のシナリオに焦点を当てる。このシナリオ下で評価される主要ＫＰＩは、高速／モビリティ（したがって、高頻度ハンドオーバ動作）下で信頼性／可用性となるであろう。
【００３２】
接続された車のための都市グリッド：都市マクロ展開シナリオは、都市エリア内に置かれた超高密度に展開された車両のシナリオに焦点を当てる。これは、高速道路が都市グリッドを通して広がる、シナリオを網羅し得る。このシナリオ下で評価される主要ＫＰＩは、高ネットワーク負荷および高ＵＥ密度シナリオにおける信頼性／可用性／待ち時間である。
【００３３】
（ｍＭＴＣの例）：第１の例−ライトウェイトデバイス：例えば、ＩＭＳクライアントを伴わない、非常に単純なデバイス（３ＧＰＰ  ＴＲ  ２２．８６１の第５．１．２．１節）であって、デバイスは、例えば、スマート電気メータであり得る。これは、電気使用量を記録し、顧客が時刻あたりの見積額を利用することを可能にする、最新の使用量報告を提供し、１ヶ月に一回、より大きい完全な報告を電気会社に提供する。電気会社は、アパート毎に１つ、アパート内に多数のこれらのスマートメータを展開する。
【００３４】
第２の例−可変データサイズを伴うビデオ監視−ここでの用途は、可変データサイズを伴うビデオ監視である（３ＧＰＰ  ＴＲ  ２２．８６１の第５．１．２．２節）。ビデオレコーダが、街角にインストールおよびアクティブ化される。ビデオレコーダは、カメラ、あるオンボード処理能力、ならびに情報を交通警察に送信する能力を含む。カメラは、連続ビデオを記録し、コンテンツを一定期間にわたって記憶する。デバイスは、周期的に、ステータス更新を交通警察に送信し、交通がスムーズに進行していることを示す。
【００３５】
事故が交差点で発生すると、デバイスは、事故およびその後の交通渋滞の高品質ビデオを交通警察に送信することを開始する。
【００３６】
注記：ネットワークは、小または大量のデータが所与の伝送において送信されるかどうかにかかわらず、効率的サービスをデバイスに提供するために、常時、フレキシビリティを必要とするであろう。効率的システムは、デバイスのためのバッテリ寿命に対する任意の悪影響を最小限にし、シグナリングリソースの使用を最小限にし得る。同一デバイスは、大量のデータ（例えば、ビデオ）を伝送する必要があるとき、接続を確立する必要があるであろう。
【００３７】
第３の例−倉庫用途（３ＧＰＰ  ＴＲ  ２２．８６１Ｆｅａｓｉｂｉｌｉｔｙ  Ｓｔｕｄｙ  ｏｎ  Ｎｅｗ  Ｓｅｒｖｉｃｅｓ  ａｎｄ  Ｍａｒｋｅｔｓ  Ｔｅｃｈｎｏｌｏｇｙ  Ｅｎａｂｌｅｒｓ  ｆｏｒ  Ｍａｓｓｉｖｅ  Ｉｎｔｅｒｎｅｔ  ｏｆ  Ｔｈｉｎｇｓの第５．２．３．１節；Ｓｔａｇｅ１（Ｒｅｌｅａｓｅ１４），Ｖ１．０．０）：この用途では、カバレッジエリアは、限定される。最も可能性が高いものとして、所与の展開におけるＩｏＴデバイスは、同一エンティティデバイスによって所有され、非常に単純な限定された機能のデバイスから非常に複雑かつ高度なコンピューティングプラットフォームまで及ぶであろう。デバイス機能範囲のよりローエンドでは、全てのそのようなデバイスが、ＩＭＳを使用しなくてもよく、ＩＭＳクライアントを装備する必要がない場合があるが、依然として、センサ展開構成に起因して、そのようなデバイスを遠隔でアクティブ化することが望ましいであろう。
【００３８】
（ＵＲ／ＬＬ用途の例）：第１の例−産業プロセス制御（３ＧＰＰ  ＴＲ  ２２．８６２の第５．１．２．２節）。プロセス自動化は、産業プラント内の現場レベルでの監督および開ループ制御用途のための通信、プロセス監視、および追跡動作を要求する。図９に描写されるように、プラントにわたって分散される多数のセンサ（約１０，０００）が、周期的に、またはイベント駆動ベースで、測定データをプロセスコントローラに転送する。ユースケースは、プラントあたり多数のセンサデバイス（１０，０００）のサポートならびに高度に信頼性のあるトランスポート（パケット損失率＜１０−５）を要求する。さらに、電力消費は、大部分のセンサデバイスが、数秒毎に測定更新を提供しながら、数年の標的バッテリ寿命を伴う、バッテリで給電されるため、重要である。典型的プロセス制御用途は、個々のトランザクションから成る、プロセスコントローラとセンサ／アクチュエータとの間のダウンストリームおよびアップストリームフローをサポートする。プロセスコントローラは、プラントネットワーク内に常駐する。本ネットワークは、基地局を介して、センサ／アクチュエータデバイスをホストする、無線（メッシュ）ネットワークに相互接続する。典型的には、各トランザクションは、１００バイト未満を使用する。コントローラおよびセンサ／アクチュエータ開始サービスフローの両方に関して、アップストリームおよびダウンストリームトランザクションは、通常、非同期的に生じる。
【００３９】
第２の例−ローカルＵＡＶ連携および接続性（３ＧＰＰ  ＴＲ  ２２．８６２の第５．１．２．４節）−無人航空機（ＵＡＶ）は、図１０に図示されるように、単一ユーザによって制御されている間、連携し、モバイルセンサおよびアクチュエータネットワークとして作用し、不確かかつ動的環境においてタスクを実行することができる。感知タスクにおける正確度は、複数のセンサを使用して、複数の観点が存在するため、１つのみの場合と比較して、ＵＡＶのチームを展開するとき、増加される。侵入者または容疑者の捜索、自然災害の継続的監視、自律的マッピングの実施、オブジェクトの連携操作（例えば、網の角を持ち上げる）を含む、ＵＡＶのチームを展開するための使用の例は、ＵＡＶローカル車両連携および接続性において通信がどのように生じるのかを描写する。ノード間およびＵＡＶとモバイルネットワーク間の両方のリンクが、要求される。
【００４０】
（ｅＭＢＢ用途の例）：第１の例−高データレート用途を伴うオフィスシナリオ（３ＧＰＰ  ＴＲ  ２２．８６３の第５．１．２節）−高データレートニーズを伴うオフィスシナリオでは、ユーザは、リアルタイムビデオ会議を使用し、データを企業のサーバに頻繁にアップロードし、そこからダウンロードし、それらは、種々のサイズである。生産性は、システム応答時間および信頼性の効率に依存する。時刻（例えば、朝、夕方、平日対週末等）および場所（例えば、ショッピングモール、繁華街通り）に応じて、ユーザは、インターネットならびにＤ２Ｄ通信へのマルチメディアトラフィックアップロードおよびダウンロードを期待する。
【００４１】
第２の例−より高い密度の接続を伴うオフィスシナリオ（３ＧＰＰ  ＴＲ  ２２．８６２の第５．２．１節）：−本部類は、エリアあたり大量のデータトラフィック（トラフィック密度）のトランスポートまたは多数の接続（接続密度）のためのデータのトランスポートに関するシステム要件を伴うシナリオを網羅する。１つの典型的シナリオは、エンドユーザが、屋内または屋外下や、高密度に密集しているが、高モビリティニーズを伴わない（すなわち、都市車両内での最大６０ｋｍ／時）エリア内に存在し得る間、ユーザが、非常に大量のデータをサーバにアップロードし、そこからダウンロードすることを可能にし、高分解能リアルタイムビデオ会議等をハンドリングする。高ユーザ密度を伴うホットスポットシナリオでは、時刻（例えば、朝、夕方、平日対週末等）および場所（例えば、ショッピングモール、繁華街通り、スタジアム内の歩行者、高密度都心におけるバス内のユーザ）に応じて、インターネットへの大量かつ高容量のマルチメディアトラフィックアップロードおよびダウンロードが、存在し得る。ユーザは、屋内または屋外のいずれかに存在し得る。一方、ユーザが屋内に居るとき、静止または非定常のいずれかである。しかしながら、ユーザが屋外に居るとき、最大６０ｋｍ／時でゆっくりと進行し得る。モバイルブロードバンドシナリオは、端末が高トラフィック密度を伴うエリアに入るときでも提供されるべきである。
【００４２】
（５Ｇ要件）：３ＧＰＰ  ＴＲ  ３８．９１３は、次世代（５Ｇ）アクセス技術のためのシナリオおよび要件を定義する。以下は、ライトシグナリング接続トピックに関連する新しい要件を課す、３ＧＰＰ  ＴＲ  ３８．９１３の重要な性能インジケータ（ＫＰＩ）の節の抜粋である。
【００４３】
７．１７接続密度および潜在的シグナリング急発を縮小させる必要性
接続密度は、単位エリアあたり（ｋｍ２あたり）の具体的ＱｏＳを満たす、デバイスの総数を指す。ＱｏＳ定義は、ｘ％確率を伴って、所与の時間ｔ＿ｓｅｎｄｒｘ内に送信または受信され得る、時間ｔ＿ｇｅｎ内に生成されたデータまたはアクセス要求の量を考慮すべきである。接続密度に関する標的は、都市環境では、１，０００，０００デバイス／ｋｍ２であるべきである。３ＧＰＰは、所望の接続密度を達成するための高接続効率（単位周波数リソースあたりのＴＲＰあたりのデバイスのサポートされる数として測定される）を用いた規格を開発すべきである。
【００４４】
７．４制御プレーン待ち時間：制御プレーン待ち時間は、バッテリ効率的状態（例えば、ＩＤＬＥ）から連続データ転送の開始（例えば、ＡＣＴＩＶＥ）に移行する時間を指す。制御プレーン待ち時間に関する標的は、［１０ｍｓ］であるべきである。
【００４５】
７．１１ＵＥバッテリ寿命：ＵＥバッテリ寿命は、再充電を伴わないＵＥのバッテリ寿命によって評価されることができる。ｍＭＴＣに関して、極限カバレッジにおけるＵＥバッテリ寿命は、［５Ｗｈ］の貯蔵エネルギー容量と仮定して、１日あたり［２００バイト］ＵＬ後、［ｔｂｄ］ｄＢのＭＣＬからの［２０バイト］ＤＬが続く、モバイル発信データ転送のアクティビティに基づくものとする。ＵＥバッテリ寿命に関する標的は、［１０年］であるべきである。
【００４６】
７．１９ネットワークエネルギー効率：本能力は、はるかにより良好なエリアトラフィック容量を提供しながら、ＲＡＮエネルギー消費を最小限にするためのものである。ベースラインとしての定質的ＫＰＩおよび定質的ＫＰＩは、ＦＦＳである。
【００４７】
７．１ピークデータレート：ピークデータレートは、対応するリンク方向のための全ての割当可能無線リソースが利用される（すなわち、物理層同期、基準信号またはパイロット、保護バンド、および保護時間のために使用される、無線リソースを除外する）とき、単一移動局に割当可能なエラーフリー状態と仮定して受信されるデータビットである、最高理論データレートである。ピークデータレートに関する標的は、ダウンリンクに関しては［２０Ｇｂｐｓ］、アップリンクに関しては［１０Ｇｂｐｓ］であるべきである。
【００４８】
（ネットワークスライシング）：図１１は、ネットワークスライシングの概念の大まかな例証を提供する。ネットワークスライスは、特定のユースケースの通信サービス要件をサポートする、論理ネットワーク機能の集合から成る。これは、例えば、サブスクリプションまたは端末タイプに基づいて、オペレータまたはユーザの必要性を満たす、選択されたスライスに端末をダイレクトすることが可能である。ネットワークスライシングは、主に、コアネットワークのパーティションを標的とするが、無線アクセスネットワーク（ＲＡＮ）が、複数のスライスまたはさらに異なるネットワークスライスのためのリソースのパーティション化をサポートするための具体的機能性を必要とし得ることも除外されない。３ＧＰＰ  ＴＲ  ２２．８９１  Ｆｅａｓｉｂｉｌｉｔｙ  Ｓｔｕｄｙ  ｏｎ  Ｎｅｗ  Ｓｅｒｖｉｃｅｓ  ａｎｄ  Ｍａｒｋｅｔｓ  Ｔｅｃｈｎｏｌｏｇｙ  Ｅｎａｂｌｅｒｓ（ＳＭＡＲＴＥＲ）；Ｓｔａｇｅ１（Ｒｅｌｅａｓｅ  １４）Ｖ−１．１．０（例）を参照されたい。
【００４９】
潜在的ネットワークスライシングサービス要件は、３ＧＰＰ  ＴＲ  ２２．８９１に定義される。１）３ＧＰＰシステムは、オペレータが、例えば、複数の企業またはモバイル仮想ネットワークオペレータ（ＭＶＮＯ）等をホストするために、ネットワークスライス、すなわち、独立セットのネットワーク機能（例えば、潜在的に、異なるベンダ）およびパラメータ構成を構成することを可能にするものとする。２）オペレータは、ネットワークスライスを動的に作成し、異なる多様な市場シナリオをサポートするためにカスタマイズされる完全に自律的かつ完全に動作可能なネットワークを形成することを可能であるものとする。３）３ＧＰＰシステムは、特定のネットワークスライスに関連付けられるべきあるＵＥおよびサブスクライバを識別することを可能であるものとする。４）３ＧＰＰシステムは、ＵＥが、例えば、サブスクリプションまたはＵＥタイプに基づいて、具体的ネットワークスライスからサービスを取得することを可能にすることを可能であるものとする。
【００５０】
３ＧＰＰ  ＴＲ  ２２．８９１に定義される潜在的ネットワークスライシング動作要件は、以下を含む。
・  オペレータは、異なる市場シナリオのために要求される基準を満たす、ネットワークスライスを作成および管理することが可能であるものとする。
・  オペレータは、例えば、１つのスライスにおけるデータ通信が、他のスライスにおけるサービスに悪影響を及ぼさないように防止する隔離を伴って、異なるネットワークスライスを並行して動作させることが可能であるものとする。
・  ３ＧＰＰシステムは、ネットワーク全体ではなく、単一ネットワークスライスにおけるサービス特有のセキュリティ保証要件に準拠する能力を有するものとする。
・  ３ＧＰＰシステムは、潜在的サイバー攻撃を単一ネットワークスライスに閉じ込めるレベルの隔離をネットワークスライス間に提供する能力を有するものとする。
・  オペレータは、第三者が、ネットワークオペレータによって設定された限界内において、好適な用途プログラムインターフェース（ＡＰＩ）を介して、ネットワークスライス構成（例えば、スケールスライス）を作成、管理する権限を付与可能であるものとする。
・  ３ＧＰＰシステムは、本スライスまたは他のスライスのサービスに影響を及ぼすことなく、容量の観点からネットワークスライスの柔軟性をサポートするものとする。
・  ３ＧＰＰシステムは、他のスライスによってサーブされる継続中のサブスクライバのサービス、すなわち、新しいネットワークスライス追加、既存のネットワークスライスの除去、またはネットワークスライス機能もしくは構成の更新に最小限の影響を伴って、スライスを変化させることが可能であるものとする。
・  ３ＧＰＰシステムは、エンドツーエンド（Ｅ２Ｅ）、例えば、ネットワークスライスのためのＲＡＮ、コアネットワーク（ＣＮ）、リソース管理をサポートすることが可能であるものとする。
【００５１】
（スモールデータ伝送のための提案）：ＲＲＣ非アクティブおよびＲＲＣ接続状態は、図１２に示されるように、Ｓ２−１６１３２３に提案されている。Ｓ２−１６１３２４では、モビリティフレームワークは、図１３に図示されるように提案された。
【００５２】
（要件対現在の最新技術）：ＬＴＥ（Ｒｅｌ−１２）のための現在の設計は、少量のデータが伝送され得る、ＲＲＣ−ＣＯＮＮＥＣＴＥＤ状態への遷移の観点から、または高頻度少量のデータを生成する多数のデバイスをサポートするためのスケーラビリティの観点から、効率的ではない。高頻度小バースト伝送に関して、デバイスは、数分毎に、ウェイクアップし、データを送信する。通常プロシージャに関して、ＵＥは、ＲＡＣＨプロシージャに従い、続いて、シグナリング無線ベアラ（ＲＲＣ接続確立プロシージャを通して）およびデータ無線ベアラ（ＲＲＣ接続再構成プロシージャを通して）を確立する必要があり得る。図１４における全体的レガシプロシージャに図示されるように、シグナリングオーバーヘッドは、少量のデータのみがアップリンクにおいて伝送されることを考慮すると、実質的である。本状況は、５Ｇシステムの多様なユースケースおよびトラフィックプロファイルに照らして、最悪であることが予期される。
【００５３】
３ＧＰＰ  ＴＲ  ２３．７２０に取り込まれたようなＲｅｌ−１３研究項目において識別された１つの重要な問題は、セルラーＩｏＴのための低頻度スモールデータ伝送のサポートである。本重要な問題は、ＣＩｏＴデバイスと呼ばれる、超低複雑度であって、電力が制約され、かつ低データレートの「モノのインターネット」デバイスのための低頻度スモールデータ伝送の高度に効率的ハンドリングをサポートするためのソリューションを提供することを目的とする。５Ｇシステムでは、そのようなデバイスの数は、指数関数的に増加するであろうが、デバイスあたりおよびデータ伝送イベントあたりのデータサイズは、小さいままであろうことが予期される。ＭＴＣ用途のための低頻度スモールデータトラフィック特性（３ＧＰＰ  ＴＲ  ４５．８２０  Ｃｅｌｌｕｌａｒ  ｓｙｓｔｅｍ  ｓｕｐｐｏｒｔ  ｆｏｒ  ｕｌｔｒａ−ｌｏｗ  ｃｏｍｐｌｅｘｉｔｙ  ａｎｄ  ｌｏｗ  ｔｈｒｏｕｇｈｐｕｔ  Ｉｎｔｅｒｎｅｔ  ｏｆ  Ｔｈｉｎｇｓ（ＣＩｏＴ）（Ｒｅｌｅａｓｅ  １３），Ｖ１３．１．０の付属に説明されるように）は、３ＧＰＰシステムにおけるリソースの非効率的使用につながり得る。３ＧＰＰ  ＴＲ  ２３．７２０  Ｓｔｕｄｙ  ｏｎ  ａｒｃｈｉｔｅｃｔｕｒｅ  ｅｎｈａｎｃｅｍｅｎｔｓ  ｆｏｒ  Ｃｅｌｌｕｌａｒ  Ｉｎｔｅｒｎｅｔ  ｏｆ  Ｔｈｉｎｇｓ，  Ｖ１３．０．０において識別された別の重要な問題は、セルラーＩｏＴのためのスモールデータ伝送を使用する、追跡デバイスの効率的サポートを提供することである。本重要な問題は、ＣＩｏＴデバイスと呼ばれる、超低複雑度であって、電力が制約され、かつ低データレートの「モノのインターネット」デバイスのためのスモールデータ伝送を使用する、追跡デバイスの高度に効率的ハンドリングをサポートするためのソリューションを提供することを目的とする。過剰なシグナリングも、追加の待ち時間および追加の電力消費につながるであろうことに留意されたい。
【００５４】
Ｒｅｌ−１３  ＬＴＥは、スモールデータ伝送のためのシグナリングオーバーヘッドをさらに縮小させるための２つのソリューションを規定している。制御プレーン（ＣＰ）ソリューションと呼ばれる、１つのソリューション（３ＧＰＰ  ＴＲ  ２３．７２０におけるソリューション２）は、ＮＡＳプロトコルデータユニット（ＰＤＵ）としてユーザデータをＵＥとコアネットワークとの間で転送する。第２のソリューション（３ＧＰＰ  ＴＲ  ２３．７２０におけるソリューション１８）は、ＲＲＣ接続が、一時停止され、後の時間に再開されることを可能にし、すなわち、ＩＤＬＥからＣＯＮＮＥＣＴＥＤ状態への遷移のための完全シグナリングプロシージャを通して移行する必要性を最小限にする。本ソリューションは、通常ＬＴＥ  ＵＥおよびＩＯＴ  ＵＥの両方に適用可能であって、ＵＥがＩＤＬＥから戻るとき、大抵の場合、ＵＥがＲＲＣコンテキストを記憶しているノードにおいて戻ると仮定して、ＩＤＬＥ状態の拡張に基づいて、ＲＲＣ接続を再開し、再び設定する必要性を回避することを可能にする。本プロシージャは、図１５および図１６に図示される。
【００５５】
リリース１３ソリューションは、依然として、多くの短所を伴って、準最適である。
・  ＲＲＣ接続が一時停止された後、
ｏ  ＵＥは、ＮＡＳ  ＥＭＣ−ＩＤＬＥ状態に遷移し、したがって、もはやＮＡＳシグナリング接続を有していない。Ｓ１接続も、解放される。これは、ＲＲＣ接続の再開時、無線アクセスネットワーク（ＲＡＮ）とコアネットワーク（ＣＮ）との間ならびにＣＮ内（例えば、ＭＭＥとＳＧＷとの間およびＳＧＷとＰＧＷとの間）の両方における無線を経由したシグナリングオーバーヘッドを意味する。
ｏ  ＵＥはまた、ＲＲＣ−ＩＤＬＥ状態に遷移し、ＲＲＣ接続が再開される前に、完全ランダムアクセスプロシージャの実行が、仮定される。依然として、ＲＲＣ接続を再開するために、ｅＮＢとのＲＲＣ接続再開／ＲＲＣ接続再開完了メッセージが交換される必要がある。
ｏ  部分的アクセス層（ＡＳ）コンテキストのみが、記憶され、これは、ＲＲＣが再開された後、追加のシグナリングオーバーヘッドにＵＥを再構成させるであろう。
ｏ  ｅＮＢにおけるＡＳコンテキストの記憶およびコアネットワーク（ＭＭＥ、ＳＧＷ、およびＰＧＷ）における非アクセス層コンテキストの記憶は、無線アクセスネットワークおよびコアネットワークの両方上の記憶容量の増加を含意する。平方キロメートルあたり百万ｍＭＴＣデバイスの予期される密度では、コアネットワークノード（例えば、ＭＭＥ）あたりおよびセルあたりの一時停止されたＲＲＣ−ＣＯＮＮＥＣＴＥＤ状態におけるデバイスの数は、オペレータのための非無視可能な設備投資および運用維持費展開コストが存在するため、セルおよびコアネットワークノードの高密度展開が仮定される場合でも、５Ｇシステムでは、既存のＬＴＥシステムと比較して、膨大となり得ることが予期される。主に、ネットワーク内の多数のデバイスのコンテキスト記憶に依拠する、ソリューションは、５Ｇシステムのコンテキストでは、コスト効率的ではない場合がある。
ｏ  モビリティのためのサポートは、限定される、すなわち、ＵＥコンテキスト読出は、ソースｅＮＢと標的ｅＮＢとの間のＸ２インターフェース利用可能な場合のみ可能である。Ｘ２インターフェースが利用可能ではない場合、シグナリング無線ベアラ（ＳＲＢ）およびデータ無線ベアラ（ＤＲＢ）は、レガシプロシージャを使用して、再確立されなければならない。さらに、ソースｅＮＢ内およびさらにコアネットワークノード内に記憶されたコンテキストは、ある独自の実装手段を通してクリアされる必要があるであろう。
・最初のアクセスまたはＵＥが記憶されたコンテキストを有していない任意の時間に関して、レガシＲＲＣ接続確立プロシージャ（要求／応答）が使用されることが仮定される。また、レガシＲＲＣ接続確立プロシージャは、ユニキャスト伝送ベースのプロシージャであることに留意されたい。これらは全て、５Ｇシステムに関して予期される大量ｍＭＴＣ展開シナリオのコンテキストにおけるスケーラビリティ問題につながる。
・本ソリューションは、ＲＡＮ（例えば、ｅＮＢ）によるＵＥ状態遷移の効率的制御を可能にせず、ＮＡＳ追跡エリア（ＴＡ）に基づくＵＥ追跡およびＮＡＳ  ＤＲＸ構成に基づくＵＥページングに起因して、トラフィック混合およびＵＥモビリティを考慮しない。本ソリューションは、アイドルモードと接続モードとの間のＵＥ状態遷移の制御がｅＮＢにおける非アクティビティタイマの使用に基づく、以前の３ＧＰＰリリースにおける既存のアプローチと同一限定に悩まされる。本アプローチでは、ｅＮＢは、独自方法を通して、トラフィックアクティビティを監視する。トラフィックアクティビティ検出に関する独自構成および閾値設定に従って、トラフィックアクティビティが存在しないとき、ｅＮＢは、コアネットワーク、具体的には、ｅＮＢが、Ｓ１シグナリング接続を解放することを要求する。ｅＮＢはまた、ＲＲＣシグナリング接続を解放する。ＮＡＳシグナリング接続はまた、ＭＭＥおよびＵＥによって解放される。本アプローチの有効性は、ｅＮＢが、トラフィックアクティビティ検出を巧みに構成し、非アクティビティタイマを正しい値に設定し、トラフィックタイプ、ＵＥモビリティレベル、標的ユーザ体験レベル等の種々の要因を考慮する能力に依存する。さらに、理想的ソリューションでは、非アクティビティタイマ値は、動的に調節されるべきである。非アクティビティタイマは、典型的には、非常に短い（１０〜２０秒まで）ように構成され、これは、ＲＲＣ＿ＩＤＥＬＥからＲＲＣ＿ＣＯＮＮＥＣＴＥＤへの多数の遷移につながることが、ＬＴＥネットワークにおいて観察されている。この状態遷移は、ＬＴＥにおけるＲＲＣ接続の大部分が、１Ｋバイト未満のデータを転送し、次いで、ＲＲＣ＿ＩＤＥＬＥに戻ることを考慮して、シグナリングの観点から非常にコストがかかる。同様に、Ｒｅｌ−１３  ＮＢ−ＩＯＴソリューションの非最適構成は、これらのソリューションの可用性を限定し、本ソリューションの使用を用いて予期されるシグナリングオーバーヘッドの限定された縮小さえ、実現されない場合がある。
【００５６】
次世代の無線通信システムは、完全モバイルデバイスから定常ＩＯＴまたは固定無線ブロードバンドデバイスに及ぶ可変要件に伴って、広範囲のユースケースをサポートすることが予期される。多くのユースケースに関連付けられたトラフィックパターンは、可変長の待機期間をその間に伴って、短または長バーストのデータトラフィックから成ることが予期される。
【００５７】
上記に列挙されたＲｅｌ−１３ＮＢ−ＩＯＴソリューションの短所は、定常ＮＢ−ＩｏＴ／ｍＭＴＣデバイスだけではなく、また、モバイルである、全てのＵＥのために、スモールおよび低頻度データ伝送のハンドリングへのさらなる拡張の必要性を強調する。より具体的には、以下の通りである。
１．  スモールおよび低頻度データ伝送のための現在のシグナリングオーバーヘッドは、依然として、法外であって、ＩＭＴ−アドバンストの３倍のシグナリング急発縮小およびスペクトル効率の５Ｇ要件を満たすために、さらに縮小される必要がある。
２．  ネットワーク内のＡＳおよびＮＡＳコンテキストの記憶増加は、ネットワーク設備投資および運用維持費の増加を含意し、これは、５Ｇネットワーク展開および動作コストを最小限にする要件に悪影響を及ぼす。
３．  過剰なシグナリングはまた、追加の待ち時間につながる。現在のＲＲＣ接続設定待ち時間（すなわち、モバイル発信コールに関しては１２０ｍｓ、モバイル着信コールに関しては２８０ｍｓ（ＲＰ−１６０３０１参照））は、依然として、エンドユーザ体験を改善し、ユースケースのいくつか（例えば、超信頼性があって、かつ低待ち時間用途）に関して１０ｍｓまたはそれ未満であり得る、制御プレーン待ち時間に関する５Ｇ要件を満たすために、さらに縮小される必要がある。
４．  過剰なシグナリングはまた、追加のＵＥ電力消費および追加のネットワークエネルギー消費につながり、システムが、３ＧＰＰ  ＴＲ  ３８．９１３の第７．１１節に定義された１０年のＵＥバッテリ寿命要件と、３ＧＰＰ  ＴＲ  ３８．９１３の第７．１９節に定義されたネットワークエネルギー効率要件とを満たす能力に悪影響を及ぼすであろう。
【００５８】
シグナリングオーバーヘッドをさらに縮小させることを具体的に目標とし、Ｒｅｌ−１３  ＮＢ−ＩＯＴソリューションの前述の識別された短所に対処する、スモールデータ伝送ハンドリングへの拡張のための新しい提案が、新たに出現している。種々の大まかなソリューション発案が、例えば、３ＧＰＰ  Ｓｙｓｔｅｍ  Ａｓｐｅｃｔｓ  Ｗｏｒｋｉｎｇ  Ｇｒｏｕｐ  ２（ＳＡ  ＷＧ２または単にＳＡ２）において、５Ｇ議論を鑑みてすでに提案されている。さらなる模索のために提案されている大まかな発案は、以下を含む。１）以下の発案をさらに展開することによって、モビリティおよびアイドル／アクティブ遷移に起因して、Ｓ１インターフェースを経由してＮＡＳシグナリングおよびＣＮへのシグナリングをさらに縮小させる。ａ）ＵＥがＲＲＣ＿ＩＤＥＬＥにある間に記憶されたＵＥコンテキストを用いてＲｅｌ−１３一時停止／再開ソリューションを再使用する、または新しいＵＥ制御モビリティベースのＲＲＣ−ＣＯＮＮＥＣＴＥＤ状態を作成するが、そのような一時停止／再開状態もしくは任意のそのような新しい中間状態をコアネットワークから隠蔽する。ｂ）ＲＡＮ発信ページングメッセージ、およびｃ）ＲＡＮにおいてアンカ／ゲートウェイ機能を使用し、セル再選択およびデータ再転送に応じて、コンテキストフェッチを可能にする。他の発案は、２）コアネットワークベースの追跡エリアと異なり得る、ＵＥ具体的追跡エリアをＲＡＮが制御するためのフレキシビリティ等の最適パラメータをＲＡＮが選定することを可能にするためのさらなる拡張、および３）ＲＡＮがライト接続状態（例えば、ＵＥ制御モビリティ接続状態）において適用可能なＤＲＸパラメータを調節するためのフレキシビリティ等の最適パラメータをＲＡＮが選定することを可能にする、例えば、ＲＡＮがＵＥの現在のデータＱｏＳ要件を考慮してＤＲＸを最適化することを可能にするためのさらなる拡張を含む。
【発明の概要】
【課題を解決するための手段】
【００５９】
（要約）
本明細書に開示されるのは、ページングおよびハンドオーバに基づいて生じ得る、シグナリング負荷を低減させることを補助し得る、方法、システム、およびデバイスである。特に、本明細書に開示されるのは、異なるアーキテクチャアプローチ（例えば、階層および分散型）、動的ＲＲＡ管理、無線アクセスネットワークベースのページング、および無線アクセスネットワークベースのユーザ機器（ＵＥ）モビリティ管理を用いた新しいＵＥ状態、無線アクセスネットワーク登録エリア（ＲＲＡ）、または追跡／ページングエリアである。
【００６０】
本概要は、以下の発明を実施するための形態においてさらに説明される、一連の概念を簡略化された形態において導入するために提供される。本概要は、請求される主題の重要な特徴または不可欠な特徴を識別することを意図するものではなく、請求される主題の範囲を限定するために使用されることを意図するものでもない。さらに、請求される主題は、本開示の任意の部分に記載される不利点のいずれかまたは全てを解決する制限に限定されない。
より詳細な理解は、付随の図面と併せて一例として与えられる、以下の説明から得られ得る。
【図面の簡単な説明】
【００６１】
【図１】図１は、例示的ＲＲＣプロトコル状態マシンを図示する。
【図２】図２は、例示的Ｅ−ＵＴＲＡ状態およびＲＡＴ間モビリティプロシージャを図示する。
【図３】図３は、ＥＰＳにおける例示的制御プレーンプロトコルスタックを図示する。
【図４】図４は、ＵＥにおける例示的ＥＭＭの主要な状態を図示する。
【図５】図５は、ＭＭＥにおける例示的ＥＭＭの主要な状態を図示する。
【図６】図６は、ＵＥにおけるＥＰＳベアラコンテキストハンドリングのための例示的ＥＳＭサブ層状態（概要）を図示する。
【図７】図７は、ネットワークにおけるＥＰＳベアラコンテキストハンドリングのための例示的ＥＳＭサブ層状態（概要）を図示する。
【図８】図８は、ＲＲＣ＿ＩＤＬＥにおけるセル選択および再選択処理のための例示的フローチャートを図示する。
【図９】図９は、プロセスコントローラとセンサ／アクチュエータデバイスとの間のサービスフローのための例示的通信パスを図示する。
【図１０】図１０は、例示的ＵＡＶ通信パスを図示する。
【図１１】図１１は、例示的ネットワークスライシング概念を図示する。
【図１２】図１２は、例示的ＲＲＣアイドル、ＲＲＣ非アクティブ、およびＲＲＣ接続状態を図示する。
【図１３】図１３は、ＲＲＣ接続状態における例示的ＵＥ制御モビリティを図示する。
【図１４】図１４は、ＳＲＢおよびＤＲＢ設定のための例示的レガシプロシージャを図示する。
【図１５】図１５は、ＲＲＣ接続の例示的一時停止を図示する。
【図１６】図１６は、以前に一時停止されたＲＲＣ接続（ＭＯケース）の例示的再開を図示する。
【図１７】図１７は、いくつかのライブＬＴＥネットワークにおいて収集される例示的ＲＲＣシグナリング統計を図示する（ＲＰ−１６０３０１）。
【図１８Ａ】図１８Ａは、例示的新しいＵＥ状態および状態遷移を図示する。
【図１８Ｂ】図１８Ｂは、新しいＵＥ状態のための例示的方法を図示する。
【図１９】図１９は、ＲＲＡ重複を伴わない例示的階層アーキテクチャを図示する。
【図２０】図２０は、ＲＲＡ重複を伴う例示的階層アーキテクチャを図示する。
【図２１】図２１は、ＲＲＡ重複を伴わない例示的分散型アーキテクチャを図示する。
【図２２】図２２は、例示的動的ＲＲＡ管理−ＲＲＡ作成を図示する。
【図２３】図２３は、例示的動的ＲＲＡ管理−ＲＲＡ除去を図示する。
【図２４】図２４は、例示的無線アクセスネットワークベースのページングを図示する。
【図２５】図２５は、ＲＲＡ内の例示的ＳＲＲＡＮ開始ハンドオーバを図示する。
【図２６】図２６は、ＲＲＡを横断した例示的ＵＥ開始ハンドオーバを図示する。
【図２７Ａ】図２７Ａは、例示的通信システムを図示する。
【図２７Ｂ】図２７Ｂは、例えば、無線伝送／受信ユニット（ＷＴＲＵ）等の無線通信のために構成される例示的装置またはデバイスのブロック図である。
【図２７Ｃ】図２７Ｃは、第１の例示的無線アクセスネットワーク（ＲＡＮ）およびコアネットワークの系統図である。
【図２７Ｄ】図２７Ｄは、第２の例示的無線アクセスネットワーク（ＲＡＮ）およびコアネットワークの系統図である。
【図２７Ｅ】図２７Ｅは、第３の例示的無線アクセスネットワーク（ＲＡＮ）およびコアネットワークの系統図である。
【図２７Ｆ】図２７Ｆは、ＲＡＮ、コアネットワーク、公衆交換電話網（ＰＳＴＮ）、インターネット、または他のネットワークにおけるあるノードまたは機能エンティティ等の通信ネットワークの１つ以上の装置が具現化され得る、例示的コンピューティングシステムのブロック図である。
【図２８】図２８は、モビリティシグナリング負荷低減の方法およびシステムに基づいて生成され得る例示的ディスプレイ（例えば、グラフィカルユーザインターフェース）を図示する。
【発明を実施するための形態】
【００６２】
（詳細な説明）
背景に議論されるように、ＲＲＣ接続設定および後続ＲＲＣ再構成シグナリング負荷を低減させるが、より効率的ソリューションが所望される、ＮＢ−ＩＯＴの状況におけるソリューション（例えば、ソリューション２およびソリューション１８）が、ＬＴＥリリース１３において提案されている。モビリティ関連シグナリング負荷（例えば、ページングおよびハンドオーバ）の低減は、本明細書に議論されるように、とりわけ、設備投資および運用維持費を最小限にするように、接続密度における有意な増加にもかかわらないシグナリング負荷低減、非常に低制御プレーン待ち時間、延長されるＵＥバッテリ寿命、または増加されるネットワークエネルギー等の所望の要件を満たす、５Ｇシステムを実装することを補助し得る。
【００６３】
図１７は、ＬＴＥネットワークにおいて収集されるＲＲＣシグナリング統計を図示する。示されるように、ＲＲＣ接続設定である、区画２０１は、シグナリング負荷の５１．４パーセントに対応する。区画２０２（ページング）は、シグナリングの２６．８パーセントを占める一方、区画２０３（ハンドオーバ）は、シグナリングの１２．９パーセントを占め、区画２０４（他の）は、シグナリングの８．９パーセントを占める。本明細書に開示されるのは、ページングおよびハンドオーバに基づいて生じ得る、シグナリング負荷を低減させることを補助し得る、方法、システム、およびデバイスである。特に、本明細書に開示されるのは、異なるアーキテクチャアプローチ（例えば、階層および分散型）、動的ＲＲＡ管理、無線アクセスネットワークベースのページング、および無線アクセスネットワークベースのユーザ機器（ＵＥ）モビリティ管理を用いた新しいＵＥ状態、無線アクセスネットワーク登録エリア（ＲＲＡ）、または追跡／ページングエリアである。動的ＲＲＡ管理は、ネットワークまたはモバイル管理エンティティ（ＭＭＥ）によって開始されるＲＲＡ作成またはネットワークまたはＭＭＥによって開始されるＲＲＡ除去を含み得る。無線アクセスネットワークベースのページングは、コアネットワーク情報ページング、緊急メッセージブロードキャストページング、ダウンリンク（ＤＬ）ＵＥ緊急メッセージページング、またはＤＬ  ＵＥデータページングを含み得る。最後に、無線アクセスネットワークベースのＵＥモビリティ管理は、ローカルエリア内のＲＲＡを横断したそのＲＲＡまたはＵＥ開始ハンドオーバ内のサービングＲＲＡノード（ＳＲＲＡＮ）開始ハンドオーバを含み得る。
【００６４】
以下に議論されるのは、無線リソース制御（ＲＲＣ）プロトコルのための新しいＵＥ状態および状態遷移である。以下に議論されるように、用語「データ無線ベアラ（ＤＲＢ）」は、ＩＰフローレベルにおけるデータパス等のユーザプレーンにおけるデータパスを示すようにより広い意味で使用される。同様に、用語「シグナリング無線ベアラ（ＳＲＢ）」は、制御プレーンにおけるシグナリングパスを示すために使用される。加えて、標的シナリオは、あるレベルのモビリティを伴い得る、またはＵＥは、受信された信号レベル内にあるレベルの変動性を伴って、セルエッジに存在し得、したがって、ＵＥは、より好適なセルへのセル再選択を実施し得ることが検討される。本明細書で議論される新しい状態は、ＵＥライトシグナリング接続または無接続モードにおけるＵＥ動作に定義され得る。コアネットワークとＲＡＮとの間の分散型ＵＥ場所登録エリアのフレームワークが、提案される。
【００６５】
図１８Ａは、新しいＵＥ状態および状態遷移を図示する。ＲＲＣ＿ＩＤＬＥ状態２１０では、ＵＥは、近隣セルを監視し、ＮＷによってブロードキャストされる閾値に基づいて、セル再選択を実施し、ページングメッセージおよびシステム情報ブロードキャストを監視する。ＲＲＣ＿ＩＤＬＥ状態２１０では、アップリンクユーザデータ伝送が、存在せず、ＵＥは、ダウンリンクにおいて断続受信（ＤＲＸ）を実施し得る。ＲＲＣ＿ＩＤＬＥ状態２１０では、ＵＥ場所は、無線アクセスネットワークに既知ではない場合があるが、しかしながら、ＵＥ場所は、コアネットワーク追跡エリアまたは場所登録エリアレベルにおいてコアネットワークに既知であり得る（例えば、ＵＥがコアネットワークによって到達可能であるとき）。
【００６６】
デバイスは、ＲＲＣ＿ＩＤＬＥ状態２１０の間、ページング監視を実施しないように構成され得る。例えば、モバイル発信（ＭＯ）専用コール能力を伴うデバイス（例えば、ｍＭＴＣデバイス）は、ページング監視を実施しないように構成され得る。同様に、モバイル着信（ＭＴ）専用コール能力を伴うデバイスは、ＭＴコール発生が稀であることが予期される場合、ページング監視を実施しないように構成され得る（例えば、最大で、数日、例えば、１週間、または１ヶ月、またはそれを上回る長い期間に１回、ＭＴコールを受信することが予期されるデバイス）。代わりに、デバイスは、ネットワークにクエリするように構成され得る。これは、ＵＥ（例えば、ＵＥ２２８またはＵＥ２２９）がＮＷ内の潜在的待機メッセージに関してネットワークをページングする、逆ページングと見なされ得る。デバイスは、潜在的待機メッセージに関してネットワークにクエリする。そのようなクエリは、構成可能周期に従って、周期的であり得る。ＵＥは、ライトシグナリング接続を使用して、逆ページングを実施し、ネットワークとの通信が可能性として考えられる、定義された接続モードまたは状態のうちの１つに遷移し得る。代替として、ＵＥは、逆ページングのために定義された物理チャネル信号を使用して、逆ページングを物理層レベルで実施し得る。そのような物理チャネルは、グラントレス通信モデルに従ってもよい。ＵＥは、キャリア感知またはリッスンビフォアトークを実施し、逆ページンググラントレス物理チャネルへのアクセスを取得し得る。ページングされると、ネットワークは、次いで、ＵＥにアイドルモードから接続モードに遷移するように指示することを決定することができる。代替として、ＵＥは、アイドルモードのままであり得る。逆ページングメッセージの伝送後、ＵＥは、ＲＲＣ＿ＩＤＬＥ状態２１０の逆ページング監視モードまたはサブ状態に入ってもよく、ＵＥは、構成可能または事前に定義または規定された時間量にわたって、ネットワーク応答を監視する。ネットワーク応答が受信されない場合、ＵＥは、ＮＷ応答監視を終了し、ＲＲＣ＿ＩＤＬＥ状態２１０のままである。逆ページング信号に対する応答はまた、逆ページング物理チャネル上で搬送され得る。ＵＥは、ＵＥによって送信された以前の逆ページングメッセージに対するネットワーク応答に関してそのようなチャネルを監視する。ＲＲＣ＿ＩＤＬＥ状態２１０における本デバイス挙動はまた、デバイスカテゴリの関数として規定され得る。
【００６７】
デバイスはまた、ＲＲＣアイドルでは、システム情報ブロードキャストを監視しないように構成され得る。本挙動はまた、デバイスカテゴリの関数として、またはネットワークに既知である、もしくは、例えば、以前のセッションにおいてＵＥとネットワークとの間で交換された、デバイス能力の結果として、規定され得る。システム情報を監視しないデバイスは、本明細書に議論されるように、非常にわずかな不可欠なシステム情報のセットを入手し得る。デバイスが、ネットワークにアクセスすると、ＵＥが接続状態に遷移する場合、通常動作、例えば、接続モードのうちの１つにおけるデバイス動作のために要求される、他のシステム情報を入手し得る。代替として、ＵＥに既知のシステム情報更新スケジュール（例えば、ネットワークによるシステム情報更新のための日付）が存在し得る。ＵＥは、そのような情報で事前にプロビジョニングされ得る。ネットワークは、無線通信（ＯＴＡ）事前プロビジョニング方法を使用し、システム情報更新スケジュールをＵＥ上に事前にプロビジョニングし得る。代替として、オペレータまたはサービスプロバイダは、ユーザがＵＥを所有する前に、例えば、工場内でそのような情報をＵＥのＵＳＩＭ／ＵＩＣＣ上に記憶し得る。そのようなケースでは、ＵＥは、システム情報を監視しなくてもよい。ＵＥは、システム情報スケジュールを使用して、ネットワークにアクセスする前に、ＵＥがシステム情報（例えば、不可欠なシステム情報）を読み取るべきかどうか、またはＵＥがすでに記憶されるシステム情報を使用すべきかどうかを決定し得る。ＮＷはまた、システム情報のみを所定のスケジュールでシグナリングし得る。
【００６８】
ＲＲＣ＿ＩＤＬＥ状態２１０は、ＮＡＳアイドル状態（例えば、ＥＣＭ＿ＩＤＬＥ）にマッピングし得る。コアネットワークがそれを認識せずに、ＵＥがＲＲＣ＿ＩＤＬＥ２１０に再構成される、いくつかのインスタンスでは、ＲＲＣ＿ＩＤＬＥ状態２１０は、ＥＣＭ＿ＣＯＮＮＥＣＴＥＤまたは同等５Ｇ  ＮＡＳ状態にマッピングされ得る。
【００６９】
ＲＲＣ＿Ｇｒａｎｔ＿Ｌｅｓｓ状態２１２は、接続状態である。第１のシナリオでは、ＲＲＣコンテキストは、存在するが、シグナリング接続（専用または共通）は、存在せず、リソースは、そのために配分されず、データ無線ベアラ（ＤＲＢ）接続は、存在せず、ＤＲＢは、この状態では、確立されることができない。ＲＲＣ＿Ｇｒａｎｔ＿Ｌｅｓｓ状態２１２は、上記に説明されるＲＲＣ＿ＩＤＬＥ状態２１０の属性を有するという意味において、ＲＲＣ＿ＩＤＬＥ状態２１０に類似する。ＲＲＣ＿ＩＤＬＥ状態との差異は、ＲＲＣ＿Ｇｒａｎｔ＿Ｌｅｓｓ状態２１２に関して、グラントレスアップリンクデータ転送が存在し得ることである。ＵＥ場所も、無線アクセスネットワーク登録エリア（ＲＲＡ）またはルーティングエリアレベルにおいて既知であり得る。さらに、ＵＥ場所はまた、ＲＲＡアンカノードレベルにおいてもよい既知であり得、これは、以下により詳細に議論される。本最新属性は、ページングシグナリング負荷を最小限にする。ページングは、既存のＬＴＥ／ＬＴＥアドバンストネットワークにおけるシグナリング負荷への第２の寄与因子であることに留意されたい。代替例では、ＵＥ場所はまた、セルレベルにおいて無線アクセスネットワークに既知であり得る。例えば、ＵＥは、モビリティメトリックまたは速度メトリック関連閾値で構成またはプロビジョニングされ得る。モビリティメトリックは、規定された期間の間に生じるセル再選択の数のような情報を含み得る一方、「速度メトリック」は、主に、ＵＥの速度または加速に基づく。別のモビリティメトリックは、規定された期間の間に生じるハンドオーバの数を含み得る。本メトリックは、接続状態におけるＵＥのために適用可能であり得る一方、セル再選択のカウントは、アイドルまたは非アクティブ状態におけるＵＥのために適用可能であるであろう。速度メトリックが、使用され、進行距離／時間単位（例えば、マイル／時、キロメートル／時）ならびに加速（すなわち、デバイス速度の変化率）を含み得る。ＵＥは、そのような閾値を使用して、ＵＥモビリティレベル（例えば、モビリティ状態）と、ＵＥが、セル変化に応じて、またはＲＲＡ変化に応じて、場所更新を実施すべきかどうかとを決定する。例えば、ＵＥは、ＬＴＥ／ＬＴＥアドバンストネットワークにおいて使用されるものに類似するモビリティ状態パラメータ（背景参照）で構成またはプロビジョニングされ得る。モビリティ状態定義はさらに、定常モビリティ（例えば、無モビリティ）または非定常モビリティ（例えば、時として、位置を変化させ得るが、その大部分は、定常である）を含むように拡張され得る。例示的構成では、ＵＥが、高モビリティ状態または中モビリティ状態にある場合、ＵＥは、ＲＲＣ＿Ｇｒａｎｔ＿Ｌｅｓｓ状態２１２にあって、ＲＲＡ変化のＵＥによる検出に応じてのみＲＡＮ（例えば、ｅＮｏｄｅＢまたは他の基地局）に送信される、場所更新を実施し得る。モビリティは、ＵＥ制御ベースのモビリティである。別の例示的構成では、ＵＥが、低モビリティ状態（例えば、定常または非定常）にある場合、ＵＥは、ＲＲＣ＿Ｇｒａｎｔ＿Ｌｅｓｓ状態２１２にあって、セル再選択に応じて場所更新を実施し得る。モビリティは、ＵＥ制御ベースのモビリティである。
【００７０】
図１８Ｂは、新しいＵＥ状態のための例示的方法を図示する。これは、図１８Ａにおけるような状態遷移または本明細書に開示される状態の例であることに留意されたい。ステップ１では、ユーザ機器に関連付けられた変化のＵＥ（例えば、ＵＥ２２８）による検出が存在し得、ユーザ機器に関連付けられた変化は、ユーザ機器の無線アクセスネットワーク登録エリアの変化または閾値に到達するモビリティメトリックの変化を含み得る。ステップ２では、ステップ１におけるユーザ機器に関連付けられた変化の検出に応答して、ユーザ機器の場所更新を実施する。ステップ３では、ＵＥは、グラントレスチャネルを経由して、場所更新を基地局（例えば、ｅＮＢ２２７）に提供し得る。
【００７１】
ＲＲＣ＿Ｇｒａｎｔ＿Ｌｅｓｓ状態２１２に関する第２のシナリオでは、ＲＲＣコンテキストが、存在し、ＲＲＣシグナリング接続が、存在する（共通、共有、または専用チャネル）が、ＤＲＢ接続は、存在しない。ＵＥ場所は、セルレベルにおいて無線アクセスネットワーク内で既知であって、したがって、ＵＥは、セル再選択に応じて、場所更新をＲＡＮに向けて実施する。この状態は、接続状態である。この状態は、ＵＭＴＳ／ＨＳＰＡ  ＣＥＬＬ＿ＦＡＣＨ状態に類似するが、１つの差異は、ユーザデータ伝送がグラントレスであることである。
【００７２】
ＲＲＣ＿Ｇｒａｎｔ＿Ｌｅｓｓ状態２１２では、グラントレスデータ転送のための物理チャネルまたはトランスポートチャネルが、規定され得る（例えば、割り当てられる）。ＵＥは、キャリア感知またはリッスンビフォアトークを実施し、逆ページンググラントレス物理チャネルへのアクセスを取得し得る。シグナリング接続は、ネットワークによって解放され得る、またはネットワークおよびＵＥの両方によって暗示的に解放され得る。しかしながら、ＵＥコンテキストは、ＵＥおよびネットワークの両方に留まり得る。ＵＥは、その場合、ＲＲＣ＿グラント＿Ｌｅｓｓ状態２１２のままであるように構成され得る。
【００７３】
ＲＲＣ＿グラント＿Ｌｅｓｓ状態２１２は、ＮＡＳ  ＥＣＭ＿ＣＯＮＮＥＣＴＥＤまたは同等５Ｇ  ＮＡＳ状態にマッピングし得る。ＵＥは、この状態では、ページングされ得る。同様に、ＵＥは、ＲＲＣ＿ＩＤＬＥモード状態２１０のケースに説明されるように、無線アクセスネットワークに向けた逆ページングのためだけに構成され得る。ＵＥは、ＵＥが逆ページング能力とともに構成される場合、逆ページングを実施し得る。
【００７４】
ＲＲＣ＿Ｃｏｎｎｅｃｔｉｏｎｌｅｓｓ状態２１４は、ＲＲＣ＿グラント＿Ｌｅｓｓ状態２１２に類似するが、ＲＲＣ＿Ｃｏｎｎｅｃｔｉｏｎｌｅｓｓ状態２１４は、アップリンクおよびダウンリンクにおいてデータ伝送のためにグラントベースの無接続物理チャネルにマッピングされる。
【００７５】
ＲＲＣ＿Ｃｏｎｎｅｃｔｉｏｎｌｅｓｓ状態２１４は、接続状態である。第１のシナリオでは、ＲＲＣコンテキストおよびシグナリング接続は、存在するが、ＤＲＢ接続は、存在せず、データ無線ベアラは、この状態では、確立されることができない。ＵＥ場所は、無線アクセスネットワーク内のセルレベルにおいて既知であって、したがって、ＵＥは、セル再選択に応じて、ＲＡＮに向けて場所更新を実施する。ＲＲＣ＿Ｃｏｎｎｅｃｔｉｏｎｌｅｓｓ状態２１４は、ＵＭＴＳ／ＨＳＰＡセル＿ＦＡＣＨ状態に類似する。差異は、ＲＲＣ＿Ｃｏｎｎｅｃｔｉｏｎｌｅｓｓ状態の場合、データ無線ベアラ（ＤＲＢ）接続が、存在せず、共通もしくは共有トランスポートチャネルまたは共通もしくは共有物理チャネルのいずれか上でデータパスを事前に確立することである。上位層データ（例えば、用途データ）は、無接続物理チャネルにマッピングされるシグナリング無線ベアラ（ＳＲＢ）上にピギーバッグされる。ＳＲＢが、上位層データ（例えば、用途データ）を搬送するとき、ＳＲＢは、ＳＲＢが上位層データ（例えば、用途データ）を搬送しないときに使用される物理チャネルのものと異なる、物理層属性（例えば、帯域幅、変調スキーム、チャネルコーディング、波形、物理層リソース場所、トランスポートブロックサイズ、エラー補正等）を伴う、異なるタイプの物理チャネルにマッピングされ得ることに留意されたい。シグナリング接続は、ネットワークによって解放される、またはネットワークおよびＵＥの両方によって暗示的に解放され得る。しかしながら、ＵＥコンテキストは、ＵＥおよびネットワークの両方に留まり得る。ＵＥは、その場合、ＲＲＣ＿Ｃｏｎｎｅｃｔｉｏｎｌｅｓｓ状態２１４のままであるように構成され得、これは、以下に議論される。
【００７６】
ＲＲＣ＿Ｃｏｎｎｅｃｔｉｏｎｌｅｓｓ状態２１４に関する第２のシナリオでは、ＲＲＣコンテキストは、存在するが、シグナリング接続は、存在せず、データ無線ベアラ接続は、存在せず、データ無線ベアラは、この状態では、確立されることができない。データ転送は、この状態では不可能である。ＲＲＣコンテキストが存在するが、シグナリング接続が存在せず、データ無線ベアラ接続が存在せず、データ無線ベアラがこの状態で確立されることができない、ＲＲＣ無接続状態の本特色は、ＲＲＣ＿Ｃｏｎｎｅｃｔｉｏｎｌｅｓｓ状態のサブ状態と見なされ得る。ＵＥが、データをネットワークと交換する前に、ＵＥは、他のＲＲＣ接続状態（例えば、ＲＲＣ＿Ｇｒａｎｔ＿Ｌｅｓｓ状態、またはＲＲＣ＿Ｃｏｎｎｅｃｔｉｏｎｅｌｓｓ状態、シグナリング無線ベアラを有する可能性がある上記に説明されるサブ状態）のうちの１つに遷移する。ＵＥ場所はまた、無線アクセスネットワーク登録（ＲＲＡ）レベルまたはルーティングエリアレベルにおいて既知であり得る。さらに、ＵＥ場所はまた、ＲＲＡアンカノードレベルでも既知であり得る。本最新属性は、ページングシグナリング負荷を最小限にする。ページングは、図１７に示されるように、既存のＬＴＥ／ＬＴＥアドバンストネットワークにおけるシグナリング負荷に対する第２の寄与因子であることに留意されたい。このシナリオの１つの代替では、ＵＥ場所はまた、セルレベルにおいて無線アクセスネットワークに既知であり得る。例えば、ＵＥは、モビリティメトリックまたは速度メトリック関連閾値で構成またはプロビジョニングされ得る（本明細書に議論されるように）。ＵＥは、そのような閾値を使用し、ＵＥモビリティ（状態）レベルと、ＵＥが、セル変化に応じて、またはＲＲＡ変化に応じて、場所更新を実施すべきかどうかとを決定する。例えば、ＵＥは、ＬＴＥ／ＬＴＥアドバンストネットワークにおいて使用されるものに類似するモビリティ状態パラメータ（背景参照）で構成またはプロビジョニングされ得る。モビリティ状態定義はさらに、定常モビリティ（例えば、無モビリティ）または非定常モビリティ（例えば、時として、位置を変化させ得るが、その大部分は、定常である）を含むように拡張され得る。例示的構成では、ＵＥが、高モビリティ状態または中モビリティ状態にある場合、ＵＥは、ＲＲＣ＿Ｃｏｎｎｅｃｔｉｏｎｌｅｓｓ状態２１４にあって、ＲＲＡ変化の検出に応じて、ＲＡＮ（例えば、ｅＮｏｄｅＢ）に向けて場所更新を実施し得る。モビリティは、ＵＥ制御ベースのモビリティである。別の例示的構成では、ＵＥが、低モビリティ状態（例えば、定常または非定常）にある場合、ＵＥは、ＲＲＣ＿Ｃｏｎｎｅｃｔｉｏｎｌｅｓｓ状態２１４にあって、セル再選択に応じて、場所更新を実施し得る。モビリティは、ＵＥ制御ベースのモビリティである。
【００７７】
ＲＲＣ＿Ｃｏｎｎｅｃｔｉｏｎｌｅｓｓ状態２１４は、ＮＡＳ  ＥＣＭ＿ＣＯＮＮＥＣＴＥＤまたは同等５Ｇ  ＮＡＳ状態にマッピングし得る（例えば、ＲＲＣシグナリング接続が存在するとき）。ＲＲＣ＿Ｃｏｎｎｅｃｔｉｏｎｌｅｓｓ状態２１４はまた、ＮＡＳ  ＥＣＭ＿ＩＤＬＥまたは５Ｇ  ＮＡＳ均等物にマッピングし得る（例えば、ＲＲＣシグナリング接続が存在しないとき）。
【００７８】
ＵＥは、この状態では、ページングされ得る。同様に、ＵＥは、ＲＲＣ＿ＩＤＬＥ状態２１０のケースに説明されるように、無線アクセスネットワークに向けての逆ページングのためにのみ構成され得る。ＵＥは、ＵＥが逆ページング能力とともに構成される場合、逆ページングを実施し得る。
【００７９】
ＲＲＣ＿ＣＯＮＮＥＣＴＥＤ＿ＵＥ＿Ｃｏｎｔｒｏｌｌｅｄ＿Ｍｏｂｉｌｉｔｙ状態２１６は、ＲＲＣシグナリング接続、すなわち、シグナリング無線ベアラ（ＳＲＢ）が存在する、ＲＲＣ＿Ｃｏｎｎｅｃｔｉｏｎｌｅｓｓケース（すなわち、サブ状態）と類似属性を有するという意味において、ＲＲＣ＿Ｃｏｎｎｅｃｔｉｏｎｌｅｓｓ状態２１４に類似する。ＲＲＣ＿Ｃｏｎｎｅｃｔｉｏｎｌｅｓｓ状態２１４との差異は、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６に関して、データ無線ベアラ（ＤＲＢ）が、ＵＥとネットワークとの間のデータ転送をサポートする際に確立され得ることである。ＵＥ場所は、セルレベルに既知である。ＵＥはまた、ＵＥ場所がＲＡＮ登録エリア（ＲＲＡ）レベルまたはＲＲＡアンカノードレベルにおいて既知であるように構成され得る。モビリティは、例えば、セル再選択に応じたＵＥ制御モビリティであって、ＵＥは、無線アクセスネットワークに向けて場所登録更新を実施する。この状態は、他のＲＲＣ状態において使用される物理チャネルの属性と異なる物理層属性（例えば、帯域幅、変調スキーム、チャネルコーディング、波形、物理層リソース場所、トランスポートブロックサイズ、エラー補正等）を伴う物理チャネルにマッピングされ得る。物理チャネル属性はまた、例えば、ｍＭＴＣ具体的物理チャネル対ＵＲ／ＬＬ物理チャネル対ｅＭＢＢ物理チャネルに特有の使用シナリオであり得る。この状態はさらに、使用シナリオ（例えば、ｍＭＴＣ、ＵＲ／ＬＬまたはｅＭＢＢ）ベースのサブ状態に分割され得る。ＲＲＣ＿ＣＯＮＮＥＣＴＥＤ＿ＵＥ＿Ｃｏｎｔｒｏｌｌｅｄ＿Ｍｏｂｉｌｉｔｙ状態２１６は、ＮＡＳ  ＥＣＭ＿ＣＯＮＮＥＣＴＥＤまたは同等５Ｇ  ＮＡＳ状態にマッピングし得る。ＵＥは、この状態では、ページングされ、例えば、ＵＥをＤＲＸモードからウェイクアップさせてもよい。ＵＥは、モビリティメトリックまたは速度メトリック関連閾値（本明細書に議論されるように）で構成またはプロビジョニングされ得る。ＵＥは、そのような閾値を使用して、ＵＥモビリティ（状態）レベルと、セル変化に応じて、またはＲＲＡ変化に応じて、ＵＥが場所更新を実施すべきかどうかとを決定する。例えば、ＵＥは、ＬＴＥ／ＬＴＥアドバンストネットワークにおいて使用されるものに類似するモビリティ状態パラメータ（背景参照）で構成またはプロビジョニングされ得る。モビリティ状態定義はさらに、定常モビリティ（例えば、無モビリティ）、非定常モビリティ（例えば、時として、位置を変化させ得るが、その大部分は、定常である）を含むように拡張され得る。ＵＥが、ＲＲＣプロトコルレベルにおいてＲＲＣ＿ＣＯＮＮＥＣＴＥＤ＿ＵＥ＿Ｃｏｎｔｒｏｌｌｅｄ＿Ｍｏｂｉｌｉｔｙ状態にあるとき、ＵＥは、ＮＡＳプロトコルレベルにおいてＥＣＭ＿ＣＯＮＮＥＣＴＥＤ状態であり得る。例示的構成では、ＵＥが、高モビリティ状態または中モビリティ状態にある場合、ＵＥは、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６にあって、ＲＲＡ変化の検出に応じて、ＲＡＮ（例えば、ｅＮｏｄｅＢ）に向けて場所更新を実施し得る。モビリティは、ＵＥ制御��ースのモビリティである。別の例示的構成では、ＵＥが、低モビリティ状態、定常、または非定常にある場合、ＵＥは、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６にあって、セル再選択に応じて、場所更新を実施し得る。モビリティは、ＵＥ制御ベースのモビリティである。
【００８０】
ＲＲＣ＿ＣＯＮＮＥＣＴＥＤ＿ＮＷ＿Ｃｏｎｔｒｏｌｌｅｄ＿Ｍｏｂｉｌｉｔｙ状態２１８は、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６に類似する。差異は、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８では、ネットワークが、ＵＥモビリティを制御することである。ＵＥ場所は、セルレベルにおいて既知である。ＵＥは、モビリティ関連測定（例えば、本明細書に議論されるように、モビリティメトリックまたは速度メトリック関連閾値）で構成され、これは、ネットワークに報告される。ネットワークは、測定報告を使用して、ハンドオーバ決定を行い、新しく選択された標的セル内の通信リソースでＵＥを再構成し得る。この状態は、他のＲＲＣ状態において使用される物理チャネルの属性と異なる物理層属性（例えば、帯域幅、変調スキーム、チャネルコーディング、波形、物理層リソース場所、トランスポートブロックサイズ、エラー補正等）を伴う物理チャネルにマッピングされ得る。物理チャネル属性はまた、例えば、ｍＭＴＣ具体的物理チャネル対ＵＲ／ＬＬ物理チャネル対ｅＭＢＢ物理チャネルに特有の使用シナリオであり得る。この状態はさらに、使用シナリオ（例えば、ｍＭＴＣ、ＵＲ／ＬＬまたはｅＭＢＢ）ベースのサブ状態に分割され得る。この状態は、ＮＡＳ  ＥＣＭ＿ＣＯＮＮＥＣＴＥＤまたは同等５Ｇ  ＮＡＳ状態にマッピングし得る。ＵＥは、この状態では、ページングされ、例えば、ＵＥをＤＲＸモードからウェイクアップし得る。
【００８１】
新しいＵＥ状態および状態遷移を図示する図１８を継続して参照すると、以下は、図１８に図示される状態遷移のための例示的トリガである。
【００８２】
以下は、ＲＲＣ＿Ｇｒａｎｔ＿Ｌｅｓｓ状態２１２へのＲＲＣ＿ＩＤＬＥ状態２１０のための例示的トリガである。１）ＲＲＣ確立原因が、「ｅｍｅｒｇｅｎｃｙ」コールである、またはＵＥは、確立原因が「ｅｍｅｒｇｅｎｃｙ」であるとき、グラントレスアクセスを用いて、ネットワークにアクセスするように構成される、２）ＲＲＣ確立原因が、「ｈｉｇｈ  Ｐｒｉｏｒｉｔｙ  Ａｃｅｓｓ」である、またはＵＥは、確立原因が「ｈｉｇｈＰｒｉｏｒｉｔｙＡｃｅｓｓ」であるとき、グラントレスアクセスを用いて、ネットワークにアクセスするように構成される、３）ＲＲＣ確立原因が、「ｍｏ＿ｓｉｇｎａｌｉｎｇ」である、またはＵＥは、確立原因が「ｍｏ＿ｓｉｇｎａｌｉｎｇ」であるとき、グラントレスアクセスを用いて、ネットワークにアクセスするように構成される、４）ＲＲＣ確立原因が、「ｄｅｌａｙ  Ｔｏｌｅｒａｎｔ  Ａｃｃｅｓｓ」である、またはＵＥは、確立原因が「ｄｅｌａｙ  ｔｏｌｅｒａｎｔ  ａｃｃｅｓｓ」であるとき、無接続動作モードを用いてネットワークにアクセスするように構成される、５）確立原因が、グラントレス動作を使用するように構成または規定されたネットワークスライスへのアクセスである、６）確立原因が、グラントレス動作モードを使用するように構成または規定された使用シナリオ（例えば、ＵＲ／ＬＬ）または用途のためのアクセスに設定される、７）ＮＷ（例えば、ｅＮｏｄｅＢ）とのモバイル着信（ＭＴ）コールが、接続動作モードがグラントレスベースであるべきであることを示す、８）アクセス原因が、逆ページングである、すなわち、ＵＥが、ネットワークをページングすることを所望する、９）アクセス原因が、ライト接続である、または１０）ＮＷが、ＲＲＣ接続確立プロシージャの間、ＵＥをグラントレス動作リソースでグラントレス動作モードに構成した。
【００８３】
以下は、ＲＲＣ＿ＣＯＮＮＥＣＴＥＤ＿Ｌｅｓｓ状態２１４へのＲＲＣ＿ＩＤＬＥ状態２１０のための例示的トリガである。１）ＲＲＣ確立原因が、「ｅｍｅｒｇｅｎｃｙ」コールである、またはＵＥが、確立原因が「ｅｍｅｒｇｅｎｃｙ」であるとき、無接続アクセスを用いてネットワークにアクセスするように構成される、２）ＲＲＣ確立原因が、「ｈｉｇｈ  Ｐｒｉｏｒｉｔｙ  Ａｃｅｓｓ」である、またはＵＥが、確立原因が、「ｈｉｇｈ  Ｐｒｉｏｒｉｔｙ  Ａｃｅｓｓ」であるとき、無接続アクセスを用いて、ネットワークにアクセスするように構成される、３）ＲＲＣ確立原因が、「ｍｏ＿ｓｉｇｎａｌｉｎｇ」である、またはＵＥが、確立原因が「ｍｏ＿ｓｉｇｎａｌｉｎｇ」であるとき、無接続アクセスを用いて、ネットワークにアクセスするように構成される、４）ＲＲＣ確立原因が、「ｄｅｌａｙ  Ｔｏｌｅｒａｎｔ  Ａｃｃｅｓｓ」である、またはＵＥが、確立原因が「ｄｅｌａｙ  ｔｏｌｅｒａｎｔ  ａｃｃｅｓｓ」であるとき、無接続動作モードで、ネットワークにアクセスするように構成される、５）確立原因が、無接続動作モードを使用するように構成または規定されたネットワークスライスへのアクセスである、６）確立原因が、グラントレス動作モードを使用するように構成または規定された使用シナリオ（例えば、ＵＲ／ＬＬ）または用途のためのアクセスに設定される、７）ＮＷ（例えば、ｅＮｏｄｅＢ）とのモバイル着信（ＭＴ）コールが、接続動作モードが無接続であるべきであることを示す、８）アクセス原因が、逆ページングである、すなわち、ＵＥが、ネットワークをページングすることを所望する、９）アクセス原因が、ライト接続である、または１０）ＮＷが、ＲＲＣ接続確立プロシージャの間、無接続専用リソースを用いてＵＥを動作モードの無接続モードに構成した。
【００８４】
ＲＲＣ＿ＩＤＬＥ状態２１０からＲＲＣ＿ＣＯＮＮＥＣＴＥＤ＿ＵＥ＿Ｃｏｎｔｒｏｌｌｅｄ＿Ｍｏｂｉｌｉｔｙ状態２１６への遷移を参照すると、ある例では、ＮＷは、ＲＲＣ接続確立プロシージャの間、この状態のためのトランスポートおよび物理チャネルリソースを用いて、ＵＥをＲＲＣ＿ＣＯＮＮＥＣＴＥＤ＿ＵＥ＿Ｃｏｎｔｒｏｌｌｅｄ＿Ｍｏｂｉｌｉｔｙ状態２１６に構成していてもよい。ＮＷは、ＵＥからのモビリティ状態報告（例えば、ＵＥからの接続設定完了メッセージの一部として）に基づいて、ＵＥをＲＲＣ＿ＣＯＮＮＥＣＴＥＤ＿ＵＥ＿Ｃｏｎｔｒｏｌｌｅｄ＿Ｍｏｂｉｌｉｔｙ状態２１６にすることの決定を行い得る。同様に、ＮＷは、ＵＥからのＲＲＣ接続確立要求メッセージ内に含まれる確立原因に基づいて、ＵＥをＲＲＣ＿ＣＯＮＮＥＣＴＥＤ＿ＵＥ＿Ｃｏｎｔｒｏｌｌｅｄ＿Ｍｏｂｉｌｉｔｙ状態２１６にすることの決定を行い得る。ＲＲＣ＿ＣＯＮＮＥＣＴＥＤ＿ＵＥ＿Ｃｏｎｔｒｏｌｌｅｄ＿Ｍｏｂｉｌｉｔｙ状態２１６へのＲＲＣ＿ＩＤＬＥ状態２１０のための他の例示的トリガは、以下を含み得る。１）確立原因が、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６を使用するように構成または規定されたネットワークスライスへのアクセスに設定され、または２）確立原因が、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６を使用するように構成または規定された使用シナリオ（例えば、ＵＲ／ＬＬ）または用途のためのアクセスに設定される。
【００８５】
ＲＲＣ＿ＩＤＬＥ状態２１０からＲＲＣ＿ＣＯＮＮＥＣＴＥＤ＿ＮＷ＿Ｃｏｎｔｒｏｌｌｅｄ＿Ｍｏｂｉｌｉｔｙ状態２１８への遷移を参照すると、ＮＷは、ＲＲＣ接続確立プロシージャの間、この状態のためのトランスポートおよび物理チャネルリソースを用いて、ＵＥをＲＲＣ＿ＣＯＮＮＥＣＴＥＤ＿ＮＷ＿Ｃｏｎｔｒｏｌｌｅｄ＿Ｍｏｂｉｌｉｔｙ状態２１８に構成していてもよい。ＮＷは、ＵＥからのモビリティ状態報告（例えば、ＵＥからの接続設定完了メッセージの一部として）に基づいて、ＵＥをＲＲＣ＿ＣＯＮＮＥＣＴＥＤ＿ＮＷ＿Ｃｏｎｔｒｏｌｌｅｄ＿Ｍｏｂｉｌｉｔｙ状態２１８にすることの決定を行い得る。同様に、ＮＷは、ＵＥからのＲＲＣ接続確立要求メッセージ内に含まれる確立原因に基づいて、ＵＥをＲＲＣ＿ＣＯＮＮＥＣＴＥＤ＿ＮＷ＿Ｃｏｎｔｒｏｌｌｅｄ＿Ｍｏｂｉｌｉｔｙ状態２１８にすることの決定を行い得る。ＲＲＣ＿ＣＯＮＮＥＣＴＥＤ＿ＮＷ＿Ｃｏｎｔｒｏｌｌｅｄ＿Ｍｏｂｉｌｉｔｙ状態２１８へのＲＲＣ＿ＩＤＬＥ状態２１０のための他の例示的トリガは、以下を含み得る。１）確立原因が、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８を使用するように構成または規定されたネットワークスライスへのアクセスに設定される、または２）確立原因が、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８を使用するように構成または規定された使用シナリオ（例えば、ＵＲ／ＬＬ）または用途のためのアクセスに設定される。
【００８６】
以下に議論されるのは、ＲＲＣ＿ＩＤＬＥ状態２１０への逆遷移である。ネットワーク（例えば、ｅＮｏｄｅＢまたは同等５Ｇ  ＲＡＮノード）は、接続状態のいずれかからＲＲＣ＿ＩＤＬＥ状態にＵＥを再構成し得る。ＵＥはまた、接続状態のいずれかからＲＲＣ＿ＩＤＬＥ状態に自律的に遷移し得る。ネットワークは、用途、トラフィックプロファイル、またはユースケース（例えば、ｍＭＴＣ用途またはＵＲ／ＬＬ用途またはｅＭＢＢ）に特有の非アクティビティタイマを使用して、ＲＲＣ＿ＩＤＬＥ状態への遷移をトリガし得る。同様に、ＵＥは、用途、トラフィックプロファイル、またはユースケース（例えば、ｍＭＴＣ用途またはＵＲ／ＬＬ用途またはｅＭＢＢ）に特有の非アクティビティタイマを使用して、ＲＲＣ＿ＩＤＬＥ状態への遷移を自律的にトリガし得る。
【００８７】
ネットワーク（例えば、ｅＮｏｄｅＢまたは同等５Ｇ  ＲＡＮノード）が、ＵＥをＲＲＣ＿ＩＤＬＥ状態２１０に再構成すると、ネットワークは、コアネットワークに知らせないように決定し得る。この場合、ＵＥは、ＲＲＣ＿ＩＤＬＥ状態２１０にあり得るが、ＮＡＳでは、ＵＥは、ＲＡＮとコアネットワークとの間のシグナリング接続（例えば、シグナリング接続のＳ１シグナリング接続または５Ｇ無線アクセスネットワークと５Ｇコアネットワークとの間の同等インターフェース）を用いて、完全接続状態（例えば、ＥＣＭ＿ＣＯＮＮＥＣＴＥＤまたは同等５Ｇ  ＮＡＳ状態）にある。これはまた、ＲＲＣ＿ＩＤＬＥがＥＣＭ＿ＣＯＮＮＥＣＴＥＤ状態または同等５Ｇ  ＮＡＳ状態にマッピングされ得ることを意味し得る。
【００８８】
ＲＲＣ＿Ｇｒａｎｔ＿Ｌｅｓｓ状態２１２からＲＲＣ＿Ｃｏｎｎｅｃｔｉｏｎｌｅｓｓ状態２１４を参照すると、ＵＥが、ＲＲＣ＿Ｇｒａｎｔ＿Ｌｅｓｓ状態２１２にあるとき、ネットワーク（例えば、ｅＮＢまたは同等５Ｇ  ＲＡＮノード）は、無接続動作モードで使用されるトランスポートチャネルおよび物理チャネルリソースを用いて、ＵＥを再構成することを決定し得る。これらのリソースの再構成の成功に応じて、ＵＥは、ＲＲＣ＿Ｇｒａｎｔ＿Ｌｅｓｓ状態２１２からＲＲＣ＿Ｃｏｎｎｅｃｔｉｏｎｌｅｓｓ状態２１４に遷移する。ＲＲＣ＿Ｇｒａｎｔ＿Ｌｅｓｓ状態２１２からＲＲＣ＿Ｃｏｎｎｅｃｔｉｏｎｌｅｓｓ状態２１４にＵＥを再構成するためのネットワーク内の例示的トリガは、以下を含み得る。１）無接続動作モードで使用されるトランスポートチャネルまたは物理チャネルリソースを要求する、サービスの追加、または２）ＵＥまたは他のデバイスからの測定（例えば、データ量報告）が、ネットワーク（例えば、ｅＮｏｄｅＢ）がＵＥをＲＲＣ＿Ｃｏｎｎｅｃｔｉｏｎｌｅｓｓ状態２１４に再構成するためにネットワーク内に設定された条件（例えば、閾値を上回るデータ量）を満たした。
【００８９】
ＲＲＣ＿Ｇｒａｎｔ＿Ｌｅｓｓ状態２１２からＲＲＣ＿ＣＯＮＮＥＣＴＥＤ＿ＵＥ＿Ｃｏｎｔｒｏｌｌｅｄ＿Ｍｏｂｉｌｉｔｙ２１６への遷移は、ＲＲＣ＿Ｇｒａｎｔ＿Ｌｅｓｓ状態２１２からＲＲＣ＿Ｃｏｎｎｅｃｔｉｏｎｌｅｓｓ状態２１４への遷移と類似ルールに従ってもよい。例えば、ＵＥが、ＲＲＣ＿Ｇｒａｎｔ＿Ｌｅｓｓ状態２１２にあるとき、ネットワーク（例えば、ｅＮＢまたは同等５Ｇ  ＲＡＮノード）は、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６において使用されるトランスポートチャネルおよび物理チャネルリソースを用いて、ＵＥを再構成することを決定し得る。これらのリソースの再構成の成功に応じて、ＵＥは、ＲＲＣ＿Ｇｒａｎｔ＿Ｌｅｓｓ状態２１２からＲＲＣ＿ＣＯＮＮＥＣＴＥＤ＿ＵＥ＿Ｃｏｎｔｒｏｌｌｅｄ＿Ｍｏｂｉｌｉｔｙ状態２１６に遷移する。
【００９０】
ＲＲＣ＿Ｇｒａｎｔ＿Ｌｅｓｓ状態２１２からＲＲＣ＿ＣＯＮＮＥＣＴＥＤ＿ＮＷ＿Ｃｏｎｔｒｏｌｌｅｄ＿Ｍｏｂｉｌｉｔｙ状態２１８への遷移は、ＲＲＣ＿Ｇｒａｎｔ＿Ｌｅｓｓ状態２１２からＲＲＣ＿Ｃｏｎｎｅｃｔｉｏｎｌｅｓｓ状態２１４への遷移と類似ルールに従ってもよい。例えば、ＵＥが、ＲＲＣ＿Ｇｒａｎｔ＿Ｌｅｓｓ状態２１２にあるとき、ネットワーク（例えば、ｅＮＢまたは同等５Ｇ  ＲＡＮノード）は、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８において使用されるトランスポートチャネルおよび物理チャネルリソースを用いて、ＵＥを再構成することを決定し得る。これらのリソースの再構成の成功に応じて、ＵＥは、ＲＲＣ＿Ｇｒａｎｔ＿Ｌｅｓｓ状態２１２からＲＲＣ＿ＣＯＮＮＥＣＴＥＤ＿ＮＷ＿Ｃｏｎｔｒｏｌｌｅｄ＿Ｍｏｂｉｌｉｔｙ状態２１８に遷移する。
【００９１】
ＲＲＣ＿Ｃｏｎｎｅｃｔｉｏｎｌｅｓｓ状態２１４からＲＲＣ＿Ｇｒａｎｔ＿Ｌｅｓｓ状態２１２への遷移を参照すると、ＵＥが、ＲＲＣ＿Ｃｏｎｎｅｃｔｉｏｎｌｅｓｓ状態２１４にあるとき、ネットワーク（例えば、ｅＮＢまたは同等５Ｇ  ＲＡＮノード）は、グラントレス動作モードにおいて使用されるトランスポートチャネルおよび物理チャネルリソースを用いて、ＵＥを再構成することを決定し得る。これらのリソースの再構成の成功に応じて、ＵＥは、ＲＲＣ＿Ｃｏｎｎｅｃｔｉｏｎｌｅｓｓ状態２１４からＲＲＣ＿Ｇｒａｎｔ＿Ｌｅｓｓ状態２１２に遷移する。ＲＲＣ＿Ｃｏｎｎｅｃｔｉｏｎｌｅｓｓ状態２１４からＲＲＣ＿Ｇｒａｎｔ＿Ｌｅｓｓ状態２１２にＵＥを再構成するためのネットワーク内の例示的トリガは、以下を含み得る。１）ＲＲＣ＿Ｃｏｎｎｅｃｔｉｏｎｌｅｓｓ動作モードにおいて使用されるトランスポートチャネルまたは物理チャネルリソースを要求する、サービスの除去であって、残りのサービスは、ＲＲＣ＿Ｃｏｎｎｅｃｔｉｏｎｌｅｓｓ状態において使用されるトランスポートチャネルまたは物理チャネルリソースのみを要求する、２）ＵＥまたは他のデバイスからの測定（例えば、データ量報告）が、ネットワーク（例えば、ｅＮｏｄｅＢ）がＲＲＣ＿Ｃｏｎｎｅｃｔｉｏｎｌｅｓｓ状態２１４にＵＥを再構成するためにネットワーク内に設定された条件（例えば、閾値を下回るデータ量）を満たした。
【００９２】
ＲＲＣ＿ＣＯＮＮＥＣＴＥＤ＿ＵＥ＿Ｃｏｎｔｒｏｌｌｅｄ＿Ｍｏｂｉｌｉｔｙ状態２１６からＲＲＣ＿Ｇｒａｎｔ＿Ｌｅｓｓ状態２１２への遷移は、ＲＲＣ＿Ｃｏｎｎｅｃｔｉｏｎｌｅｓｓ状態２１４からＲＲＣ＿Ｇｒａｎｔ＿Ｌｅｓｓ２１２への遷移と類似ルールに従う。例えば、ＵＥが、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６にあるとき、ネットワーク（例えば、ｅＮＢまたは同等５Ｇ  ＲＡＮノード）は、グラントレス動作モードにおいて使用されるトランスポートチャネルおよび物理チャネルリソースを用いて、ＵＥを再構成することを決定し得る。これらのリソースの再構成の成功に応じて、ＵＥは、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６からＲＲＣ＿Ｇｒａｎｔ＿Ｌｅｓｓ状態２１２に遷移する。
【００９３】
ＲＲＣ＿ＣＯＮＮＥＣＴＥＤ＿ＮＷ＿Ｃｏｎｔｒｏｌｌｅｄ＿Ｍｏｂｉｌｉｔｙ状態２１８からＲＲＣ＿Ｇｒａｎｔ＿Ｌｅｓｓ状態２１２への遷移は、ＲＲＣ＿Ｃｏｎｎｅｃｔｉｏｎｌｅｓｓ状態２１４からＲＲＣ＿Ｇｒａｎｔ＿Ｌｅｓｓ状態２１２への遷移と類似ルールに従う。例えば、ＵＥが、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８にあるとき、ネットワーク（例えば、ｅＮＢまたは同等５Ｇ  ＲＡＮノード）は、グラントレス動作モードにおいて使用されるトランスポートチャネルおよび物理チャネルリソースを用いて、ＵＥを再構成することを決定し得る。これらのリソースの再構成の成功に応じて、ＵＥは、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８からＲＲＣ＿Ｇｒａｎｔ＿Ｌｅｓｓ状態２１２に遷移する。
【００９４】
ＲＲＣ＿ＣＯＮＮＥＣＴＥＤ＿ＵＥ＿Ｃｏｎｔｒｏｌｌｅｄ＿Ｍｏｂｉｌｉｔｙ状態２１６からＲＲＣ＿ＣＯＮＮＥＣＴＥＤ＿ＮＷ＿Ｃｏｎｔｒｏｌｌｅｄ＿Ｍｏｂｉｌｉｔｙ状態２１８への遷移を参照すると、ＵＥが、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６にあるとき、ネットワーク（例えば、ｅＮＢまたは同等５Ｇ  ＲＡＮノード）は、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８動作モードにおいて使用されるトランスポートチャネルおよび物理チャネルリソースを用いて、ＵＥを再構成することを決定し得る。これらのリソースの再構成の成功に応じて、ＵＥは、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６からＲＲＣ＿ＣＯＮＮＥＣＴＥＤ＿ＮＷ＿Ｃｏｎｔｒｏｌｌｅｄ＿Ｍｏｂｉｌｉｔｙ状態２１８に遷移する。ＵＥは、ネットワーク、モビリティ履歴に関する測定、モビリティ状態、トラフィックパターン、ＵＥが接続モードのままであることが予期される長さ、またはＲＲＣ＿ＣＯＮＮＥＣＴＥＤ＿ＮＷ＿Ｃｏｎｔｒｏｌｌｅｄ＿Ｍｏｂｉｌｉｔｙ状態に遷移されるための選好の提案を提供し得る。
【００９５】
ＲＲＣ＿ＣＯＮＮＥＣＴＥＤ＿ＮＷ＿Ｃｏｎｔｒｏｌｌｅｄ＿Ｍｏｂｉｌｉｔｙ状態２１８からＲＲＣ＿ＣＯＮＮＥＣＴＥＤ＿ＵＥ＿Ｃｏｎｔｒｏｌｌｅｄ＿Ｍｏｂｉｌｉｔｙ状態２１６への遷移を参照すると、ＵＥが、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８にあるとき、ネットワーク（例えば、ｅＮＢまたは同等５Ｇ  ＲＡＮノード）は、ＲＲＣ＿ＣＯＮＮＥＣＴＥＤ＿ＵＥ＿Ｃｏｎｔｒｏｌｌｅｄ＿Ｍｏｂｉｌｉｔｙ状態２１６動作モードにおいて使用されるトランスポートチャネルおよび物理チャネルリソースを用いて、ＵＥを再構成することを決定し得る。これらのリソースの再構成の成功に応じて、ＵＥは、ＲＲＣ＿ＣＯＮＮＥＣＴＥＤ＿ＮＷ＿Ｃｏｎｔｒｏｌｌｅｄ＿Ｍｏｂｉｌｉｔｙ状態２１８からＲＲＣ＿ＣＯＮＮＥＣＴＥＤ＿ＵＥ＿Ｃｏｎｔｒｏｌｌｅｄ＿Ｍｏｂｉｌｉｔｙ状態２１６に遷移する。ＵＥは、ネットワーク、モビリティ履歴に関する測定、モビリティ状態、トラフィックパターン、ＵＥが接続モードのままであることが予期される長さ、またはＲＲＣ＿ＣＯＮＮＥＣＴＥＤ＿ＮＷ＿Ｃｏｎｔｒｏｌｌｅｄ＿Ｍｏｂｉｌｉｔｙ状態２１８に遷移されるための選好の提案を提供し得る。
【００９６】
図１８に描写され、本明細書で議論される状態は、ネットワークによって構成可能であり得る（例えば、ＵＥによってサーブされているユースケースまたは用途を考慮して）。ネットワーク（例えば、ｅＮＢまたは５Ｇ無線アクセスネットワーク同等ノード）は、図１８に図示される状態のサブセットを用いてＵＥを構成し得る。例えば、ＵＲ／ＬＬ用途に関して、ＵＥは、例えば、ＲＲＣ＿Ｇｒａｎｔ＿Ｌｅｓｓ状態２１２およびＲＲＣ＿ＣＯＮＮＥＣＴＥＤ状態２１４の２つののみ状態で構成され得る。本例では、ＵＥは、ＲＲＣ＿ＩＤＬＥ状態２１０で構成されなくてもよい。同様に、例えば、デバイスが静的または非定常である、いくつかのｍＭＴＣ用途に関して、ＵＥは、ＲＲＣ＿ＩＤＬＥ状態２１０およびＲＲＣ＿Ｃｏｎｎｅｃｔｉｏｎｌｅｓｓ状態２１４のみで構成され得る。
【００９７】
本明細書では、図１８の異なる状態も、混合および合致され得ることが検討される。多くの状態は、要求されない、または他の状態と組み合わせられ得る。例えば、ＲＲＣ＿Ｇｒａｎｔ＿Ｌｅｓｓ状態２１２の特徴は、ＲＲＣ＿Ｃｏｎｎｅｃｔｉｏｎｌｅｓｓ状態２１４またはＲＲＣ＿ＣＯＮＮＥＣＴＥＤ＿ＵＥ＿Ｃｏｎｔｒｏｌ＿Ｍｏｂｉｌｉｔｙ状態２１６と組み合わせられ得る。以下に開示されるような各状態に関連付けられたステップおよびシナリオは、スキップされる、または組み合わせられ得る。図２２−図２６は、本明細書に説明され、図１８に提供される状態に関連付けられた状態およびステップのうちの１つ以上のものを組み込み得る、方法を提供する。
【００９８】
モビリティ管理機構が、以下に開示される。開示されるモビリティ管理は、無線アクセスネットワークベースの追跡エリア制御を検討し、ページングプロシージャをサポートし、モビリティ関連シグナリングまたはメッセージングを低減させる。例えば、無線アクセスネットワーク登録エリア（ＲＲＡ）、動的ＲＲＡ管理、ＲＡＮベースのページング、および無線アクセスネットワークベースのモビリティ管理である。
【００９９】
以下は、図１９、図２０、および図２１等の開示されるアーキテクチャにおいて使用される、ＲＲＡのための定義された用語または論理エンティティである。無線アクセスネットワーク（ＲＡＮＷ）は、ＵＥとコアネットワーク（ＣＮ）、例えば、ＬＴＥ  ＲＡＮ、ＷｉＦｉ無線ネットワーク等との間の接続を提供する、無線ネットワークである。ＲＡＮＷ登録エリア（ＲＲＡ）は、ＲＡＮＷレベルにおいて場所追跡エリアとして使用される、無線アクセスネットワーク登録エリアである。ＲＲＡは、１つまたは複数の無線アクセスネットワーク、例えばＬＴＥシステム内の、１つまたは複数のｅＮＢまたはＷｉＦｉシステム内のアクセスポイント（ＡＰ）を含み得る。例えば、ＬＴＥシステムでは、ＭＭＥの場所追跡エリアは、対応するｅＮＢｓによってローカルで制御および管理される、複数のＲＲＡに分割され得る。
【０１００】
ＲＲＡアンカポイント（ＲＲＡａＰ）は、コアネットワーク（ＣＮ）、他の無線アクセスネットワーク、およびＵＥとのインターフェースを用いて、無線アクセスネットワークをサーブする。これは、ＲＡＮＷ登録のためのレジストラとしての役割を果たし、したがって、また、ローカル無線アクセスエリア内のＵＥの場所（例えば、到達可能性ステータス）を追跡し、ＵＥのモビリティをローカルで管理する役割を果たす。例示的ＲＲＡａＰは、ＬＴＥシステム内のｅＮＢまたはＷｉＦｉシステム内のＡＰコントローラであり得る。
【０１０１】
サービングＲＲＡノード（ＳＲＲＡＮ）は、ＲＲＣ＿Ｉｄｌｅ状態にある間、コアネットワーク（ＣＮ）へのＵＥの接続拠点、例えば、ＵＥがＲＲＣ接続を行うエンティティにサーブし、シグナリングを介して具体的物理接続、またはＵＥとＲＡＮＷとの間の関係またはコンテキスト存在を介してデータチャネルもしくは論理接続を提供する。ＵＥ毎に、ＳＲＲＡＮが表すＲＡＮＷとの接続またはコンテキストを有する、１つのＳＲＲＡＮが、存在する。ＳＲＲＡＮは、ＲＲＡａＰ、すなわち、ＵＥの場所の追跡およびローカルモビリティ管理を担う、そのＲＲＡ内のＵＥへのＲＡＮＷレジストラであり得る。例示的ＳＲＲＡＮは、ＬＴＥシステム内のｅＮＢまたはＷｉＦｉシステム内のＡＰもしくはＡＰコントローラであり得る。
【０１０２】
ドリフティングＲＲＡノード（ＤＲＲＡＮ）は、サービングＲＲＡノードへの代替ＲＲＡノードとしての役割を果たし、ＵＥの一時拠点、例えば、ＲＲＣ＿Ｃｏｎｎｅｃｔｅｄ状態１１４にある間、ＵＥがコアネットワーク（ＣＮ）へのハンドオーバを行うエンティティとして作用し、シグナリングまたはデータチャネルを介して、具体的物理接続を提供する。ＵＥ毎に、ＤＲＲＡＮが表すＲＡＮＷとの接続を有する、１つのＤＲＲＡＮが、存在する。ＤＲＲＡＮは、ＵＥが訪問している代替ＲＲＡのＲＲＡａＰであり得る。例示的ＤＲＲＡＮは、ＬＴＥシステム内のｅＮＢまたはＷｉＦｉシステム内のＡＰもしくはＡＰコントローラであり得る。
【０１０３】
図１９、図２０、および図２１は、ＬＴＥシステム内のＲＲＡａＰ、ＳＲＲＡＮ、およびＤＲＲＡＮの例示的展開である。同一機構はまた、非ＬＴＥシステムまたはＬＴＥおよび非ＬＴＥ統合システムに適用可能であることに留意されたい。
【０１０４】
図１９は、ＲＲＡ重複を伴わない例示的階層アーキテクチャを図示する。示されるように、ＭＭＥ２２１は、ｅＮＢ２２２、ｅＮＢ２２３、ｅＮＢ２２４、ｅＮＢ２２５、ｅＮＢ２２６、およびｅＮＢ２２６等のくつかの無線アクセスネットワークノードと接続され得る。コアネットワークモビリティコントローラ（例えば、ＭＭＥ２２１）のモバイル追跡／ページングエリア２２０は、それぞれ、ＲＲＡアンカポイント（ＲＲＡａＰ）またはＲＡＮＷレジストラ（例えば、ＬＴＥシステムにおけるＲＲＡ２３０のためのＲＲＡａＰとしてのｅＮＢ２２２およびＲＲＡ２３１のためのＲＲＡａＰとしてのｅＮＢ２２３）によって制御および管理される、ＬＴＥシステム内の複数の無線アクセスネットワークレベル追跡／ページングエリア−ＲＡＮＷ登録エリア、例えば、ｅＮＢ２２２およびｅＮＢ２２３追跡／ページングエリアＲＲＡ２３０およびＲＲＡ２３１にスライシングされ得る。
【０１０５】
各ＲＲＡでは、サービングＲＲＡノード（例えば、また、ＲＲＡ２３１内のＲＲＡａＰまたはｅＮＢ２２６である、ｅＮＢ２２２）またはドリフティングＲＲＡノード（例えば、ＲＲＡ２３０内のｅＮＢ２２４または同様にＲＲＡ２３０内のｅＮＢ２２５）として、１つまたは複数の無線アクセスノード（例えば、ＬＴＥシステム内のｅＮＢ）が、存在し得る。
【０１０６】
各ＲＲＡａＰは、ＬＴＥシステムにおいて例示されるような以下のインターフェースを有し得る。１）コアネットワークへのインターフェース、例えば、それぞれ、ｅＮＢ２２２またはｅＮＢ２２３とＭＭＥ／ＳＧＷとの間に示されるようなＳ１様またはＳ１拡張インターフェースＳ１’、２）他のＲＲＡａＰｓへのインターフェース、例えば、ｅＮＢ２２２またはｅＮＢ２２３との間に示されるようなＸ２様またはＸ２拡張インターフェースＸ２’、３）そのＲＲＡ内のＳＲＲＡＮおよびＤＲＲＡＮへのインターフェース、例えば、それぞれ、ＲＲＡ２３０内のｅＮＢ２２２とｅＮＢ２２４とｅＮＢ２２５との間、またの各々は、ＲＲＡ２３１内のｅＮＢ２２３とｅＮＢ２２６とｅＮＢ２２７との間に示されるようなＸ２様またはＸ２拡張インターフェースＸ２’、および４）そのＲＲＡ内のＵＥへのインターフェース、例えば、ＵＥ２２８とＲＲＡ２３０内のＲＲＡａＰとしてのｅＮＢ２２２との間に示されるようなＵｕ様またはＵｕ拡張インターフェースＵｕ’。
【０１０７】
各ＳＲＲＡＮまたはＤＲＲＡＮは、ＬＴＥシステムにおいて例示されるような以下のインターフェースを有し得る。１）コアネットワークへのインターフェース、例えば、ＲＲＡ２３０内のＤＲＲＡＮとしてのｅＮＢ２２４とＲＲＡ２３１内のＳＲＲＡＮとしてのＭＭＥ／ＳＧＷ２２１またはｅＮＢ２２６とＭＭＥ／ＳＧＷ２２１との間に示されるようなＳ１様またはＳ１拡張インターフェースＳ１’、２）他のＳＲＲＡＮまたはＤＲＲＡＮへのインターフェース、例えば、ＲＲＡ２３１およびＲＲＡ２３０を横断してＲＲＡ２３０内のＲＲＡａＰ／ＳＲＲＡＮとしてのｅＮＢ２２２とＤＲＲＡＮとしてのｅＮＢ２２４との間またはＳＲＲＡＮとしてのｅＮＢ２２６とＤＲＲＡＮとしてのｅＮＢ２２５との間に示されるようなＸ２様またはＸ２拡張インターフェースＸ２’、および３）そのＲＲＡ内のＵＥへのインターフェース、例えば、ＵＥ２２９とＲＲＡ２３１内のＳＲＲＡＮとしてのｅＮＢ２２６との間に示されるようなＵｕ状またはＵｕ拡張インターフェースＵｕ’。
【０１０８】
図２０は、上記に説明される図１９に類似する別の階層構造を図示するが、隣接するＲＲＡ間に重複エリアが存在し、例えば、ＲＲＡ２３０およびＲＲＡ２３１は、ｅＮＢ２２５にわたって重複する。このシナリオでは、両ＲＲＡａＰは、重複エリアにおいてＳＲＲＡＮまたはＤＲＲＡＮへのインターフェースを有し得、例えば、ＲＲＡａＰとしてのｅＮＢ２２２およびＲＲＡａＰとしてのｅＮＢ２２３は、それぞれ、ｅＮＢ２２５とのＸ２’インターフェースを有する。
【０１０９】
例示的分散型アーキテクチャが、図２１に示され、コアネットワークモビリティコントローラのＭＭＥの追跡／ページングエリア、例えば、ＬＴＥシステム内のＭＭＥの追跡／ページングエリアが、全ての無線アクセスネットワークノード間に分散され、これは、ＬＴＥシステム内のＲＲＡアンカポイント（例えば、それぞれ、ＲＲＡ２５０およびＲＲＡ２５１のためのＲＲＡａＰとしてのｅＮＢ２４２およびｅＮＢ２４６）によって制御および管理される。ノード（ＲＲＡａＰとしての各ノード）、例えば、ｅＮＢ２４３、２４４、２４５、および２４７毎の追跡／ページングエリアが、図２１の本分散型アーキテクチャ下では存在するであろうが、空間制約のため、図２１に示されない。
【０１１０】
ＲＲＡは、システム構成または更新を介して構成され得る。しかし、ＲＲＡはまた、コアネットワークおよび無線アクセスネットワークのステータスおよび能力に基づいて、動的に作成、更新、または除去され得る。例えば、新しいＲＲＡは、トラフィック負荷、イベントスケジューリング、システム記憶装置または算出電力、サービス要件等に基づいて作成または除去される。別の例では、新しいＲＲＡは、ネットワークまたはＲＡＮスライシングに起因して作成または除去される。
【０１１１】
以下に説明される図１８および図２２−図２６は、通信ネットワークの装置／デバイス間の相互作用のための方法を図示する。図１８および図２２−図２６に図示されるステップを行うエンティティは、無線および／またはネットワーク通信のために構成される装置もしくは図２７ＢおよびＦに図示されるもの等のコンピュータシステムのメモリ内に記憶され、そのプロセッサ上で実行する、ソフトウェア（すなわち、コンピュータ実行可能命令）の形態で実装され得る、論理エンティティであり得ることを理解されたい。すなわち、図１８および図２２−図２６に図示される方法は、図２７ＢおよびＦに図示される装置もしくはコンピュータシステム等の通信装置のメモリ内に記憶される、ソフトウェア（すなわち、コンピュータ実行可能命令）の形態で実装され得、そのコンピュータ実行可能命令は、装置のプロセッサによって実行されると、図１８および図２２−図２６に図示されるステップを行う。また、図１８および図２２−図２６に図示される任意の伝送および受信ステップは、装置のプロセッサならびにそれが実行するコンピュータ実行可能命令（例えば、ソフトウェア）の制御下で、装置の通信回路によって行われ得ることも理解されたい。ある例では、デバイスの相互作用に関する以下のさらなる詳細を伴って、図２２のＲＲＡａＰ２６２は、図２７Ａの基地局１１４ａ、図２７ＣのＮｏｄｅ−Ｂ１４０Ａ、図２７ＤのｅＮｏｄｅ−Ｂ１６０ａ、または図２７Ｅの基地局１８０ｃ上に常駐し得る一方、図２２のＭＭＥ２６４（ＲＡＮスライシングコントローラ）は、図２７ＤのＭＭＥ１６２に類似し得る。本明細書に開示される例示的方法（例えば、図１８および図２２−図２６）間のステップのスキップ、ステップの組み合わせ、またはステップの追加も、検討される。
【０１１２】
階層アーキテクチャのための動的ＲＲＡ管理の例（図１９は、例である）は、ＲＲＡを作成するための図２２およびＲＲＡを除去する図２３に図示される。図２２および図２３に図示される例は、アプリケーション／サービス要件、ネットワークトラフィック、ネットワークスライシング、モビリティ管理ステータス等に基づいて、ＬＴＥシステム内のアプリケーション機能、ネットワークコントローラ、またはＭＭＥによって開始され得る。ＲＲＡの作成または除去も、図２２および図２３に図に示される類似プロシージャに続いて、無線アクセスネットワークのトラフィック、モビリティ管理、ＲＡＮスライシング等に基づいて、ＳＲＲＡＮまたはＤＲＲＡＮによって開始され得る。
【０１１３】
図２２に関する追加の詳細は、以下に議論される。図２２は、ＲＲＡの作成に関連付けられた動的ＲＲＡ管理のための例示的方法を図示する。提案されるネットワークは、以下のノード（例えば、ｅＮＢ）、すなわち、ＳＲＲＡＮ２６０（ＤＲＲＡＮであり得る）、ＳＲＲＡＮ２６１（ＤＲＲＡＮであり得る）、ＲＲＡａＰ２６２、およびＲＲＡａＰ２６３等を含み得る。図２２はまた、ＭＭＥ２６４（例えば、ＲＡＮスライシングコントローラ）およびＨＳＳ２６５（例えば、ＡＦまたはネットワークコントローラ）を含み得る。ステップ２７０では、ＳＲＲＡＮ２６０およびＳＲＲＡＮ２６１が確立され得、これは、ＲＲＡａＰ２６２下のＲＲＡ１内にある。ＲＲＡａｐ＿ｎｅｗ２６３は、ＭＭＥ２６４下にあり得るが、ＲＲＡａＰ２６２下のＲＲＡ１にはなくてもよい。ステップ２７１では、ＨＳＳ２６５は、ＭＭ要求を送信する、またはＲＡＮスライシング要求を作成し得る。ステップ２７２では、ＭＭＥ２６４は、新しいＲＲＡを作成し、ＲＲＡａＰ＿ｎｅｗ２６３を選択することを決定し得る。ステップ２７３では、ＭＭＥは、ＲＲＡ作成要求をＲＲＡａＰ２６２コンテキストとともに送信する。ステップ２７４では、ＲＲＡａＰ＿ｎｅｗ２６３は、ＲＲＡ２を作成する。ステップ２７５では、ＲＲＡａＰ＿ｎｅｗ２６３は、ＲＲＡ作成応答をＲＲＡ２コンテキストとともに送信する。ブロック２６６（ステップ２７６）またはブロック２６７（ステップ２７７）が、生じてもよい。ステップ２７６では、ＲＲＡａＰ＿ｎｅｗ２６３は、ＲＲＡ更新要求をＲＲＡ２およびＳＲＲＡＮ２６１コンテキストとともに送信し得る。代替として、ステップ２７７では、ＭＭＥ２６４は、ＲＲＡ更新要求をＲＲＡ２およびＳＲＲＡＮ２６１コンテキストとともに送信し得る。
【０１１４】
図２２を継続して参照すると、ステップ２７８では、ＲＲＡ２コンテキストを伴うＲＲＡ更新要求は、ＲＲＡＰ２６２によって送信される。ブロック２６８（ステップ２７９−ステップ２８１）またはブロック２６９（ステップ２８７−ステップ２８９）が、生じてもよい。ステップ２７９では、ＳＲＲＡＮ２６１は、ＲＲＡ更新要求をＳＲＲＡＮ２６１コンテキストとともに送信し得る。ステップ２８０では、ＲＲＡａＰ＿ｎｅｗ２６３は、ＲＲＡ２を更新し得る。ステップ２８１では、ＲＲＡａＰ＿ｎｅｗ２６３は、ＲＲＡ更新応答をＲＲＡ２コンテキストとともに送信し得る。ステップ２８２では、ＲＲＡ更新応答は、ＳＲＲＡＮ２６１によって送信され得る。ステップ２８３では、ＲＲＡａＰ２６２は、ＲＲＡ１を更新し得る。ステップ２８４またはステップ２８５が、生じてもよい。ステップ２８４では、ＲＲＡ更新応答は、ＲＲＡａＰ＿ｎｅｗ２６３に送信され得る。ステップ２８５では、ＲＲＡ更新応答は、ＭＭＥ２６４に送信され得る。随意のブロック２６９に関して、ステップ２８６では、ＲＲＡＰ２６２は、ＳＲＲＡＮ２６１情報をＲＲＡａＰ＿ｎｅｗ２６３に送信し得る。ステップ２８７では、ＲＲＡａＰ＿ｎｅｗ２６３は、ＲＲＡ更新要求をＲＲＡ２コンテキストとともに送信し得る。ステップ２８８では、ＳＲＲＡＮ２６１は、ＲＲＡ更新応答を送信し得る。ステップ２８９では、ＲＲＡａＰ＿ｎｅｗ２６３は、ＲＲＡ２を更新し得る。ステップ２９０では、ＭＭＥ２６４は、作成応答を送信する、またはＨＳＳ２６５へのスライシング応答を作成し得る。
【０１１５】
図２３は、動的ＲＲＡ管理−ＲＲＡの除去を図示する。ステップ３０１からステップ３１６は、ブロック３１８（ステップ３０４−ステップ３０８）およびブロック３１９（ステップ３１１−ステップ３１６）の随意のステップを除いて使用され得る。
【０１１６】
図２４は、無線アクセスネットワークベースのページングのための例示的方法を図示し、これは、ＬＴＥ等のいくつかのシステムにおいて従来行われる不必要なページングメッセージを低減させ得る。図１９のアーキテクチャは、図２４の方法に関する全体像を与えるために参照され得る。図２４に示されるような方法はまた、以下の差異を伴って、図２０および図２１に示される他のアーキテクチャに適用可能である。１）図２０に示されるように、重複エリアにおけるＳＲＲＡＮまたはＤＲＲＮに関して、場所、到達可能性ステータス等、ＵＥのモビリティコンテキストとともに、両ＲＲＡａＰを更新する必要がある（例えば、ｅＮＢ２２５は、Ｘ２’インターフェースを介して、両ｅＮＢ２２２およびｅＮＢ２２３を更新する）、２）図２１に示されるように、ＳＲＲＡＮまたはＤＲＲＮ（すなわち、それぞれ、個々のＲＲＡａＰとして）は、場所、到達可能性ステータス等のＵＥのモビリティコンテキストを交換する必要がある、例えば、ｅＮＢ２４２−ｅＮＢ２４７は、それぞれ、Ｘ２’インターフェースを介して、ＵＥのモビリティコンテキストを更新するが、ページングエリアは、無線アクセスノードエリア（例えば、最小ＲＲＡ）に低減され得る。
【０１１７】
図２４は、ネットワークと通信する複数のＵＥが存在し得る、方法を図示する。ネットワークに接続される１つ以上のＵＥが、検討される。ステップ３２１では、ＲＲＡａＰ２２２（すなわち、本インスタンスでは、ｅＮＢ２２２）は、ＲＲＡ／ＲＲＣページング（例えば、システム情報）をＵＥ２２８に提供する。ステップ３２１では、ＲＲＡａＰ２２３（すなわち、本インスタンスでは、ｅＮＢ２２３）は、ＲＲＡ／ＲＲＣページング（例えば、システム情報）をＵＥ２２９に提供する。ステップ３２２では、ＵＥ２２８は、測定報告（例えば、＋場所、速度等）をＲＲＡａＰ２２２に提供する。ステップ３３２では、ＵＥ２２９は、測定報告（例えば、＋場所、速度等）をＲＲＡａＰ２２３に提供する。ステップ３２３では、ＲＲＡａＰ２２２は、ＲＲＡ２３０を更新し、ＵＥ２２８コンテキストを更新し得、これは、ＵＥ２２８到達可能性ステータスの更新を含み得る。ステップ３２３では、ＲＲＡａＰ２２２は、ＲＲＡ２３０リストを更新する、ＵＥ２２８コンテキストを更新する、またはＵＥ２２８到達可能性ステータスを更新し得る。ステップ３３３では、ＲＲＡａＰ２２３は、ＲＲＡ２３１リスト（例えば、ＲＲＡａＰによって管理されるＲＲＡ内のＵＥのリスト）を更新する、ＵＥ２２９コンテキストを更新する、またはＵＥ２２９到達可能性ステータスを更新し得る。ステップ３２４では、異なるＲＲＡａＰ（例えば、ＲＲＡａＰ２２２、ＲＲＡａＰ２２３、ＲＲＡａＰ２３２）、ＳＲＲＡＮ、またはＤＲＲＡＮは、Ｘ２’インターフェースを介して、ＵＥのモビリティコンテキストを交換し得る。モビリティコンテキストは、異なるノード間で交換され得、したがって、ネットワークは、ネットワークがノードをページングする必要がある場合、ノードが位置する場所を把握する。場所が既知ではない場合、ネットワークは、全てのノード内のＵＥをページングする必要があるであろう。モビリティコンテキストの交換はまた、ＵＥ場所または軌道に基づいて、ＲＲＡの動的更新をトリガするために使用され得る。これは、Ｘ２／Ｘ２拡張インターフェースを介して接続される、ＲＲＡａＰに限定され得る。
【０１１８】
図２４を継続して参照すると、ステップ３２５では、１つ以上のメッセージが、ブロック２２１のＭＭＥに送信され得る。例えば、ＭＭＥは、ＤＬデータが伝送される必要があることの指示を受信し、これは、ＭＭＥがＵＥ２２８をページングする結果をもたらす。または、ＭＭＥは、ＳｘサーバからのＵＥ２２８へのＤＬ緊急メッセージもしくはＳｙサーバからのＤＬ緊急ブロードキャストメッセージを受信し得る。ステップ３２６では、Ｓ１ＡＰページングに基づいて、ステップ３２５のメッセージまたはＣＮ更新情報のうちの１つ以上のものが、ＲＲＡａＰ２２２、ＲＲＡａＰ２２３、またはＲＲＡａＰ２３２に送信され得る。本ステップ３２６の一部として、Ｓ１ＡＰページング要求が、ＵＥに到達可能であり得るノードに送信される。ステップ３２７では、ＲＲＡａＰ２２２は、コアネットワーク（ＣＮ）情報、緊急ブロードキャスト、またはＵＥ２２８へのＤＬ  ＵＥデータもしくは緊急メッセージであるかどうかを決定し得る。また、ステップ３２７では、ＲＲＡａＰ２２２は、ＵＥ２２８がそのＲＲＡ２３０内にあるかどうかを決定し得る。ＲＲＡａＰ２２２は、ページングメッセージをそのＲＲＡ内のＵＥに送信し得る。本例では、ＵＥ２２８のみが、そのＲＲＡ内にあるように示される。同様に、ステップ３３７では、ＲＲＡａＰ２２３は、コアネットワーク（ＣＮ）情報、緊急ブロードキャスト、またはＵＥ２２９へのＤＬ  ＵＥデータもしくは緊急メッセージであるかどうかを決定し得る。また、ステップ３３７では、ＲＲＡａＰ２２３は、ＵＥ２２９がそのＲＲＡ２３１内にあるかどうかを決定し得る。ＲＲＡａＰ２２３は、ページングメッセージをそのＲＲＡ内の全てのＵＥに送信し得る。本例では、ＵＥ２２９のみが、そのＲＲＡ内にある。ステップ３２８では、ＲＲＡａＰ２２２によるＲＲＡ／ＲＲＣページングは、ＣＮ更新情報、緊急ブロードキャスト、またはＤＬ  ＵＥ２２８データもしくは緊急メッセージを含み得る。ステップ３３８では、ＲＲＡａＰ２２３によるＲＲＡ／ＲＲＣページングは、ＣＮ更新情報、緊急ブロードキャスト、またはＤＬ  ＵＥ２２９データもしくは緊急メッセージを含み得る。ステップ３２９では、ＵＥ２２８は、ページングコンテンツを上位層に渡す必要があるかどうかを決定し得る。ステップ３３９では、ＵＥ２２９は、ページングコンテンツを上位層に渡す必要があるかどうかを決定し得る。ステップ３４０では、ＲＲＡａＰ２２３は、別のＵＥ（図示せず）のためのＤＬページングを別のＵＥが位置するＲＲＡａＰ２３２に転送し得る。
【０１１９】
無線アクセスネットワークベースのモビリティ管理は、図２５および図２６に図示される。図１８および付随の説明は、図２２−図２６の方法フローにおいて検討され得る。図１９および図２０は、それぞれ、図２５および図２６の方法に関する全体像を得るために参照され得る。図２５は、ＲＲＡ内の例示的ＲＲＡａＰ／ＳＲＲＡＮ開始ハンドオーバを図示する。ステップ３４１では、ＵＥ２２８は、測定を決定し得る。ステップ３４２では、ＵＥ２２８は、測定をＲＲＡａＰ２２２に送信し得る。ステップ３４３では、ステップ３４２の測定に基づいて、ＤＲＲＡＮ２２４は、ＵＥ２２８のハンドオーバのために選択され得る。ステップ３４４では、ＲＲＡａＰ２２２は、ステップ３４３における選択に基づいて、ハンドオーバ要求をＤＲＲＡＮ２２４に送信する。ステップ３４５では、ＤＲＲＡＮ２２４は、ハンドオーバ応答をＲＲＡａＰ２２２に送信する。ステップ３４６では、ＵＥ２２８、ＲＲＡａＰ２２２、およびＤＲＲＡＮ２２４は、ハンドオーバプロセスを行う。ステップ３４７では、ＲＲＡａＰ２２２は、ＵＥ２２８のコンテキストを更新する。ステップ３４８では、ＲＲＡａＰ２２２およびＲＲＡａＰ２２３は、ＵＥ２２８を含み得る、ＵＥの到達可能性を交換し得る。
【０１２０】
図２６は、ローカルエリアにおけるＲＲＡを横断する間、ＵＥによって制御されるＵＥモビリティ管理の例示的方法を図示する。図２６は、ステップ３５１におけるように、ＲＲを横断した例示的ＵＥ開始ハンドオーバを図示し、ＵＥ２２９は、スリープモードを中止し、システム情報に関してＰＢＣＨをリッスンし得る。ステップ３５２およびステップ３５３では、ＳＲＲＡＮ２２６およびＲＲＡａＰ２２３は、それぞれ、ＵＥ２２９に到達することが不可能であり得る。ＵＥ２２９は、ＳＲＲＡＮ２２６およびＲＲＡａＰ２２３の範囲外にあり得る、またはこれらのノードからの信号は、遮断され得る。妨害物は、高周波数がいくつかの展開のために使用されることが予期されるため、ＮＲにとってより問題となることが予期される。ステップ３５４では、ＤＲＲＡＮ２２５は、ＵＥ２２９によって受信される、システム情報をＵＥ２２９に送信する。ステップ３５２、３５３、および３５４は、ほぼ同時に発生し得る。ステップ３５５では、ＵＥ２２９は、受信されたシステム情報に基づいて、ＤＲＲＡＮ２２５を選択する。ステップ３５６では、ＵＥ２２９は、アタッチ要求を、ステップ３５５の決定された選択に基づいて、ＤＲＲＡＮ２２５に送信する。アタッチ要求は、ＲＲＡａＰ２２３またはＳＲＲＡＮ２２６情報を含み得る。ステップ３５７では、ステップ３５６のアタッチ要求に応答して、ＤＲＲＡＮ２２５は、ＲＲＡａＰ２２３またはＤＲＲＡＮ２２５情報を含み得る、アタッチ応答を送信する。ステップ３５８では、ＤＲＲＡＮ２２５は、ＲＲＡａＰ２２３、ＳＲＲＡＮ２２６、またはＵＥ２２９のコンテキスト情報をＲＲＡａＰ２２２に転送し得る。ステップ３５９では、ＲＲＡａＰ２２２は、ステップ３５８の情報に基づいて、そのＵＥ２２９到達可能性ステータスを更新し得る。ステップ３６０では、ＲＲＡａＰ２２２は、ＳＲＲＡＮ２２６またはＵＥ２２９コンテキスト情報をＲＲＡａＰ２２３に転送し得る。ステップ３６１では、ＲＲＡａＰ２２３は、ステップ３６０の情報に基づいて、それが有するＵＥ２２９の到達可能性ステータスを更新し得る。ステップ３６２では、ＳＲＲＡＮ２２６は、ＵＥ２２９のコンテキスト情報をＲＲＡＡＰ２２３から転送され得る。ステップ３６３では、故に、ＳＲＲＡＮ２２６は、ステップ３６２において受信された情報に基づいて、それが有するＵＥ２２９のコンテキスト情報を更新し得る。
【０１２１】
上記に説明されるハンドオーバ機構はまた、例としての以下のハンドオーバシナリオを伴う、図２１に図示される分散型アーキテクチャにも適用可能である。無線アクセスノードの完全分散型ネットワーク、例えば、ＬＴＥ  ｅＮＢまたはＷｉＦｉ  ＡＰのメッシュネットワークに関して、モビリティは、無線アクセスノード間のインターフェースを経由して交換される、場所、到達可能性ステータス等のＵＥモビリティコンテキストとともに、それらの間の直接インターフェースを介して、２つの無線アクセスノード間（例えば、ＬＴＥシステム内のそれらの間のＸ２’インターフェースを介して、２つのｅＮＢ間）でハンドリングされ得る。無線アクセスノードの部分的分散型ネットワーク、例えば、ＬＴＥ  ｅＮＢまたはＷｉＦｉ  ＡＰの部分的メッシュネットワークに関して、一対の無線アクセスノード間に直接インターフェースが、あり得る、またはそうではなくてもよい。モビリティは、それらの間の直接インターフェースを用いて、一対の無線アクセスノード間で上記に説明されるものと同一方法でハンドリングされ得る。
【０１２２】
無線アクセスノードのハンドオーバおよび部分的分散型ネットワークを継続して参照すると、モビリティは、以下に例示されるように、それらの間の直接インターフェースを伴わずに、一対の無線アクセスノード間で異なるようにハンドリングされ得る。第１の例では、それぞれ、対の無線アクセスノードとの直接インターフェースを有する、第３の無線アクセスノードが、存在する場合、ハンドオーバは、それぞれ、対の無線アクセスノードへのその直接インターフェースを通して、第３のノードを介して行われてもよい。したがって、第３のノードは、ハンドオーバプロシージャのための中継器としての役割を果たし、それぞれ、対の無線アクセスノード間のそのインターフェースを経由して、場所、到達可能性ステータス等のＵＥモビリティコンテキストの交換をサポートする。第２の例では、それぞれ、対の無線アクセスノードとの直接インターフェースを有する、第３の無線アクセスノードが、存在しない場合、ハンドオーバは、それぞれ、対の無線アクセスノードへのその直接インターフェースを通したコアネットワークのモビリティコントローラ、例えば、それぞれ、ＬＴＥシステム内の対のｅＮＢへのＳ１’インターフェースを介したＭＭＥを介して、行われてもよい。したがって、コアネットワークコントローラは、ハンドオーバプロシージャを管理し、それぞれ、対の無線アクセスノード間のそのインターフェースを経由して、場所、到達可能性ステータス等のＵＥモビリティコンテキストの交換をサポートする。
【０１２３】
本開示では、５Ｇ、５Ｇシステム、次世代、次世代システムは、同義的に使用される。また、本開示では、用語「Ｎｏｄｅ  Ｂ」または「ｅＮｏｄｅ  Ｂ」または「５Ｇ  ＲＡＮノード」は、一般的に、制御プレーンまたはユーザプレーンのいずれかに位置し得、かつ中央場所（例えば、データセンタ、クラウド、すなわち、仮想化をサポートする中央コントローラまたは中央ユニット）に位置し得る、または、例えば、ＲＡＮのエッジに位置するＲＡＮ機能を伴う送受信点（ＴＲＰ）のための分散型ＲＡＮユニットとしてＲＡＮのエッジに位置し得る、５Ｇ無線アクセスネットワークノードを示すために使用される。同様に、用語「ＭＭＥ」または「５Ｇ  ＣＮ制御ノード」は、一般的に、制御プレーンに位置する５Ｇネットワーク制御エンティティまたは制御ユニットを指すために使用される。用語「Ｓ−ＧＷ」、「Ｐ−ＧＷ」、または「５Ｇコアネットワーク等価ノード」は、データプレーンまたはユーザプレーン内に位置する５Ｇコアネットワークゲートウェイまたはユーザデータ処理ユニットを指すために使用される。
【０１２４】
デバイスは、本明細書では、ＵＥを含む、通信デバイスの総称族名として使用される。「装置」、「無線または有線通信のために構成される装置」、「デバイス」、および「ＵＥ」等の用語は、本書全体を通して同義的に使用される。本願の目的のために、デバイスに適用される方法は、ＵＥに適用され得る。アーキテクチャ上、ＵＥは、ＵＳＩＭ（ユーザサービス識別モジュール）、無線伝送を実施するモバイル着信（ＭＴ）、エンドツーエンドアプリケーションおよびキーボード（例えば、ラップトップ）を含む、ならびに関連機能および端末機器（ＴＥ）を含む。いくつかのデバイスは、例えば、グラフィカルユーザインターフェース、または音声認識インターフェース、もしくは同等物等のユーザインターフェースを有する必要がない場合、ＴＥを有していないこともある。
【０１２５】
本明細書に議論されるような不可欠なシステム情報は、ＵＥが、ネットワークにアクセス可能となる、例えば、ランダムアクセスプロシージャを実施し、ＲＲＣ（無線リソース制御）シグナリング接続を確立する前に読み取らなければならない、システム情報である。既存の４Ｇ  ＬＴＥシステムを参照すると、そのような不可欠なシステム情報は、ＳＩＢタイプ８（当該無線アクセス技術（ＲＡＴ）のサポートに応じて）、ＳＩＢタイプ１７（ＲＡＮ支援ＷＬＡＮインターワーキングのサポートに応じて）を通して、マスタ情報ブロック（ＭＩＢ）、システム情報ブロック（ＳＩＢ）タイプ１、ＳＩＢタイプ２内に捕捉された情報を含む。ＭＩＢは、例えば、ダウンリンクセル帯域幅およびシステムフレーム番号についての情報を含む。ＳＩＢタイプ１は、ＵＥがセルにキャンプすることを可能にされるかどうかに関連する情報を含み得る。ＳＩＢタイプ２は、セルにアクセス可能であるためにＵＥが必要とする情報を含む。ＳＩＢタイプ３は、セル再選択に関連する情報を含む。ＳＩＢ４−ＳＩＢ８は、近隣関連情報を含む。
【０１２６】
グラントレスアップリンクデータ転送は、本明細書に議論されるように、ＵＥからネットワークへのアップリンクユーザデータ転送時、ＵＥが、最初に、通信リソースをネットワーク（例えば、ｅＮＢまたは５Ｇ  ＲＡＮノード均等物）から要求する（例えば、ネットワークから周波数ドメインおよび時間ドメインにおいて）、またはＵＥがシステムにアクセスし、ユーザデータをアップリンク方向に送信する前に、ネットワークが通信リソースをＵＥに配分することを待つ必要がないことを意味する。
【０１２７】
要するに、分散型モビリティ管理ならびにＵＥ状態および状態遷移は、データ伝送のためのライトウェイトシグナリングを有効にするために開示される。開示されるのは、ＲＡＮベースの追跡エリア制御（例えば、ＲＲＡアンカポイント（ＲＲＡａＰ）、サービングＲＲＡノード（ＳＲＲＡＮ）、ドリフティングＲＲＡノード（ＤＲＲＡＮ））を有効にするための無線アクセス登録エリア（ＲＲＡ）および論理エンティティである。機構は、場所更新の報告をトリガし、ＵＥの場所がＲＲＡ、ＲＲＡアンカ、またはセルレベルにおいて既知になることを可能にし得る。機構は、コアネットワークおよび無線アクセスネットワークのステータスおよび能力に基づいて、動的ＲＲＡ管理を実施し得る。ＲＡＮベースのＵＥ到達可能性管理およびＲＲＡアンカノードベースのページング機構は、ＴＡＵおよび総当たりＴＡ横断ページングを低減させ得る。拡張ＲＲＡベースのＲＡＮ制御モビリティ管理プロシージャは、ＲＲＡ内のＳＲＲＡＮ開始ハンドオーバおよびＲＲＡを横断したＵＥ開始ハンドオーバを有効にし得る。
【０１２８】
さらにまとめると、分散型モビリティ管理ならびにＵＥ状態および状態遷移に関して、ＲＲＣ＿ＩＤＬＥ状態は、逆ページングをサポートするように拡張され得、ＵＥは、ネットワーク内の潜在的待機メッセージに関してネットワークをページングする。ＳＲＢまたはＤＲＢが確立されていないが、アップリンクデータ伝送が可能である、ＲＲＣ＿Ｇｒａｎｔ＿Ｌｅｓｓ状態は、グラントレス物理チャネルを使用し得る。上位層データ（例えば、ユーザアプリケーションデータ）が、ＳＲＢ上にピギーバッグされる、ＲＲＣ＿Ｃｏｎｎｅｃｔｉｏｎｌｅｓｓ状態は、無接続物理チャネルにマッピングされ得る。ＲＲＣ＿ＣＯＮＮＥＣＴＥＤ＿ＵＥ＿Ｃｏｎｔｒｏｌｌｅｄ＿Ｍｏｂｉｌｉｔｙ状態は、セル再選択を介して、ＵＥ制御モビリティを有効にし得る。新しいＲＲＣ＿Ｃｏｎｎｅｃｔｅｄ＿ＮＷ＿Ｃｏｎｔｒｏｌｌｅｄ＿Ｍｏｂｉｌｉｔｙ状態は、ＵＥからの測定報告に基づいて、ネットワーク制御モビリティを有効にし得る。確立原因は、接続を確立すると、ＲＲＣ＿ＩＤＬＥ状態から適切な新しい状態への遷移を有効にし得る。
【０１２９】
第３世代パートナーシッププロジェクト（３ＧＰＰ）は、無線アクセス、コアトランスポートネットワーク、およびサービス能力（コーデック、セキュリティ、およびサービスの質に関する作業を含む）を含む、セルラー電気通信ネットワーク技術のための技術的規格を開発している。最近の無線アクセス技術（ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新しい無線（ＮＲ）と呼ばれる、次世代セルラー技術の標準化に関する作業を開始している。３ＧＰＰ  ＮＲ規格開発は、次世代無線アクセス技術（新しいＲＡＴ）の定義を含むことが予期され、これは、６ＧＨｚを下回る新しいフレキシブルな無線アクセスの提供と、６ＧＨｚを上回る新しいウルトラモバイルブロードバンド無線アクセスの提供とを含むことが予期される。フレキシブルな無線アクセスは、６ＧＨｚを下回る新しいスペクトルにおける新しい非後方互換性無線アクセスから成ることが予期され、同一スペクトル内でともに多重化され、多様な要件を伴う広範な３ＧＰＰ  ＮＲユースケースのセットに対処し得る、異なる動作モードを含むことが予期される。ウルトラモバイルブロードバンドは、ウルトラモバイルブロードバンドアクセス、例えば、屋内用途およびホットスポットの機会を提供するであろう、ｃｍ波およびｍｍ波スペクトルを含むことが予期される。特に、ウルトラモバイルブロードバンドは、ｃｍ波およびｍｍ波特有設計最適化を伴って、共通設計フレームワークを６ＧＨｚを下回るフレキシブル無線アクセスと共有することが予期される。ＮＲデバイスは、基地局、ＵＥ、または本明細書に開示される他の装置であり得る。
【０１３０】
３ＧＰＰは、データレート、待ち時間、およびモビリティのための様々なユーザ体験要件をもたらす、ＮＲがサポートすることが予期される、種々のユースケースを識別している。ユースケースは、以下の一般的カテゴリ、すなわち、拡張モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、重要通信、大量マシンタイプ通信、ネットワーク動作（例えば、ネットワークスライシング、ルーティング、移行およびインターワーキング、エネルギー節約）、および拡張された車両とあらゆるもの（ｅＶ２Ｘ）間の通信を含む。これらのカテゴリにおける具体的サービスおよび用途は、いくつか挙げると、例えば、監視およびセンサネットワーク、デバイス遠隔制御、双方向遠隔制御、パーソナルクラウドコンピューティング、ビデオストリーミング、無線クラウドベースのオフィス、緊急対応者接続性、自動車ｅコール、災害アラート、リアルタイムゲーム、多人数ビデオコール、自律運転、拡張現実、触知インターネット、および仮想現実を含む。これらのユースケースおよびその他は全て、本明細書で検討される。
【０１３１】
図２７Ａは、本明細書で説明および請求される図１８から図２６に図示されるシステムおよび方法等のモビリティシグナリング負荷低減の方法および装置が具現化され得る、例示的通信システム１００を図示する。示されるように、例示的通信システム１００は、無線伝送／受信ユニット（ＷＴＲＵ）１０２ａ、１０２ｂ、１０２ｃ、および／または１０２ｄ（概して、または集合的に、ＷＴＲＵ１０２と称され得る）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（ＰＳＴＮ）１０８と、インターネット１１０と、他のネットワーク１１２とを含み得るが、開示される例は、任意の数のＷＴＲＵ、基地局、ネットワーク、および／またはネットワーク要素を検討することを理解されるであろう。ＷＴＲＵ１０２ａ、１０２ｂ、１０２ｃ、１０２ｄ、１０２ｅの各々は、無線環境で動作および／または通信するように構成される、任意のタイプの装置またはデバイスであり得る。各ＷＴＲＵ１０２ａ、１０２ｂ、１０２ｃ、１０２ｄ、１０２ｅは、ハンドヘルド無線通信装置として、図２７Ａ、図２７Ｂ、図２７Ｃ、図２７Ｄ、および図２７Ｅに描写されるが、５Ｇ無線通信のために検討される様々なユースケースに伴って、各ＷＴＲＵは、一例にすぎないが、ユーザ機器（ＵＥ）、移動局、固定またはモバイルサブスクライバユニット、ポケベル、セルラー電話、携帯情報端末（ＰＤＡ）、スマートフォン、ラップトップ、タブレット、ネットブック、ノートブックコンピュータ、パーソナルコンピュータ、無線センサ、消費者電子機器、スマートウォッチまたはスマート衣類等のウェアラブルデバイス、医療またはｅ健康デバイス、ロボット、産業機器、ドローン、車、トラック、電車、または飛行機等の車両、および同等物を含む、無線信号を伝送および／または受信するように構成される任意のタイプの装置またはデバイスを備えている、またはそのように具現化され得ることを理解されたい。
【０１３２】
通信システム１００はまた、基地局１１４ａと、基地局１１４ｂとを含み得る。基地局１１４ａは、ＷＴＲＵ１０２ａ、１０２ｂ、１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。基地局１１４ｂは、ＲＲＨ（遠隔無線ヘッド）１１８ａ、１１８ｂおよび／またはＴＲＰ（伝送および受信点）１１９ａ、１１９ｂのうちの少なくとも１つと有線および／または無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／または他のネットワーク１１２等の１つ以上の通信ネットワークへのアクセスを促進するように構成される、任意のタイプのデバイスであり得る。一例として、基地局１１４ａ、１１４ｂは、送受信機基地局（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、無線ルータ、および同等物であり得る。基地局１１４ａ、１１４ｂの各々は単一要素として描写されるが、基地局１１４ａ、１１４ｂは、任意の数の相互接続される基地局および／またはネットワーク要素を含み得ることを理解されるであろう。
【０１３３】
基地局１１４ａは、ＲＡＮ１０３／１０４／１０５の一部であってもよく、これはまた、基地局コントローラ（ＢＳＣ）、無線ネットワークコントローラ（ＲＮＣ）、中継ノード等の他の基地局および／またはネットワーク要素（図示せず）を含み得る。基地局１１４ｂは、ＲＡＮ１０３ｂ／１０４ｂ／１０５ｂの一部であってもよく、基地局コントローラ（ＢＳＣ）、無線ネットワークコントローラ（ＲＮＣ）、中継ノード等の他の基地局および／またはネットワーク要素（図示せず）を含み得る。基地局１１４ａは、本明細書に開示されるようなモビリティシグナリング負荷低減の方法およびシステムのためのセル（図示せず）と称され得る、特定の地理的領域内で無線信号を伝送および／または受信するように構成され得る。基地局１１４ｂは、セル（図示せず）と称され得る、特定の地理的領域内で有線および／または無線信号を伝送および／または受信するように構成され得る。セルはさらに、セルセクタに分割され得る。例えば、基地局１１４ａに関連付けられたセルは、３つのセクタに分割され得る。したがって、ある例では、基地局１１４ａは、例えば、セルのセクタ毎に１つの３つの送受信機を含み得る。ある例では、基地局１１４ａは、多入力多出力（ＭＩＭＯ）技術を採用し得、したがって、セルのセクタ毎に複数の送受信機を利用し得る。
【０１３４】
基地局１１４ａは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース１１５／１１６／１１７を経由して、ＷＴＲＵ１０２ａ、１０２ｂ、１０２ｃのうちの１つ以上のものと通信し得る。エアインターフェース１１５／１１６／１１７は、任意の好適な無線アクセス技術（ＲＡＴ）を使用して確立され得る。
【０１３５】
基地局１１４ｂは、任意の好適な有線（例えば、ケーブル、光ファイバ等）または無線通信リンク（例えば、無線周波数（ＲＦ）、マイクロ波、赤外線（ＩＲ）、紫外線（ＵＶ）、可視光、ｃｍ波、ｍｍ波等）であり得る、有線またはエアインターフェース１１５ｂ／１１６ｂ／１１７ｂを経由して、ＲＲＨ１１８ａ、１１８ｂおよび／またはＴＲＰ１１９ａ、１１９ｂのうちの１つ以上のものと通信し得る。エアインターフェース１１５ｂ／１１６ｂ／１１７ｂは、任意の好適な無線アクセス技術（ＲＡＴ）を使用して確立され得る。
【０１３６】
ＲＲＨ１１８ａ、１１８ｂおよび／またはＴＲＰ１１９ａ、１１９ｂは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース１１５ｃ／１１６ｃ／１１７ｃを経由して、ＷＴＲＵ１０２ｃ、１０２ｄのうちの１つ以上のものと通信し得る。エアインターフェース１１５ｃ／１１６ｃ／１１７ｃは、任意の好適な無線アクセス技術（ＲＡＴ）を使用して確立され得る。
【０１３７】
より具体的には、前述のように、通信システム１００は、複数のアクセスシステムであってもよく、ＣＤＭＡ、ＴＤＭＡ、ＦＤＭＡ、ＯＦＤＭＡ、ＳＣ−ＦＤＭＡ、および同等物等の１つ以上のチャネルアクセススキームを採用し得る。例えば、ＲＡＮ１０３／１０４／１０５およびＷＴＲＵ１０２ａ、１０２ｂ、１０２ｃ内の基地局１１４ａまたはＲＡＮ１０３ｂ／１０４ｂ／１０５ｂおよびＷＴＲＵ１０２ｃ、１０２ｄ内のＲＲＨ１１８ａ、１１８ｂおよびＴＲＰ１１９ａ、１１９ｂは、それぞれ、広帯域ＣＤＭＡ（ＷＣＤＭＡ（登録商標））を使用して、エアインターフェース１１５／１１６／１１７または１１５ｃ／１１６ｃ／１１７ｃを確立し得る、ユニバーサルモバイル電気通信システム（ＵＭＴＳ）地上無線アクセス（ＵＴＲＡ）等の無線技術を実装し得る。ＷＣＤＭＡ（登録商標）は、高速パケットアクセス（ＨＳＰＡ）および／または進化型ＨＳＰＡ（ＨＳＰＡ＋）等の通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【０１３８】
ある例では、ＲＡＮ１０３ｂ／１０４ｂ／１０５ｂおよびＷＴＲＵ１０２ｃ、１０２ｄ内の基地局１１４ａおよびＷＴＲＵ１０２ａ、１０２ｂ、１０２ｃまたはＲＲＨ１１８ａ、１１８ｂおよびＴＲＰ１１９ａ、１１９ｂは、それぞれ、ロングタームエボリューション（ＬＴＥ）および／またはＬＴＥ−アドバンスト（ＬＴＥ−Ａ）を使用して、エアインターフェース１１５／１１６／１１７または１１５ｃ／１１６ｃ／１１７ｃを確立し得る、進化型ＵＭＴＳ地上無線アクセス（Ｅ−ＵＴＲＡ）等の無線技術を実装し得る。将来的に、エアインターフェース１１５／１１６／１１７は、３ＧＰＰ  ＮＲ技術を実装し得る。
【０１３９】
ある例では、ＲＡＮ１０３／１０４／１０内の基地局１１４ａおよびＲＡＮ１０３ｂ／１０４ｂ／１０５ｂおよびＷＴＲＵ１０２ｃ、１０２ｄ内のＷＴＲＵ１０２ａ、１０２ｂ、１０２ｃまたはＲＲＨ１１８ａ、１１８ｂおよびＴＲＰ１１９ａ、１１９ｂは、ＩＥＥＥ８０２．１６（例えば、ワールドワイド・インターオペラビリティ・フォー・マイクロウェーブ・アクセス（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ（登録商標）進化型高速データレート（ＥＤＧＥ）、ＧＳＭ（登録商標）  ＥＤＧＥ（ＧＥＲＡＮ）、および同等物等の無線技術を実装し得る。
【０１４０】
図１１４ｃにおける基地局１１４ｃは、例えば、無線ルータ、ホームＮｏｄｅ  Ｂ、ホームｅＮｏｄｅ  Ｂ、またはアクセスポイントであってもよく、本明細書に開示されるようなモビリティシグナリング負荷低減の方法およびシステムのための会社、自宅、車両、キャンパス、および同等物の場所等の局所エリア内の無線接続性を促進するための任意の好適なＲＡＴを利用し得る。ある例では、基地局１１４ｃおよびＷＴＲＵ１０２ｅは、ＩＥＥＥ８０２．１１等の無線技術を実装して、無線ローカルエリアネットワーク（ＷＬＡＮ）を確立し得る。ある例では、基地局１１４ｃおよびＷＴＲＵ１０２ｄは、ＩＥＥＥ８０２．１５等の無線技術を実装して、無線パーソナルエリアネットワーク（ＷＰＡＮ）を確立し得る。さらに別の例では、基地局１１４ｃおよびＷＴＲＵ１０２ｅは、セルラーベースのＲＡＴ（例えば、ＷＣＤＭＡ（登録商標）、ＣＤＭＡ２０００、ＧＳＭ（登録商標）、ＬＴＥ、ＬＴＥ−Ａ等）を利用して、ピコセルまたはフェムトセルを確立し得る。図２７Ａに示されるように、基地局１１４ｂは、インターネット１１０への直接接続を有し得る。したがって、基地局１１４ｃは、コアネットワーク１０６／１０７／１０９を介してインターネット１１０にアクセスするように要求されなくてもよい。
【０１４１】
ＲＡＮ１０３／１０４／１０５および／またはＲＡＮ１０３ｂ／１０４ｂ／１０５ｂは、インターネットプロトコル（ＶｏＩＰ）サービスを経由して、ＷＴＲＵ１０２ａ、１０２ｂ、１０２ｃ、１０２ｄのうちの１つ以上のものに、音声、データ、アプリケーション、および／または音声を提供するように構成される、任意のタイプのネットワークであり得る、コアネットワーク１０６／１０７／１０９と通信し得る。例えば、コアネットワーク１０６／１０７／１０９は、コール制御、請求サービス、モバイル場所ベースのサービス、プリペイドコール、インターネット接続性、ビデオ配信等を提供し、および／またユーザ認証等の高レベルセキュリティ機能を実施し得る。
【０１４２】
図２７Ａでは図示されないが、ＲＡＮ１０３／１０４／１０５および／またはＲＡＮ１０３ｂ／１０４ｂ／１０５ｂおよび／またはコアネットワーク１０６／１０７／１０９は、ＲＡＮ１０３／１０４／１０５および／またはＲＡＮ１０３ｂ／１０４ｂ／１０５ｂと同一ＲＡＴまたは異なるＲＡＴを採用する、他のＲＡＮと直接または間接通信し得ることを理解されるであろう。例えば、Ｅ−ＵＴＲＡ無線技術を利用し得る、ＲＡＮ１０３／１０４／１０５および／またはＲＡＮ１０３ｂ／１０４ｂ／１０５ｂに接続されることに加え、コアネットワーク１０６／１０７／１０９はまた、ＧＳＭ（登録商標）無線技術を採用する別のＲＡＮ（図示せず）と通信し得る。
【０１４３】
コアネットワーク１０６／１０７／１０９はまた、ＷＴＲＵ１０２ａ、１０２ｂ、１０２ｃ、１０２ｄ、１０２ｅのためのゲートウェイとしての役割を果たし、ＰＳＴＮ１０８、インターネット１１０、および／または他のネットワーク１１２にアクセスし得る。ＰＳＴＮ１０８は、従来のアナログ電話回線サービス（ＰＯＴＳ）を提供する、回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイートにおけるインターネットプロトコル（ＩＰ）等の共通通信プロトコルを使用する、相互接続されたコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５および／またはＲＡＮ１０３ｂ／１０４ｂ／１０５ｂと同一ＲＡＴまたは異なるＲＡＴを採用し得る、１つ以上のＲＡＮに接続される別のコアネットワークを含み得る。
【０１４４】
通信システム１００内のＷＴＲＵ１０２ａ、１０２ｂ、１０２ｃ、１０２ｄの一部または全部は、マルチモード能力を含み得る、例えば、ＷＴＲＵ１０２ａ、１０２ｂ、１０２ｃ、１０２ｄ、および１０２ｅは、異なる無線リンクを経由して異なる無線ネットワークと通信するための複数の送受信機を含み得る。例えば、図２７Ａに示されるＷＴＲＵ１０２ｅは、セルラーベースの無線技術を採用し得る、基地局１１４ａと、ＩＥＥＥ８０２無線技術を採用し得る、基地局１１４ｃと通信するように構成され得る。
【０１４５】
図２７Ｂは、例えば、ＷＴＲＵ１０２等の本明細書に図示される例に従って無線通信のために構成される例示的装置またはデバイスのブロック図である。図２７Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで、前述の要素の任意の副次的組み合わせを含み得ることを理解されるであろう。また、実施形態は、限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局１１４ａおよび１１４ｂおよび／または基地局１１４ａおよび１１４ｂが表し得るノードが、図２７Ｂに描写され、本明細書に説明される要素の一部または全部を含み得ることを想定する。
【０１４６】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン、および同等物であり得る。プロセッサ１１８は、信号コーディング、データ処理、電力制御、入力／出力処理、および／またはＷＴＲＵ１０２が無線環境内で動作することを可能にする、任意の他の機能性を果たし得る。プロセッサ１１８は、伝送／受信要素１２２に結合され得る、送受信機１２０に結合され得る。図２７Ｂは、プロセッサ１１８および送受信機１２０を別個のコンポーネントとして描写するが、プロセッサ１１８および送受信機１２０は、電子パッケージまたはチップにともに統合され得ることを理解されるであろう。
【０１４７】
伝送／受信要素１２２は、エアインターフェース１１５／１１６／１１７を経由して、基地局（例えば、基地局１１４ａ）へ信号を伝送する、またはそこから信号を受信するように構成され得る。例えば、ある例では、伝送／受信要素１２２は、ＲＦ信号を伝送および／または受信するように構成されるアンテナであり得る。図２７Ａでは図示されないが、ＲＡＮ１０３／１０４／１０５および／またはコアネットワーク１０６／１０７／１０９は、ＲＡＮ１０３／１０４／１０５と同一ＲＡＴまたは異なるＲＡＴを採用する、他のＲＡＮと直接または間接通信し得ることを理解されるであろう。例えば、Ｅ−ＵＴＲＡ無線技術を利用し得る、ＲＡＮ１０３／１０４／１０５に接続されることに加え、コアネットワーク１０６／１０７／１０９はまた、ＧＳＭ（登録商標）無線技術を採用する別のＲＡＮ（図示せず）と通信し得る。
【０１４８】
コアネットワーク１０６／１０７／１０９はまた、ＷＴＲＵ１０２ａ、１０２ｂ、１０２ｃ、１０２ｄ、１０２ｅのためのゲートウェイとしての役割を果たし、ＰＳＴＮ１０８、インターネット１１０、および／または他のネットワーク１１２にアクセスし得る。ＰＳＴＮ１０８は、従来のアナログ電話回線サービス（ＰＯＴＳ）を提供する、回路交換電話ネットワークを含み得る。インターネット１１０は、伝送制御プロトコル（ＴＣＰ）、ユーザデータグラムプロトコル（ＵＤＰ）、およびＴＣＰ／ＩＰインターネットプロトコルスイートにおけるインターネットプロトコル（ＩＰ）等の共通通信プロトコルを使用する、相互接続されたコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５と同一ＲＡＴまたは異なるＲＡＴを採用し得る、１つ以上のＲＡＮに接続される、別のコアネットワークを含み得る。
【０１４９】
通信システム１００内のＷＴＲＵ１０２ａ、１０２ｂ、１０２ｃ、１０２ｄの一部または全部は、マルチモード能力を含み得る、例えば、ＷＴＲＵ１０２ａ、１０２ｂ、１０２ｃ、１０２ｄ、および１０２ｅは、本明細書に開示されるようなモビリティシグナリング負荷低減の方法およびシステムのための異なる無線リンクを経由して異なる無線ネットワークと通信するための複数の送受信機を含み得る。例えば、図２７Ａに示されるＷＴＲＵ１０２ｅは、セルラーベースの無線技術を採用し得る、基地局１１４ａと、ＩＥＥＥ８０２無線技術を採用し得る、基地局１１４ｃと通信するように構成され得る。
【０１５０】
図２７Ｂは、例えば、ＷＴＲＵ１０２（例えば、ＵＥ２２９またはＵＥ２２８）等の本明細書に開示されるようなモビリティシグナリング負荷低減の方法およびシステムに従って無線通信のために構成される例示的装置またはデバイスのブロック図である。図２７Ｂに示されるように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケータ１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、例と一致したままで、前述の要素の任意の副次的組み合わせを含み得ることを理解されるであろう。また、例は、限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局１１４ａおよび１１４ｂおよび／または基地局１１４ａおよび１１４ｂが表し得るノードは、図２７Ｂに描写される、要素の一部または全部を含み得ることを想定し、本明細書に描写されるようなモビリティシグナリング負荷低減の開示される方法およびシステムを実行する例示的実装であり得る。
【０１５１】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン、および同等物であり得る。プロセッサ１１８は、信号コーディング、データ処理、電力制御、入力／出力処理、および／またはＷＴＲＵ１０２が無線環境内で動作することを可能にする、任意の他の機能性を果たし得る。プロセッサ１１８は、伝送／受信要素１２２に結合され得る、送受信機１２０に結合され得る。図２７Ｂは、プロセッサ１１８および送受信機１２０を別個のコンポーネントとして描写するが、プロセッサ１１８および送受信機１２０は、電子パッケージまたはチップにともに統合され得ることを理解されるであろう。
【０１５２】
伝送／受信要素１２２は、エアインターフェース１１５／１１６／１１７を経由して、基地局（例えば、基地局１１４ａ）へ信号を伝送する、またはそこから信号を受信するように構成され得る。例えば、ある実施形態では、伝送／受信要素１２２は、ＲＦ信号を伝送および／または受信するように構成される、アンテナであり得る。ある実施形態では、伝送／受信要素１２２は、例えば、ＩＲ、ＵＶ、もしくは可視光信号を伝送および／または受信するように構成されるエミッタ／検出器であり得る。さらなる実施形態では、伝送／受信要素１２２は、ＲＦおよび光信号の両方を伝送ならびに受信するように構成され得る。伝送／受信要素１２２は、無線もしくは有線信号の任意の組み合わせを伝送および／または受信するように構成され得ることを理解されるであろう。
【０１５３】
加えて、伝送／受信要素１２２は、単一の要素として図３２Ｂで描写されているが、ＷＴＲＵ１０２は、任意の数の伝送／受信要素１２２を含み得る。より具体的には、ＷＴＲＵ１０２は、ＭＩＭＯ技術を採用し得る。したがって、実施形態では、ＷＴＲＵ１０２は、エアインターフェース１１５／１１６／１１７を経由して無線信号を伝送および受信するための２つ以上の伝送／受信要素１２２（例えば、複数のアンテナ）を含み得る。
【０１５４】
送受信機１２０は、伝送／受信要素１２２によって伝送される信号を変調するように、および伝送／受信要素１２２によって受信される信号を復調するように構成され得る。上記のように、ＷＴＲＵ１０２は、マルチモード能力を有し得る。したがって、送受信機１２０は、ＷＴＲＵ１０２が、例えば、ＵＴＲＡおよびＩＥＥＥ８０２．１１等の複数のＲＡＴを介して通信することを可能にするための複数の送受信機を含み得る。
【０１５５】
ＷＴＲＵ１０２のプロセッサ１１８は、スピーカ／マイクロホン１２４、キーパッド１２６、および／またはディスプレイ／タッチパッド／インジケータ１２８（例えば、液晶ディスプレイ（ＬＣＤ）ディスプレイユニットまたは有機発光ダイオード（ＯＬＥＤ）ディスプレイユニット）に結合され、そこからユーザ入力データを受信し得る。プロセッサ１１８はまた、ユーザデータをスピーカ／マイクロホン１２４、キーパッド１２６、および／またはディスプレイ／タッチパッド／インジケータ１２８に出力し得る。加えて、プロセッサ１１８は、非取り外し可能メモリ１３０および／または取り外し可能メモリ１３２等の任意のタイプの好適なメモリから情報にアクセスし、その中にデータを記憶し得る。非取り外し可能メモリ１３０は、ランダムアクセスメモリ（ＲＡＭ）、読取専用メモリ（ＲＯＭ）、ハードディスク、または任意の他のタイプのメモリ記憶デバイスを含み得る。取り外し可能メモリ１３２は、サブスクライバ識別モジュール（ＳＩＭ）カード、メモリスティック、セキュアデジタル（ＳＤ）メモリカード、および同等物を含み得る。他の実施形態では、プロセッサ１１８は、サーバまたは自宅コンピュータ（図示せず）上等のＷＴＲＵ１０２上に物理的に位置しないメモリから情報にアクセスし、その中にデータを記憶し得る。プロセッサ１１８は、本明細書に説明される例のうちのいくつかにおけるモビリティシグナリングの設定が、成功または不成功であるかどうかに応答して、ディスプレイまたはインジケータ１２８上の照明パターン、画像、または色を制御する、または別様に、モビリティシグナリング負荷低減および関連付けられたコンポーネントのステータスを示すように構成され得る。ディスプレイまたはインジケータ１２８上の照明パターン、画像、または色の制御は、図に図示される、または本明細書で議論される（例えば、図２２−図２６等）、方法フローまたはコンポーネントのいずれかのステータスの反映であり得る。本明細書に開示されるのは、モビリティシグナリング負荷低減のメッセージおよびプロシージャである。メッセージおよびプロシージャは、ユーザが、入力ソース（例えば、スピーカ／マイクロホン１２４、キーパッド１２６、またはディスプレイ／タッチパッド／インジケータ１２８）を介して、リソース関連リソースを要求し、とりわけ、ディスプレイ１２８上に表示され得る、モビリティシグナリング負荷低減関連情報を要求、構成、またはクエリする、インターフェース／ＡＰＩを提供するように拡張され得る。
【０１５６】
プロセッサ１１８は、電源１３４から電力を受電し得、ＷＴＲＵ１０２内の他のコンポーネントへの電力を分配および／または制御するように構成され得る。電源１３４は、ＷＴＲＵ１０２に給電するための任意の好適なデバイスであり得る。例えば、電源１３４は、１つ以上の乾電池、太陽電池、燃料電池、および同等物を含み得る。
【０１５７】
プロセッサ１１８はまた、ＷＴＲＵ１０２の現在の場所に関する場所情報（例えば、経度および緯度）を提供するように構成され得る、ＧＰＳチップセット１３６に結合され得る。ＧＰＳチップセット１３６からの情報に加え、またはその代わりに、ＷＴＲＵ１０２は、エアインターフェース１１５／１１６／１１７を経由して、基地局（例えば、基地局１１４ａ、１１４ｂ）から場所情報を受信し、および／または２つ以上の近傍基地局から受信されている信号のタイミングに基づいて、その場所を決定し得る。ＷＴＲＵ１０２は、例と一致したままで、任意の好適な場所決定方法を介して場所情報を獲得し得ることを理解されるであろう。
【０１５８】
プロセッサ１１８はさらに、追加の特徴、機能性、および／または有線もしくは無線接続性を提供する、１つ以上のソフトウェアならびに／もしくはハードウェアモジュールを含み得る、他の周辺機器１３８に結合され得る。例えば、周辺機器１３８は、加速度計、バイオメトリック（例えば、指紋）センサ等の種々のセンサ、ｅ−コンパス、衛星送受信機、デジタルカメラ（写真またはビデオ用）、ユニバーサルシリアルバス（ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、および同等物を含み得る。
【０１５９】
ＷＴＲＵ１０２は、センサ、消費者電子機器、スマートウォッチまたはスマート衣類等のウェアラブルデバイス、医療またはｅヘルスデバイス、ロボット、産業機器、ドローン、車、トラック、電車、または飛行機等の車両等の他の装置もしくはデバイスで具現化され得る。ＷＴＲＵ１０２は、周辺機器１３８のうちの１つを備え得る相互接続インターフェース等の１つ以上の相互接続インターフェースを介して、そのような装置もしくはデバイスの他のコンポーネント、モジュール、またはシステムに接続し得る。
【０１６０】
図２７Ｃは、本明細書に開示されるように、モビリティシグナリング負荷低減の方法およびシステムを実装し得る、ＲＡＮ１０３およびコアネットワーク１０６の系統図である。前述のように、ＲＡＮ１０３は、ＵＴＲＡ無線技術を採用し、エアインターフェース１１５を経由して、ＷＴＲＵ１０２ａ、１０２ｂ、および１０２ｃと通信し得る。ＲＡＮ１０３はまた、コアネットワーク１０６と通信し得る。図２７Ｃに示されるように、ＲＡＮ１０３は、それぞれ、エアインターフェース１１５を経由して、ＷＴＲＵ１０２ａ、１０２ｂ、１０２ｃと通信するための１つ以上の送受信機を含み得る、Ｎｏｄｅ−Ｂ１４０ａ、１４０ｂ、１４０ｃを含み得る。Ｎｏｄｅ−Ｂ１４０ａ、１４０ｂ、１４０ｃの各々は、ＲＡＮ１０３内の特定のセル（図示せず）に関連付けられ得る。ＲＡＮ１０３はまた、ＲＮＣ１４２ａ、１４２ｂを含み得る。ＲＡＮ１０３は、実施形態と一致したままで、任意の数のＮｏｄｅ−ＢおよびＲＮＣを含み得ることを理解されるであろう。
【０１６１】
図２７Ｃに示されるように、Ｎｏｄｅ−Ｂ１４０ａ、１４０ｂは、ＲＮＣ１４２ａと通信し得る。加えて、Ｎｏｄｅ−Ｂ１４０ｃは、ＲＮＣ１４２ｂと通信し得る。Ｎｏｄｅ−Ｂ１４０ａ、１４０ｂ、１４０ｃは、Ｉｕｂインターフェースを介して、個別のＲＮＣ１４２ａ、１４２ｂと通信し得る。ＲＮＣ１４２ａ、１４２ｂは、Ｉｕｒインターフェースを介して、相互に通信し得る。ＲＮＣ１４２ａ、１４２ｂの各々は、接続される個別のＮｏｄｅ−Ｂ１４０ａ、１４０ｂ、１４０ｃを制御するように構成され得る。加えて、ＲＮＣ１４２ａ、１４２ｂの各々は、外部ループ電力制御、負荷制御、受付制御、パケットスケジューリング、ハンドオーバ制御、マクロ−多様性、セキュリティ機能、データ暗号化、および同等物等の他の機能性を実施またはサポートするように構成され得る。
【０１６２】
図２７Ｃに示されるコアネットワーク１０６は、メディアゲートウェイ（ＭＧＷ）１４４、モバイル切り替えセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。前述の要素の各々は、コアネットワーク１０６の一部として描写されるが、これらの要素のうちの任意の１つは、コアネットワークオペレータ以外のエンティティによって所有および／または運営され得ることを理解されるであろう。
【０１６３】
ＲＡＮ１０３内のＲＮＣ１４２ａは、ＩｕＣＳインターフェースを介して、コアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。
【０１６４】
ＲＡＮ１０３内のＲＮＣ１４２ａはまた、ＩｕＰＳインターフェースを介して、コアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。
【０１６５】
前述のように、コアネットワーク１０６はまた、他のサービスプロバイダによって所有および／または運営される他の有線または無線ネットワークを含み得る、ネットワーク１１２に接続され得る。
【０１６６】
図２７Ｄは、本明細書に開示されるように、モビリティシグナリング負荷低減の方法およびシステムを実装し得る、ＲＡＮ１０４およびコアネットワーク１０７の系統図である。前述のように、ＲＡＮ１０４は、Ｅ−ＵＴＲＡ無線技術を採用し、エアインターフェース１１６を経由して、ＷＴＲＵ１０２ａ、１０２ｂ、および１０２ｃと通信し得る。ＲＡＮ１０４はまた、コアネットワーク１０７と通信し得る。
【０１６７】
ＲＡＮ１０４は、ｅＮｏｄｅ−Ｂ１６０ａ、１６０ｂ、１６０ｃを含み得るが、ＲＡＮ１０４は、実施形態と一致したままで、任意の数のｅＮｏｄｅ−Ｂを含み得ることを理解されるであろう。ｅＮｏｄｅ−Ｂ１６０ａ、１６０ｂ、１６０ｃの各々は、エアインターフェース１１６を経由して、ＷＴＲＵ１０２ａ、１０２ｂ、１０２ｃと通信するための１つ以上の送受信機を含み得る。ある実施形態では、ｅＮｏｄｅ−Ｂ１６０ａ、１６０ｂ、１６０ｃは、ＭＩＭＯ技術を実装し得る。したがって、ｅＮｏｄｅ−Ｂ１６０ａは、例えば、複数のアンテナを使用して、ＷＴＲＵ１０２ａに無線信号を伝送し、そこから無線信号を受信し得る。
【０１６８】
ｅＮｏｄｅ−Ｂ１６０ａ、１６０ｂ、および１６０ｃの各々は、特定のセル（図示せず）に関連付けられ得、無線リソース管理決定、ハンドオーバ決定、アップリンクおよび／またはダウンリンクにおけるユーザのスケジューリング、および同等物をハンドリングするように構成され得る。図２７Ｄに示されるように、ｅＮｏｄｅ−Ｂ１６０ａ、１６０ｂ、１６０ｃは、Ｘ２インターフェースを経由して、相互に通信し得る。
【０１６９】
図２７Ｄに示されるコアネットワーク１０７は、モビリティ管理エンティティ（ＭＭＥ）ゲートウェイ１６２と、サービングゲートウェイ１６４と、パケットデータネットワーク（ＰＤＮ）ゲートウェイ１６６とを含み得る。前述の要素の各々は、コアネットワーク１０７の一部として描写されるが、これらの要素のうちの任意の１つは、コアネットワークオペレータ以外のエンティティによって所有および／または運営され得ることを理解されるであろう。
【０１７０】
ＭＭＥ１６２は、Ｓ１インターフェースを介して、ＲＡＮ１０４内のｅＮｏｄｅ−Ｂ１６０ａ、１６０ｂ、および１６０ｃの各々に接続され得、制御ノードとしての役割を果たし得る。例えば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期アタッチの間の特定のサービングゲートウェイの選択、および同等物に責任があり得る。ＭＭＥ１６２はまた、ＲＡＮ１０４とＧＳＭ（登録商標）またはＷＣＤＭＡ（登録商標）等の他の無線技術を採用する他のＲＡＮ（図示せず）との間の切り替えのための制御プレーン機能を提供し得る。
【０１７１】
サービングゲートウェイ１６４は、Ｓ１インターフェースを介して、ＲＡＮ１０４内のｅＮｏｄｅ−Ｂ１６０ａ、１６０ｂ、および１６０ｃの各々に接続され得る。サービングゲートウェイ１６４は、概して、ユーザデータパケットをＷＴＲＵ１０２ａ、１０２ｂ、１０２ｃへ／からルーティングおよび転送し得る。サービングゲートウェイ１６４はまた、ｅＮｏｄｅＢ間ハンドオーバの間のユーザプレーンのアンカ、ダウンリンクデータがＷＴＲＵ１０２ａ、１０２ｂ、１０２ｃのために利用可能であるときのページングのトリガ、ＷＴＲＵ１０２ａ、１０２ｂ、１０２ｃのコンテキストの管理および記憶、および同等物等の他の機能を実施し得る。
【０１７２】
サービングゲートウェイ１６４はまた、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る、ＰＤＮゲートウェイ１６６に接続され得る。
【０１７３】
コアネットワーク１０７は、他のネットワークとの通信を促進し得る。例えば、コアネットワーク１０７は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。例えば、コアネットワーク１０７は、コアネットワーク１０７とＰＳＴＮ１０８との間のインターフェースとしての役割を果たす、ＩＰゲートウェイ（例えば、ＩＰマルチメディアサブシステム（ＩＭＳ）サーバ）を含み得る、またはそれと通信し得る。加えて、コアネットワーク１０７は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【０１７４】
図２７Ｅは、本明細書に開示されるように、モビリティシグナリング負荷低減の方法およびシステムを実装し得る、ＲＡＮ１０５およびコアネットワーク１０９の系統図である。ＲＡＮ１０５は、ＩＥＥＥ８０２．１６無線技術を採用し、エアインターフェース１１７を経由して、ＷＴＲＵ１０２ａ、１０２ｂ、および１０２ｃと通信する、アクセスサービスネットワーク（ＡＳＮ）であり得る。さらに以下に議論されるであろうように、ＷＴＲＵ１０２ａ、１０２ｂ、１０２ｃ、ＲＡＮ１０５の異なる機能エンティティとコアネットワーク１０９との間の通信リンクは、参照点として定義され得る。
【０１７５】
図２７Ｅに示されるように、ＲＡＮ１０５は、基地局１８０ａ、１８０ｂ、１８０ｃと、ＡＳＮゲートウェイ１８２とを含み得るが、ＲＡＮ１０５は、例と一致したままで、任意の数の基地局およびＡＳＮゲートウェイを含み得ることを理解されるであろう。基地局１８０ａ、１８０ｂ、１８０ｃの各々は、ＲＡＮ１０５内の特定のセルに関連付けられ得、エアインターフェース１１７を経由してＷＴＲＵ１０２ａ、１０２ｂ、１０２ｃと通信するための１つ以上の送受信機を含み得る。ある実施形態では、基地局１８０ａ、１８０ｂ、１８０ｃは、ＭＩＭＯ技術を実装し得る。したがって、基地局１８０ａは、例えば、複数のアンテナを使用して、ＷＴＲＵ１０２ａに無線信号を伝送し、そこから無線信号を受信し得る。基地局１８０ａ、１８０ｂ、１８０ｃはまた、ハンドオフトリガ、トンネル確立、無線リソース管理、トラフィック分類、サービスの質（ＱｏＳ）ポリシ強制、および同等物等、モビリティ管理機能を提供し得る。ＡＳＮゲートウェイ１８２は、トラフィック集約点としての役割を果たし得、ページング、サブスクライバプロファイルのキャッシュ、コアネットワーク１０９へのルーティング、および同等物に責任があり得る。
【０１７６】
ＷＴＲＵ１０２ａ、１０２ｂ、１０２ｃとＲＡＮ１０５との間のエアインターフェース１１７は、ＩＥＥＥ８０２．１６仕様を実装する、Ｒ１参照点として定義され得る。加えて、ＷＴＲＵ１０２ａ、１０２ｂ、および１０２ｃの各々は、論理インターフェース（図示せず）をコアネットワーク１０９と確立し得る。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得る、Ｒ２参照点として定義され得る。
【０１７７】
基地局１８０ａ、１８０ｂ、および１８０ｃの各々間の通信リンクは、基地局間のＷＴＲＵハンドオーバおよびデータの転送を促進するためのプロトコルを含む、Ｒ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃの各々に関連付けられたモビリティイベントに基づいてモビリティ管理を促進するためのプロトコルを含み得る。
【０１７８】
図２７Ｅに示されるように、ＲＡＮ１０５は、コアネットワーク１０９に接続され得る。ＲＡＮ１０５とコアネットワーク１０９との間の通信リンクは、例えば、データ転送およびモビリティ管理能力を促進するためのプロトコルを含む、Ｒ３参照点として定義され得る。コアネットワーク１０９は、モバイルＩＰホームエージェント（ＭＩＰ−ＨＡ）１８４と、認証、認可、課金（ＡＡＡ）サーバ１８６と、ゲートウェイ１８８とを含み得る。前述の要素の各々は、コアネットワーク１０９の一部として描写されるが、これらの要素のうちの任意の１つは、コアネットワークオペレータ以外のエンティティによって所有および／または運営され得ることを理解されるであろう。
【０１７９】
ＭＩＰ−ＨＡは、ＩＰアドレス管理に責任があってもよく、ＷＴＲＵ１０２ａ、１０２ｂ、および１０２ｃが、異なるＡＳＮおよび／または異なるコアネットワーク間でローミングすることを可能にし得る。ＭＩＰ−ＨＡ１８４は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。ＡＡＡサーバ１８６は、ユーザ認証およびユーザサービスをサポートすることに責任があり得る。ゲートウェイ１８８は、他のネットワークとのインターワーキングを促進し得る。例えば、ゲートウェイ１８８は、ＷＴＲＵ１０２ａ、１０２ｂ、１０２ｃに、ＰＳＴＮ１０８等の回路交換ネットワークへのアクセスを提供し、ＷＴＲＵ１０２ａ、１０２ｂ、１０２ｃと従来の地上通信デバイスとの間の通信を促進し得る。加えて、ゲートウェイ１８８は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【０１８０】
図２７Ｅでは図示されないが、ＲＡＮ１０５は、他のＡＳＮに接続され得、コアネットワーク１０９は、他のコアネットワークに接続され得ることを理解されるであろう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを協調するためのプロトコルを含み得る、Ｒ４参照点として定義され得る。コアネットワーク１０９と他のコアネットワークとの間の通信リンクは、ホームコアネットワークと訪問したコアネットワークとの間のインターワーキングを促進するためのプロトコルを含み得る、Ｒ５参照点として定義され得る。
【０１８１】
本明細書に説明され、図２７Ａ、図２７Ｃ、図２７Ｄ、および図２７Ｅに図示される、コアネットワークエンティティは、ある既存の３ＧＰＰ仕様におけるそれらのエンティティに与えられる名称によって識別されるが、将来において、それらのエンティティおよび機能性は、他の名称によって識別され得、あるエンティティまたは機能は、将来的３ＧＰＰ  ＮＲ仕様を含む、３ＧＰＰによって公開される将来的仕様において組み合わせられ得ることを理解されたい。したがって、図２７Ａ、図２７Ｂ、図２７Ｃ、図２７Ｄ、および図２７Ｅに説明および図示される特定のネットワークエンティティおよび機能性は、一例としてのみ提供され、本明細書で開示および請求される主題は、現在定義されているか、または将来的に定義されるかどうかにかかわらず、任意の類似通信システムにおいて具現化または実装され得ることを理解されたい。
【０１８２】
図２７Ｆは、ＲＡＮ１０３／１０４／１０５、コアネットワーク１０６／１０７／１０９、ＰＳＴＮ１０８、インターネット１１０、または他のネットワーク１１２内のあるノードまたは機能エンティティ等、図２７Ａ、図２７Ｃ、図２７Ｄ、および図２７Ｅに図示される通信ネットワークの１つ以上の装置が具現化され得る、例示的コンピューティングシステム９０のブロック図である。コンピューティングシステム９０は、コンピュータまたはサーバを備えてもよく、主に、そのようなソフトウェアが記憶またはアクセスされる場所もしくは手段にかかわらず、ソフトウェアの形態であり得るコンピュータ読み取り可能な命令によって制御され得る。そのようなコンピュータ読み取り可能な命令は、コンピューティングシステム９０を稼働させるように、プロセッサ９１内で実行され得る。プロセッサ９１は、汎用プロセッサ、特殊目的プロセッサ、従来のプロセッサ、デジタル信号プロセッサ（ＤＳＰ）、複数のマイクロプロセッサ、ＤＳＰコアに関連付けられた１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン、および同等物であり得る。プロセッサ９１は、信号コーディング、データ処理、電力制御、入力／出力処理、および／またはコンピューティングシステム９０が通信ネットワーク内で動作することを可能にする、任意の他の機能性を果たし得る。コプロセッサ８１は、追加の機能を果たす、またはプロセッサ９１を支援する、主要ＣＰＵ９１とは異なる、随意のプロセッサである。プロセッサ９１および／またはコプロセッサ８１は、コンテキスト情報またはハンドオーバメッセージの受信等、モビリティシグナリング負荷低減のための本明細書に開示される方法および装置に関連するデータを受信、生成、ならびに処理し得る。
【０１８３】
動作時、プロセッサ９１は、命令をフェッチ、復号、および実行し、コンピューティングシステムの主要データ転送パスであるシステムバス８０を介して、情報を他のリソースへ、ならびにそこから転送する。そのようなシステムバスは、コンピューティングシステム９０内のコンポーネントを接続し、データ交換のための媒体を定義する。システムバス８０は、典型的には、データを送信するためのデータラインと、アドレスを送信するためのアドレスラインと、インタラプトを送信するため、およびシステムバスを動作させるための制御ラインとを含む。そのようなシステムバス８０の例は、ＰＣＩ（周辺コンポーネント相互接続）バスである。
【０１８４】
システムバス８０に結合されたメモリは、ランダムアクセスメモリ（ＲＡＭ）８２と、読取専用メモリ（ＲＯＭ）９３とを含む。そのようなメモリは、情報が記憶されて読み出されることを可能にする回路を含む。ＲＯＭ９３は、概して、容易に修正されることができない、記憶されたデータを含む。ＲＡＭ８２内に記憶されたデータは、プロセッサ９１または他のハードウェアデバイスによって読み取られる、もしくは変更されることができる。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを隔離し、ユーザプロセスからシステムプロセスを隔離する、メモリ保護機能を提供し得る。したがって、第１のモードで起動するプログラムは、その独自のプロセス仮想アドレス空間によってマップされるメモリのみにアクセスすることができ、プロセス間のメモリ共有が設定されていない限り、別のプロセスの仮想アドレス空間内のメモリにアクセスすることができない。
【０１８５】
加えて、コンピューティングシステム９０は、プロセッサ９１からプリンタ９４、キーボード８４、マウス９５、およびディスクドライブ８５等の周辺機器に命令を通信する責任がある、周辺機器コントローラ８３を含み得る。
【０１８６】
ディスプレイコントローラ９６によって制御される、ディスプレイ８６は、コンピューティングシステム９０によって生成される視覚出力を表示するために使用される。そのような視覚出力は、テキスト、グラフィックス、動画グラフィックス、およびビデオを含み得る。視覚出力は、グラフィカルユーザインターフェース（ＧＵＩ）の形態で提供され得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子コンポーネントを含む。
【０１８７】
さらに、コンピューティングシステム９０は、例えば、図２７Ａ、図２７Ｂ、図２７Ｃ、図２７Ｄ、および図２７ＥのＲＡＮ１０３／１０４／１０５、コアネットワーク１０６／１０７／１０９、ＰＳＴＮ１０８、インターネット１１０、または他のネットワーク１１２等の外部通信ネットワークにコンピューティングシステム９０を接続し、コンピューティングシステム９０がそれらのネットワークの他のノードまたは機能エンティティと通信することを可能にするために使用され得る、ネットワークアダプタ９７等の通信回路を含み得る。通信回路は、単独で、またはプロセッサ９１と組み合わせて、本明細書に説明されるある装置、ノード、または機能エンティティの伝送および受信ステップを実施するために使用され得る。
【０１８８】
図２８は、本明細書に開示されるようなモビリティシグナリング負荷低減の方法およびシステムに基づいて生成され得る、例示的ディスプレイ（例えば、グラフィカルユーザインターフェース）を図示する。ディスプレイインターフェース９０１（例えば、タッチスクリーンディスプレイ）は、ブロック９０２において、ＲＲＣ関連パラメータ、方法フロー、およびＲＲＣ関連付けられた現在の条件等のモビリティシグナリング負荷低減に関連付けられたテキストを提供し得る。本明細書に開示されるステップのいずれかの進行度（例えば、送信されたメッセージまたはステップの成功）が、ブロック９０２において表示され得る。加えて、グラフィカル出力９０２が、ディスプレイインターフェース９０１上に表示され得る。グラフィカル出力９０３は、モビリティシグナリング負荷低減の方法およびシステムを実装するデバイスのトポロジ、本明細書で議論される任意の方法またはシステムの進行度のグラフィカル出力、または同等物であり得る。
【０１８９】
本明細書に説明される装置、システム、方法、およびプロセスのうちのいずれかまたは全ては、コンピュータ読み取り可能な記憶媒体上に記憶されたコンピュータ実行可能命令（例えば、プログラムコード）の形態で具現化され得、その命令は、プロセッサ１１８または９１等のプロセッサによって実行されると、プロセッサに、本明細書に説明されるシステム、方法、およびプロセスを実施ならびに／もしくは実装させることを理解されたい。具体的には、本明細書に説明されるステップ、動作、または機能のうちのいずれも、そのようなコンピュータ実行可能命令の形態で実装され、無線および／または有線ネットワーク通信のために構成される装置またはコンピューティングシステムのプロセッサ上で実行し得る。コンピュータ読み取り可能な記憶媒体は、情報の記憶のための任意の非一過性（すなわち、有形または物理）方法もしくは技術で実装される、揮発性および不揮発性、取り外し可能および非取り外し可能媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学ディスク記憶装置、磁気カセット、磁気テープ、磁気ディスク記憶装置もしくは他の磁気記憶デバイス、または所望の情報を記憶するために使用されることができ、かつコンピュータシステムによってアクセスされることができる、任意の他の有形もしくは物理的媒体を含むが、それらに限定されない。
【０１９０】
図に図示されるような本開示の主題のモビリティシグナリング負荷低減の好ましい方法、システム、または装置を説明する際に、具体的用語が、明確にするために採用される。しかしながら、請求される主題は、そのように選択された具体的用語に限定されることを意図せず、各具体的要素は、類似目的を達成するように同様に動作する、全ての技術的均等物を含むことを理解されたい。
【０１９１】
本明細書に説明される種々の技法は、ハードウェア、ファームウェア、ソフトウェア、もしくは適切である場合、それらの組み合わせに関連して実装され得る。そのようなハードウェア、ファームウェア、およびソフトウェアは、通信ネットワークの種々のノードに位置する装置の中に常駐し得る。本装置は、本明細書に説明される方法を達成するように、単独で、または相互と組み合わせて動作し得る。本明細書で使用されるように、用語「装置」、「ネットワーク装置」、「ノード」、「デバイス」、および「ネットワークノード」、または同等物は、同義的に使用され得る。加えて、用語「または」は、概して、本明細書で提供されない限り、包括的に使用される。
【０１９２】
本明細書は、最良の様態を含む、本発明を開示するために、また、当業者が、任意のデバイスまたはシステムを作製して使用することと、任意の組み込まれた方法を行うこととを含む、本発明を実践することを可能にするために、例を使用する。本発明の特許性のある範囲は、請求項によって定義され、当業者に想起される他の例を含み得る（例えば、図１８Ａ、Ｂまたは図２２−図２６のうちの任意の１つ等の本明細書に開示される例示的方法間でステップをスキップする、ステップを組み合わせる、またはステップを追加する）。そのような他の例は、請求項の文字通りの言葉とは異ならない構造要素を有する場合に、または請求項の文字通りの言葉とのごくわずかな差異を伴う同等の構造要素を含む場合に、請求項の範囲内であることを意図している。本明細書では、物理チャネルの使用は、多くの場合、本明細書に議論されるように、トランスポートチャネルを使用した同一実装を提供することを理解されたい。
【０１９３】
とりわけ、本明細書に説明されるような方法、システム、および装置は、モビリティシグナリング負荷低減のための手段を提供し得る。方法、システム、コンピュータ読み取り可能な記憶媒体、または装置は、無線アクセスネットワーク登録エリアを作成するための要求を受信し、要求に基づいて、無線アクセスネットワーク登録エリアに関連付けられた無線アクセスネットワーク登録エリアアンカポイントを作成する命令を提供するための手段を有する。無線アクセスネットワーク登録エリアアンカポイントは、モバイルデバイスのモビリティをローカルで管理し得る。無線アクセスネットワーク登録エリアアンカポイントは、ｅＮｏｄｅＢであり得る。無線アクセスネットワーク登録エリアアンカポイントは、ローカル無線アクセスエリア内のモバイルデバイスの到達可能性ステータスを追跡し得る。本段落および全体を通した全ての組み合わせ（ステップの除去または追加を含む）も、発明を実施するための形態の他の部分に準拠する様式で検討される。
【０１９４】
無線アクセスネットワーク登録エリアアンカポイント（ＲＲＡａＰ）のための方法、システム、コンピュータ読み取り可能な記憶媒体、または装置は、モバイルデバイスの到達可能性ステータスを受信し、モバイルデバイスは、ＲＲＡａＰデバイスの無線アクセスネットワーク登録エリア内にあって、モバイルデバイスのためのダウンリンクデータを受信し、モバイルデバイスの到達可能性ステータスに基づいて、ダウンリンクデータを無線で伝送するための命令を提供するための手段を有する。ＲＲＡａＰデバイスは、基地局（例えば、ｅＮｏｄｅＢ）であり得る。ＲＲＡａＰデバイスは、モバイルデバイスの接続拠点としての役割を果たし得る。ＲＲＡａＰデバイスは、サービングＲＲＡノードへの代替ＲＲＡノードとしての役割を果たし、モバイルデバイスの一時拠点として作用し得る。本段落および全体を通した全ての組み合わせ（ステップの除去または追加を含む）も、発明を実施するための形態の他の部分に準拠する様式で検討される。
【０１９５】
セルを監視し、受信された要求に基づいて、無線アクセスネットワーク登録エリアを作成するための方法、システム、コンピュータ読み取り可能な記憶媒体、または装置。要求を受信し、受信された要求に基づいて、無線アクセスネットワーク登録エリアを作成するための方法、システム、コンピュータ読み取り可能な記憶媒体、または装置。装置のモビリティ状態を決定し、装置は、ユーザ機器であって、装置のための無線アクセスネットワーク登録エリアの変化を含む、装置のモビリティ状態に応答して、場所更新を基地局に提供し、グラントレスチャネルを経由して、データを無線で伝送するための方法、システム、コンピュータ読み取り可能な記憶媒体、または装置。測定をユーザ機器から取得し、測定に基づいて、ドリフティング無線アクセス登録エリアノードを決定し、ドリフティング無線アクセス登録エリアノードの決定に応答して、ハンドオーバ要求をドリフティング無線アクセス登録エリアノードに提供し、ハンドオーバ要求への応答を受信し、ハンドオーバを行うための方法、システム、コンピュータ読み取り可能な記憶媒体、または装置。
【０１９６】
方法、システム、コンピュータ読み取り可能な記憶媒体、または装置は、ユーザ機器をページングし、ユーザ機器をページングすることに応答して、測定情報をユーザ機器から取得し、測定情報に基づいて、ユーザ機器のコンテキストを更新し、ユーザ機器のコンテキストを基地局と交換するための手段を有する。基地局は、無線アクセスネットワーク登録エリアアンカポイント、ドリフティング無線アクセスネットワーク登録エリアアンカポイント、またはサービング無線アクセスネットワーク登録エリアアンカポイントであり得る。本方法、システム、コンピュータ読み取り可能な記憶媒体、または装置はまた、コアネットワーク更新情報を含むページングメッセージをモビリティ管理エンティティゲートウェイから取得し、コアネットワーク更新情報を含むページングメッセージに基づいて、ページングメッセージをユーザ機器に提供するための手段を有し得る。本方法、システム、コンピュータ読み取り可能な記憶媒体、または装置はまた、緊急ブロードキャスト情報を含む、ページングメッセージをモビリティ管理エンティティゲートウェイから取得し、緊急ブロードキャスト情報を含む、ページングメッセージに基づいて、ページングメッセージをユーザ機器に提供するための手段を有し得る。本方法、システム、コンピュータ読み取り可能な記憶媒体、または装置はまた、ダウンリンクユーザ機器データを含む、ページングメッセージをモビリティ管理エンティティゲートウェイから取得し、ダウンリンクユーザ機器データを含む、ページングメッセージに基づいて、ページングメッセージをユーザ機器に提供するための手段を有し得る。ページングは、ユーザ機器を断続受信モードからウェイクアップするために使用され得る。測定情報は、モビリティ履歴、モビリティ状態、トラフィックパターン、ユーザ機器が接続モードのままであることが予期される長さ（時間量または距離）、または遷移させられるべきユーザ機器状態を含み得る。ＲＲＣ＿Ｇｒａｎｔ＿Ｌｅｓｓ状態は、接続状態である。第１のシナリオでは、ＲＲＣコンテキストは、存在するが、シグナリング接続（専用または共通）は、存在せず、リソースは、そのために配分されず、データ無線ベアラ（ＤＲＢ）接続は、存在せず、ＤＲＢは、この状態では、確立されることができない。ＲＲＣ＿Ｇｒａｎｔ＿Ｌｅｓｓ状態は、上記に説明されるＲＲＣ＿ＩＤＬＥ状態の属性を有するという意味において、ＲＲＣ＿ＩＤＬＥ状態に類似する。ＲＲＣ＿ＩＤＬＥ状態との差異は、ＲＲＣ＿Ｇｒａｎｔ＿Ｌｅｓｓ状態に関して、グラントレスアップリンクデータ転送が存在し得ることである。本装置、方法、またはシステムは、グラントレスアップリンクデータ転送を開始し得る。ユーザ機器のコンテキストは、ユーザ機器の場所を含み得る。本装置、方法、またはシステムは、グラントレス状態にあるとき、割り当てられたトランスポートチャネルを経由して、データを取得し得る。本段落および全体を通した全ての組み合わせ（ステップの除去または追加を含む）も、発明を実施するための形態の他の部分に準拠する様式で検討される。
【０１９７】
方法、システム、またはコンピュータ読み取り可能な記憶媒体は、第１の基地局によって、ユーザ機器をページングし、ユーザ機器をページングすることに応答して、測定情報をユーザ機器から取得し、測定情報に基づいて、ユーザ機器のコンテキストを更新し、ユーザ機器のコンテキストを第２の基地局と交換するための手段を有する。第１の基地局または第２の基地局は、無線アクセスネットワーク登録エリアアンカポイントであり得る。第１の基地局または第２の基地局は、ドリフティング無線アクセスネットワーク登録エリアアンカポイントであり得る。第１の基地局または第２の基地局は、サービング無線アクセスネットワーク登録エリアアンカポイントであり得る。本段落および全体を通した全ての組み合わせ（ステップの除去または追加を含む）も、発明を実施するための形態の他の部分に準拠する様式で検討される。
【０１９８】
方法、システム、またはコンピュータ読み取り可能な記憶媒体は、ユーザ機器に関連付けられた変化を検出し、ユーザ機器に関連付けられた変化は、ユーザ機器の無線アクセスネットワーク登録エリアの変化を含み、ユーザ機器に関連付けられた変化の検出に応答して、ユーザ機器の場所更新を実施し、グラントレスチャネルを経由して、場所更新を基地局に提供するための手段を有する。グラントレスチャネルが、割り当てられ得る。本方法、システム、またはコンピュータ読み取り可能な記憶媒体は、キャリア感知を実施し、グラントレスチャネルへのアクセスを得るための手段を有する。本方法、システム、またはコンピュータ読み取り可能な記憶媒体は、場所更新に基づいて、ページを受信し、グラントレスチャネルを経由して、ページへの応答を提供するための手段を有する。ユーザ機器に関連付けられた変化を検出することはさらに、閾値に到達するモビリティメトリックの変化を含み得、モビリティメトリックは、規定された期間中に生じたハンドオーバの数を含む。ユーザ機器に関連付けられた変化を検出することはさらに、閾値に到達するモビリティメトリックの変化を含み得、モビリティメトリックは、セル再選択の数を含む。グラントレスチャネルは、物理チャネルまたはトランスポートチャネルであり得る。基地局は、ドリフティング無線アクセスネットワーク登録エリアアンカポイントまたはサービング無線アクセスネットワーク登録エリアアンカポイントであり得る。本段落および全体を通した全ての組み合わせ（ステップの除去または追加を含む）も、発明を実施するための形態の他の部分に準拠する様式で検討される。
【０１９９】
プログラム命令を含む、その上に記憶されるコンピュータプログラムを有する、コンピュータ読み取り可能な媒体を含む、コンピュータプログラム製品であって、コンピュータプログラムは、データ処理ユニットにロード可能であって、コンピュータプログラムがデータ処理ユニットによって起動されると、データ処理ユニットに、本明細書に開示されるステップのいずれかに従って方法ステップを実行させるように適合される。
【図１】
2019515541.tif 000003
【図２】
2019515541.tif 000004
【図３】
2019515541.tif 000005
【図４】
2019515541.tif 000006
【図５】
2019515541.tif 000007
【図６】
2019515541.tif 000008
【図７】
2019515541.tif 000009
【図８】
2019515541.tif 000010
【図９】
2019515541.tif 000011
【図１０】
2019515541.tif 000012
【図１１】
2019515541.tif 000013
【図１２】
2019515541.tif 000014
【図１３】
2019515541.tif 000015
【図１４】
2019515541.tif 000016
【図１５】
2019515541.tif 000017
【図１６】
2019515541.tif 000018
【図１７】
2019515541.tif 000019
【図１８Ａ】
2019515541.tif 000020
【図１８Ｂ】
2019515541.tif 000021
【図１９】
2019515541.tif 000022
【図２０】
2019515541.tif 000023
【図２１】
2019515541.tif 000024
【図２２】
2019515541.tif 000025
【図２３】
2019515541.tif 000026
【図２４】
2019515541.tif 000027
【図２５】
2019515541.tif 000028
【図２６】
2019515541.tif 000029
【図２７Ａ】
2019515541.tif 000030
【図２７Ｂ】
2019515541.tif 000031
【図２７Ｃ】
2019515541.tif 000032
【図２７Ｄ】
2019515541.tif 000033
【図２７Ｅ】
2019515541.tif 000034
【図２７Ｆ】
2019515541.tif 000035
【図２８】
2019515541.tif 000036
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
無線通信を実施するユーザ機器であって、前記ユーザ機器は、
プロセッサと、
前記プロセッサと結合されたメモリと
を備え、
前記メモリは、その上に記憶された実行可能命令を備え、前記命令は、前記プロセッサによって実行されると、
第１の無線リソース制御（ＲＲＣ）状態、第２のＲＲＣ状態、または第３のＲＲＣ状態のうちの１つで動作することであって、前記ユーザ機器は、ＲＲＣ接続が確立された場合、前記第２のＲＲＣ状態または前記第３のＲＲＣ状態にある、ことと、
前記ユーザ機器のモビリティメトリックを決定することと、
前記ユーザ機器が前記第２のＲＲＣ状態で動作している場合、前記ユーザ機器と関連付けられた変化を検出することであって、前記ユーザ機器と関連付けられた前記変化は、前記ユーザ機器の無線アクセスネットワーク登録エリア（ＲＲＡ）の変化、またはセルの再選択の結果とするセルの変化を含む、ことと、
前記ユーザ機器の前記ＲＲＡの変化またはセルの再選択の結果とする前記セルの変化に基づいて前記第２のＲＲＣ状態で動作する前記ユーザ機器の場所更新を実施するかどうかを、前記モビリティメトリックと関連付けられた閾値に基づいて決定することと、
前記第２のＲＲＣ状態で動作する前記ユーザ機器の前記場所更新を基地局に提供することであって、前記ユーザ機器は、前記第２のＲＲＣ状態におけるページングまたはシステム情報ブロードキャストについて監視することが可能である、ことと
を含む動作を前記プロセッサに果たさせる、ユーザ機器。
【請求項２】
前記場所更新を前記基地局に提供することは、グラントレスチャネルを経由する、請求項１に記載のユーザ機器。
【請求項３】
前記場所更新を前記基地局に提供することは、グラントレスチャネルを経由し、前記グラントレスチャネルを伴って、アップリンクデータ転送は、前記基地局から通信リソースを最初に要求せずに発生する、請求項１に記載のユーザ機器。
【請求項４】
グラントレスチャネルは、ＵＥに対して規定または構成されている、請求項１に記載のユーザ機器。
【請求項５】
前記動作は、キャリア感知を実施し、グラントレスチャネルへのアクセスを取得することをさらに含む、請求項１に記載のユーザ機器。
【請求項６】
前記第２のＲＲＣ状態は、ＲＲＣ＿Ｃｏｎｎｅｃｔｉｏｎ＿Ｌｅｓｓである、請求項１に記載のユーザ機器。
【請求項７】
前記第１のＲＲＣ状態は、ＲＲＣ＿ＩＤＬＥであり、前記第２のＲＲＣ状態は、ＲＲＣ＿Ｃｏｎｎｅｃｔｉｏｎｌｅｓｓ＿Ｌｅｓｓであり、前記第３のＲＲＣ状態は、ＲＲＣ＿ＣＯＮＮＥＣＴＥＤである、請求項１に記載のユーザ機器。
【請求項８】
前記ユーザ機器場所更新を前記基地局に提供することは、グラントベースチャネルを経由する、請求項１に記載のユーザ機器。
【請求項９】
前記ユーザ機器場所更新を前記基地局に提供することは、グラントベースチャネルを経由し、前記グラントベースチャネルは、割り当てられている、請求項１に記載のユーザ機器。
【請求項１０】
前記ユーザ機器と関連付けられた前記変化を検出することは、閾値に到達するモビリティメトリックの変化をさらに含み、前記モビリティメトリックは、規定された期間中に発生しているハンドオーバの数を含む、請求項１に記載のユーザ機器。
【請求項１１】
前記ユーザ機器と関連付けられた前記変化を検出することは、閾値に到達するモビリティメトリックの変化をさらに含み、前記モビリティメトリックは、セル再選択の数を含む、請求項１に記載のユーザ機器。
【請求項１２】
前記ユーザ機器は、モビリティメトリックまたは速度メトリック関連閾値を用いてプロビジョニングされる、請求項１に記載のユーザ機器。
【請求項１３】
ＲＲＣ接続コンテキストは、専用のＲＲＣ接続シグナリングなしに前記ユーザ機器内に記憶されている、請求項１に記載のユーザ機器。
【請求項１４】
前記ユーザ機器は、前記基地局による閾値を用いて構成され、前記ユーザ機器は、前記ユーザ機器が待機メッセージに関してネットワークにクエリする、逆ページングを実施するように構成されている、請求項１に記載のユーザ機器。
【請求項１５】
前記ユーザ機器は、前記基地局による閾値を用いて構成され、前記ユーザ機器は、前記ユーザ機器が待機メッセージに関してネットワークにクエリする、逆ページングを実施するように構成され、前記ネットワークの前記逆ページングは、行われる、請求項１に記載のユーザ機器。
【請求項１６】
無線通信を実施するための方法であって、前記方法は、
ユーザ機器によって、第１の無線リソース制御（ＲＲＣ）状態、第２のＲＲＣ状態、または第３のＲＲＣ状態のうちの１つで動作することであって、前記ユーザ機器は、ＲＲＣ接続が確立された場合、前記第２のＲＲＣ状態または前記第３のＲＲＣ状態にある、ことと、
前記ユーザ機器のモビリティメトリックを決定することと、
前記ユーザ機器が前記第２のＲＲＣ状態で動作している場合、前記ユーザ機器と関連付けられた変化を検出することであって、前記ユーザ機器と関連付けられた前記変化は、前記ユーザ機器の無線アクセスネットワーク登録エリア（ＲＲＡ）の変化、またはセルの再選択の結果とするセルの変化を含む、ことと、
前記ユーザ機器の前記ＲＲＡの変化またはセルの再選択の結果とする前記セルの変化に基づいて前記第２のＲＲＣ状態で動作する前記ユーザ機器の場所更新を実施するかどうかを、前記モビリティメトリックと関連付けられた閾値に基づいて決定することと、
前記ユーザ機器の前記場所更新を基地局に提供することであって、前記ユーザ機器は、前記第２のＲＲＣ状態におけるページングまたはシステム情報ブロードキャストについて監視することが可能である、ことと
を含む、方法。
【請求項１７】
前記第１のＲＲＣ状態は、ＲＲＣ＿ＩＤＬＥであり、前記第２のＲＲＣ状態は、ＲＲＣ＿Ｃｏｎｎｅｃｔｉｏｎｌｅｓｓ＿Ｌｅｓｓであり、前記第３のＲＲＣ状態は、ＲＲＣ＿ＣＯＮＮＥＣＴＥＤである、請求項１６に記載の方法。
【請求項１８】
前記ユーザ機器場所更新を前記基地局に提供することは、グラントベースチャネルを経由する、請求項１６に記載の方法。
【請求項１９】
前記場所更新を前記基地局に提供することは、グラントレスチャネルを経由する、請求項１６に記載の方法。
【請求項２０】
その上に記憶されたコンピュータプログラムを有するコンピュータ読み取り可能な記憶媒体であって、前記コンピュータプログラムは、データ処理ユニットにロード可能であり、前記コンピュータプログラムは、前記コンピュータプログラムが前記データ処理ユニットによって起動される場合、前記データ処理ユニットに、請求項１６に記載の方法ステップを実行させるように適合されている、コンピュータ読み取り可能な記憶媒体。
【手続補正２】
【補正対象書類名】明細書
【補正対象項目名】００５９
【補正方法】変更
【補正の内容】
【００５９】
（要約）
本明細書に開示されるのは、ページングおよびハンドオーバに基づいて生じ得る、シグナリング負荷を低減させることを補助し得る、方法、システム、およびデバイスである。特に、本明細書に開示されるのは、異なるアーキテクチャアプローチ（例えば、階層および分散型）、動的ＲＲＡ管理、無線アクセスネットワークベースのページング、および無線アクセスネットワークベースのユーザ機器（ＵＥ）モビリティ管理を用いた新しいＵＥ状態、無線アクセスネットワーク登録エリア（ＲＲＡ）、または追跡／ページングエリアである。
本願明細書は、例えば、以下の項目も提供する。
（項目１）
無線通信を実施するユーザ機器であって、前記ユーザ機器は、
プロセッサと、
前記プロセッサと結合されたメモリと
を備え、
前記メモリは、その上に記憶された実行可能命令を備え、前記命令は、前記プロセッサによって実行されると、
前記ユーザ機器に関連付けられた変化を検出することであって、前記ユーザ機器に関連付けられた前記変化は、前記ユーザ機器の無線アクセスネットワーク登録エリアの変化を含む、ことと、
前記ユーザ機器に関連付けられた前記変化の検出に応答して、前記ユーザ機器の場所更新を実施することと、
グラントレスチャネルを経由して、前記場所更新を基地局に提供することと
を含む動作を前記プロセッサに果たさせる、ユーザ機器。
（項目２）
前記グラントレスチャネルは、割り当てられている、項目１に記載のユーザ機器。
（項目３）
前記動作は、キャリア感知を実施し、前記グラントレスチャネルへのアクセスを得ることをさらに含む、項目１〜２のいずれか１項に記載のユーザ機器。
（項目４）
前記グラントレスチャネルは、物理チャネルである、項目１〜３のいずれか１項に記載のユーザ機器。
（項目５）
前記グラントレスチャネルは、トランスポートチャネルである、項目１〜４のいずれか１項に記載のユーザ機器。
（項目６）
前記基地局は、ドリフティング無線アクセスネットワーク登録エリアアンカポイントである、項目１〜５のいずれか１項に記載のユーザ機器。
（項目７）
前記基地局は、サービング無線アクセスネットワーク登録エリアアンカポイントである、項目１〜６のいずれか１項に記載のユーザ機器。
（項目８）
前記動作は、
前記場所更新に基づいて、ページを受信することと、
前記グラントレスチャネルを経由して、前記ページへの応答を提供することと
をさらに含む、項目１〜７のいずれか１項に記載のユーザ機器。
（項目９）
前記ユーザ機器に関連付けられた前記変化を検出することは、閾値に到達するモビリティメトリックの変化をさらに含み、前記モビリティメトリックは、規定された期間中に生じたハンドオーバの数を含む、項目１〜８のいずれかに記載のユーザ機器。
（項目１０）
前記ユーザ機器に関連付けられた変化を検出することは、閾値に到達するモビリティメトリックの変化をさらに含み、前記モビリティメトリックは、セル再選択の数を含む、項目１〜９のいずれかに記載のユーザ機器。
（項目１１）
動的無線アクセスネットワークルーティングエリア管理ネットワーク内で無線通信を実施する装置であって、前記装置は、
プロセッサと、
前記プロセッサと結合されたメモリと
を備え、
前記メモリは、その上に記憶された実行可能命令を備え、前記命令は、前記プロセッサによって実行されると、
ユーザ機器をページングすることと、
前記ユーザ機器をページングすることに応答して、測定情報を前記ユーザ機器から取得することであって、前記測定情報は、前記ユーザ機器の場所および速度を含む、ことと、
前記測定情報に基づいて、前記ユーザ機器のコンテキストを更新することと、
前記ユーザ機器の前記コンテキストを基地局と交換することと
を含む動作を前記プロセッサに果たさせる、装置。
（項目１２）
前記動作は、前記測定情報に基づいて、無線アクセスネットワークルーティングエリアリストおよび前記ユーザ機器の到達可能性ステータスを更新することをさらに含む、項目１１に記載の装置。
（項目１３）
前記動作は、グラントレスアップリンクデータ転送を開始することをさらに含む、項目１１に記載の装置。
（項目１４）
前記ユーザ機器の前記コンテキストは、前記ユーザ機器の場所を含む、項目１１に記載の装置。
（項目１５）
前記動作は、割り当てられたトランスポートチャネルを経由してデータを取得することをさらに含む、項目１１に記載の装置。
（項目１６）
前記基地局は、無線アクセスネットワーク登録エリアアンカポイントである、項目１１に記載の装置。
（項目１７）
前記動作は、
コアネットワーク更新情報を含むページングメッセージをモビリティ管理エンティティゲートウェイから取得することと、
コアネットワーク更新情報を含む前記ページングメッセージに基づいて、前記ページングメッセージを前記ユーザ機器に提供することと
をさらに含む、項目１１に記載の装置。
（項目１８）
前記測定情報は、遷移させられるべきユーザ機器状態を含む、項目１１に記載の装置。
【国際調査報告】
2019515541.tif 000037
2019515541.tif 000038
2019515541.tif 000039
2019515541.tif 000040
2019515541.tif 000041